(57)【要約】送信側装置により原稿画像に対して画像を歪ませて、特定の受信者以外に対しては画像の判読を困難とすることが可能なセキュリティ画像通信方法、送信側装置、受信側装置、通信システム装置及び通信処理プログラム並びに該プログラムを記録した記録媒体の提供。  通信回線と、原稿画像を画像歪み処理したセキュリティ画像を作成送信するセキュリティ画像送信側装置と、通信回線を介して受信出力された当該セキュリティ画像から原稿画像に基づく復元画像を作成するセキュリティ画像受信側装置とで構成されるセキュリティ画像通信システム装置であって、セキュリティ画像送信側装置に、原稿画像読取部と、パスワード設定部と、画像歪み処理部とを具備させて、セキュリティ画像受信側装置に、セキュリティ画像読取部と、パスワード入力部と、画像逆歪み処理部とを具備させる、特徴的構成手段の採用。
2005002207.tif 000002
【特許請求の範囲】
【請求項１】
原稿画像を画像歪み処理したセキュリティ画像を送信側装置から作成送信して、通信回線を介して受信出力された当該セキュリティ画像から当該原稿画像に基づく復元画像を受信側装置で作成出力するセキュリティ画像通信方法であって、
前記送信側装置において、
まず、前記原稿画像を読み取るとともに、
当該原稿画像の送信側と受信側との間で予め設定された設定パスワードを入力し、
次に、当該設定パスワードをパターン化して書き込んだ画像ヘッダを作成し、
続いて、前記原稿画像に対して画像を歪ませる画像歪み処理を実施するとともに、当該画像ヘッダを付加して前記セキュリティ画像を作成して後、
当該セキュリティ画像を前記受信側装置に送信し、
一方、当該受信側装置において、
当該受信したセキュリティ画像を一旦出力した上で、
まず、前記設定パスワードに合致する入力パスワードを入力するとともに、
前記送信側装置から受信して出力された前記セキュリティ画像の前記画像ヘッダ中から、前記設定パスワードを読み取り、
次に、入力された前記入力パスワードと当該設定パスワードとの合致を確認し、
ここで、当該設定パスワードと当該入力パスワードが合致した場合、
さらに、前記セキュリティ画像を読み取り、
その後、当該セキュリティ画像に対して画像の歪みを補正して前記復元画像を作成する画像逆歪み処理を実施し、
最後に、当該復元画像を出力する、
ことを特徴とするセキュリティ画像通信方法。
【請求項２】
前記受信側装置は、
別途設置された他の画像逆歪み処理をなし得ない受信側装置において、取り敢えず、前記送信側装置からのセキュリティ画像を事前に受信出力して置き、
その後、当該出力セキュリティ画像を、前記画像逆歪み処理なし得る受信側装置において読み取ることにより、前記復元画像を作成出力する、
ことを特徴とする請求の範囲第１項に記載のセキュリティ画像通信方法。
【請求項３】
前記画像逆歪み処理をなし得ない受信側装置は、
前記通信回線上の任意の領域に配置されたパーソナルコンピュータであって、当該パーソナルコンピュータにより、前記通信回線を介して前記セキュリティ画像を受信し、
当該パーソナルコンピュータに接続されたプリンタに当該セキュリティ画像の印刷命令を通知することにより、当該プリンタにて当該セキュリティ画像を印刷する、
ことを特徴とする請求の範囲第２項に記載のセキュリティ画像通信方法。
【請求項４】
前記画像歪み処理は、
前記原稿画像をビットマップ形式として読み取り、
当該原稿画像を構成するそれぞれのピクセルを、予め設定されたピクセル数分特定方向に移動させて、
前記原稿画像に対して前記画像逆歪み処理により復元可能な画像歪みを発生させる、
ことを特徴とする請求の範囲第１項、第２項又は第３項に記載のセキュリティ画像通信方法。
【請求項５】
前記送信側装置は、
前記原稿画像に対して予め設定された図形を上書きして、
当該図形が上書きされた当該原稿画像に対して前記画像歪み処理を行う、
ことを特徴とする請求の範囲第１項、第２項又は第３項に記載のセキュリティ画像通信方法。
【請求項６】
前記画像逆歪み処理は、
前記セキュリティ画像中に含まれる、前記送信側装置により前記原稿画像に上書きされて前記画像歪み処理された前記図形部分を認識して、
当該図形部分を、当該画像歪み処理される以前の図形に補正することで、前記セキュリティ画像全体を、当該図形が上書きされた前記原稿画像の状態に復元する、
ことを特徴とする請求の範囲第５項に記載のセキュリティ画像通信方法。
【請求項７】
前記画像歪み処理は、
前記原稿画像の特定の範囲に対して当該画像歪み処理のスキップ指定が為された場合、
当該特定の範囲はそのままに、当該特定の範囲を除く部分に対してのみ画像を歪ませる、
ことを特徴とする請求の範囲第１項、第２項又は第３項に記載のセキュリティ画像通信方法。
【請求項８】
前記受信側装置は、
読み取った前記画像ヘッダに書き込まれる前記設定パスワードと合致する前記入力パスワードとは異なる入力パスワードが入力された場合には、エラーを通知して、
前記画像逆歪み処理を中断して終了する、
ことを特徴とする請求の範囲第１項、第２項又は第３項に記載のセキュリティ画像通信方法。
【請求項９】
前記送信側通信装置は、
前記原稿画像の読み取りにおいて、当該原稿画像をページ単位で読み取り、
当該ページ毎に、前記設定パスワードを書き込んだ前記画像ヘッダを付加した前記セキュリティ画像を作成する、
ことを特徴とする請求の範囲第１項、第２項又は第３項に記載のセキュリティ画像通信方法。
【請求項１０】
前記受信側通信装置は、
前記画像ヘッダ中から前記設定パスワードの読み取りを前記ページ毎に行い、
当該画像ヘッダに書き込まれる前記設定パスワードに合致する前記入力パスワードの入力確認を、当該ページ毎に行う、
ことを特徴とする請求の範囲第９項に記載のセキュリティ画像通信方法。
【請求項１１】
前記復元画像の出力は、
当該復元画像の自動出力の後に、前記受信側装置において保持された当該復元画像を削除する、
ことを特徴とする請求の範囲第１項、第２項又は第３項に記載のセキュリティ画像通信方法。
【請求項１２】
通信回線を介して受信側装置に送信される、原稿画像を画像歪み処理して作成された復元可能なセキュリティ画像を作成送信するための送信側装置であって、
前記原稿画像を読み取る原稿画像読取部と、
当該原稿画像に対して、当該原稿画像の送信側と受信側との間で予め設定された設定パスワードを当該原稿画像毎に入力するパスワード設定部と、
前記原稿画像読取部から当該原稿画像を入力されるとともに、前記パスワード設定部から前記設定パスワードを入力されて、当該設定パスワードをパターン化して書き込んだ画像ヘッダを作成するとともに、前記原稿画像に対して画像を歪ませる画像歪み処理を実施して、当該画像ヘッダが付加された前記セキュリティ画像を作成する画像歪み処理部と、を具備する、
ことを特徴とするセキュリティ画像送信側装置。
【請求項１３】
前記送信側装置は、
前記通信回線に接続されて、
前記セキュリティ画像をエンコードして、当該通信回線を介して接続される前記受信側装置に対し当該セキュリティ画像を送信する画像送信部を有する、
ことを特徴とする請求の範囲第１２項に記載のセキュリティ画像送信側装置。
【請求項１４】
前記画像歪み処理部は、
前記原稿画像読取部にてビットマップ形式として読み取られた前記原稿画像に対して、当該原稿画像を構成するそれぞれのピクセルを、予め設定されたピクセル数分特定方向に移動させて歪みを発生させる画像歪み処理を実施するよう機能構成される、
ことを特徴とする請求の範囲第１２項に記載のセキュリティ画像送信側装置。
【請求項１５】
前記画像歪み処理部は、
前記原稿画像に対して予め設定された図形を上書きして、当該図形が上書きされた当該原稿画像に対して前記画像歪み処理を行うよう機能構成される、
ことを特徴とする請求の範囲第１２項に記載のセキュリティ画像送信側装置。
【請求項１６】
前記画像歪み処理部は、
読み込まれた前記原稿画像に対して、特定の範囲に対して前記画像歪み処理のスキップ指定を設定可能に保持し、
当該特定の範囲はそのままに、当該特定の範囲を除く前記原稿画像に対してのみ画像を歪ませる前記画像歪み処理を実施するよう機能構成される、
ことを特徴とする請求の範囲第１２項に記載のセキュリティ画像送信側装置。
【請求項１７】
前記画像歪み処理部は、
前記原稿画像読取部からページ単位で読み取られた前記原稿画像を入力されて、当該ページ毎に、前記設定パスワードを書き込んだ前記画像ヘッダを付加した前記セキュリティ画像を作成するよう機能構成される、
ことを特徴とする請求の範囲第１２項に記載のセキュリティ画像送信側装置。
【請求項１８】
前記送信側装置は、
前記画像歪み処理部にて当該原稿画像に基づき作成された前記セキュリティ画像を出力する送信側画像出力部を具備する、
ことを特徴とする請求の範囲第１２項に記載のセキュリティ画像送信側装置。
【請求項１９】
前記送信側画像出力部は、
前記原稿画像読取部にて読み取られた前記原稿画像を出力可能に当該原稿画像読取部に接続される、
ことを特徴とする請求の範囲第１８項に記載のセキュリティ画像送信側装置。
【請求項２０】
通信回線を介して送信側装置から送信された原稿画像を画像歪み処理して作成された復元可能なセキュリティ画像から、当該原稿画像に基づく復元画像を作成出力するための受信側装置であって、
受信側画像出力部で一旦受信印刷又は表示出力された前記セキュリティ画像と、印刷又は表示出力された当該セキュリティ画像に付加されかつ予め設定されてパターン化された設定パスワードを書き込んだ画像ヘッダを読み取るセキュリティ画像読取部と、
当該設定パスワードに照合する入力パスワードを入力するパスワード入力部と、
当該設定パスワードと当該入力パスワードとが合致するものであった場合に、前記セキュリティ画像に対して画像の歪みを補正して前記復元画像を作成する画像逆歪み処理を実施する画像逆歪み処理部と、を具備する、
ことを特徴とするセキュリティ画像受信側装置。
【請求項２１】
前記受信側装置は、
前記通信回線に接続し、
当該通信回線を介して接続される前記送信側装置からエンコードされた前記セキュリティ画像のデータを受信して、当該データを当該セキュリティ画像にデコードする画像受信部を有する、
ことを特徴とする請求の範囲第２０項に記載のセキュリティ画像受信側装置。
【請求項２２】
前記受信側画像出力部は、
前記画像逆歪み処理部にて作成された前記復元画像をも印刷出力するよう機能構成される、
ことを特徴とする請求の範囲第２０項に記載のセキュリティ画像受信側装置。
【請求項２３】
前記画像逆歪み処理部は、
前記受信側画像出力部にて前記復元画像を印刷出力した後に、保持する当該復元画像を削除するように機能構成される、
ことを特徴とする請求の範囲第２２項に記載のセキュリティ画像受信側装置。
【請求項２４】
前記受信側画像出力部は、
印刷出力可能なプリンタを有する、
ことを特徴とする請求の範囲第２２項に記載のセキュリティ画像受信側装置。
【請求項２５】
前記受信側画像出力部は、
表示出力可能なディスプレイを有する、
ことを特徴とする請求の範囲第２２項に記載のセキュリティ画像受信側装置。
【請求項２６】
前記受信側画像出力部は、
前記ディスプレイに表示出力された前記セキュリティ画像を前記セキュリティ画像読取部に入力可能に接続構成される、
ことを特徴とする請求の範囲第２５項に記載のセキュリティ画像受信側装置。
【請求項２７】
前記画像逆歪み処理部は、
前記セキュリティ画像中に含まれる、前記送信側装置により前記原稿画像に上書きされて前記画像歪み処理された、予め設定された図形部分を認識して、当該図形部分を、当該画像歪み処理される以前の図形に補正することで、前記セキュリティ画像全体を、当該図形が上書きされた前記原稿画像の状態に復元して前記復元画像を作成するよう機能構成される、
ことを特徴とする請求の範囲第２０項に記載のセキュリティ画像受信側装置。
【請求項２８】
前記画像逆歪み処理部は、
読み取った前記画像ヘッダに書き込まれる前記設定パスワードと合致する前記入力パスワードとは異なる入力パスワードが入力された場合にはエラーを通知して、前記画像歪み処理を中断して終了するよう機能構成される、
ことを特徴とする請求の範囲第２０項に記載のセキュリティ画像受信側装置。
【請求項２９】
前記画像逆歪み処理部は、
前記セキュリティ画像を前記セキュリティ画像読取部からページ単位で入力されて、当該ページ毎に、前記画像ヘッダに書き込まれる前記設定パスワードに合致する前記入力パスワードの入力確認を行うように機能構成される、
ことを特徴とする請求の範囲第２０項に記載のセキュリティ画像受信側装置。
【請求項３０】
通信回線と、原稿画像を画像歪み処理したセキュリティ画像を作成送信する送信側装置と、当該通信回線を介して受信又は受信出力された当該セキュリティ画像から当該原稿画像に基づく復元画像を作成する受信側装置とで構築されるセキュリティ画像通信システム装置であって、
前記送信側装置は、
請求の範囲第１２項、第１３項、第１４項、第１５項、第１６項、第１７項、第１８項又は第１９項に記載のセキュリティ画像送信側装置であり、
前記受信側装置は、
請求の範囲第２０項、第２１項、第２２項、第２３項、第２４項、第２５項、第２６項、第２７項、第２８項又は第２９項に記載のセキュリティ画像受信側装置である、
ことを特徴とするセキュリティ画像通信システム装置。
【請求項３１】
前記送信側装置と前記受信側装置は、
前記原稿画像読取部と前記セキュリティ画像読取部との機能を併せて構成された画像読取部と、
前記パスワード設定部と前記パスワード入力部との機能を併せて構成されたパスワード設定／入力部と、
前記画像歪み処理部と前記画像逆歪み処理部との機能を併せて構成されて、前記画像読取部と前記パスワード設定／入力部と接続された画像正逆歪み処理部と、を有して、
前記セキュリティ画像を作成可能に機能構成される一方、出力された当該セキュリティ画像から前記復元画像を作成可能に機能構成されるセキュリティ画像送受信装置である、
ことを特徴とする請求の範囲第３０項に記載のセキュリティ画像通信システム装置。
【請求項３２】
前記セキュリティ画像送受信装置は、
前記画像送信部と前記画像受信部との機能を併せて構成されて、前記通信回線に接続されるともに前記画像正逆歪み処理部に接続された画像送受信部を有する、
ことを特徴とする請求の範囲第３１項に記載のセキュリティ画像通信システム装置。
【請求項３３】
前記セキュリティ画像送受信装置は、
前記送信側画像出力部と前記受信側画像出力部との機能を併せて構成された画像出力部を有する、
ことを特徴とする請求の範囲第３１項に記載のセキュリティ画像通信システム装置。
【請求項３４】
前記セキュリティ画像通信システム装置は、
前記送信側装置から送信された前記セキュリティ画像を受信する前記通信回線上の任意の領域に配置されたパーソナルコンピュータと、
当該パーソナルコンピュータに接続されて、当該パーソナルコンピュータの印刷命令に基づき前記セキュリティ画像を印刷するプリンタと、を具備して、
前記受信側装置により、当該プリンタにて印刷した前記セキュリティ画像を読込み、前記復元画像を作成可能に構築される、
ことを特徴とする請求の範囲第３０項に記載のセキュリティ画像通信システム装置。
【請求項３５】
共にコンピュータの基本的機能を具備するとともに、原稿画像を画像歪み処理したセキュリティ画像を作成送信する送信側装置と、通信回線を介して受信出力された当該セキュリティ画像から当該原稿画像に基づく復元画像を作成出力する受信側装置と、を有して構築されたネットワークシステムに適用されるセキュリティ画像通信処理プログラムであって、
前記送信側装置に、
前記原稿画像を読み取る処理手順とともに、
当該原稿画像の送信側と受信側との間で予め設定された設定パスワードを入力する処理手順と、を実行させ、
当該設定パスワードをパターン化して書き込んだ画像ヘッダを作成させる処理手順と、
前記原稿画像に対して画像を歪ませる画像歪み処理を実行する処理手順と、
前記画像ヘッダを付加して前記セキュリティ画像を作成する処理手順と、
当該セキュリティ画像を前記受信側装置に送信する処理手順と、を順次実行させて、
一方、前記受信側装置に、
前記送信側装置から受信して出力された前記セキュリティ画像の前記画像ヘッダ中から、前記設定パスワードを読み取る処理手順とともに、
当該設定パスワードに照合する入力パスワードを入力する処理手順と、を実行させた後に、
入力された当該入力パスワードと当該設定パスワードとの合致を確認する処理手順を実行させ、
ここで、当該設定パスワードと当該入力パスワードが合致した場合に、
前記セキュリティ画像を読み取る処理手順と、
当該セキュリティ画像に対して画像の歪みを補正して前記復元画像を作成する画像逆歪み処理を実行する処理手順と、
当該復元画像を出力する処理手順と、を順次実行させる、
ことを特徴とするセキュリティ画像通信処理プログラム。
【請求項３６】
前記受信側装置における前記設定パスワードを読み取る処理手順は、
別途設置された他の従来の受信側装置において、前記送信側装置から送信された前記セキュリティ画像を一旦受信出力する処理手順を事前に実行させた後に実行させる、
ことを特徴とする請求の範囲第３５項に記載のセキュリティ画像通信処理プログラム。
【請求項３７】
前記送信側装置から送信された前記セキュリティ画像を一旦受信出力する処理手順は、
前記別途設置された他の従来の受信側装置として前記通信回線上の任意の領域に配置されたパーソナルコンピュータに、前記通信回線を介して前記セキュリティ画像を受信させる手順と、
当該パーソナルコンピュータから、当該パーソナルコンピュータに接続されたプリンタに当該セキュリティ画像の印刷命令を通知することにより、当該プリンタにて当該セキュリティ画像を印刷させる手順と、を順次実行させる、
ことを特徴とする請求の範囲第３６項に記載のセキュリティ画像通信処理プログラム。
【請求項３８】
前記画像歪み処理を実行する処理手順は、
予め、前記原稿画像を読み取る処理手順として、当該原稿画像をビットマップ形式として読み取る処理手順を実行させた上で、
当該原稿画像を構成するそれぞれのピクセルを、予め設定されたピクセル数分特定方向に移動させる処理手順を実行させる、
ことを特徴とする請求の範囲第３５項に記載のセキュリティ画像通信処理プログラム。
【請求項３９】
前記画像歪み処理を実行する処理手順は、
前記原稿画像に対して予め設定された図形を上書きする処理手順と、
当該図形が上書きされた当該原稿画像に対して前記画像歪み処理を行う処理手順と、を順次実行させる、
ことを特徴とする請求の範囲第３５項に記載のセキュリティ画像通信処理プログラム。
【請求項４０】
前記画像逆歪み処理を実行する処理手順は、
前記セキュリティ画像中に含まれる、前記送信側装置により前記原稿画像に上書きされて前記画像歪み処理された前記図形部分を認識する処理手順と、
当該図形部分を、当該画像歪み処理される以前の図形に補正することで、前記セキュリティ画像全体を、当該図形が上書きされた前記原稿画像の状態に復元する処理手順と、を順次実行させる、
ことを特徴とする請求の範囲第３９項に記載のセキュリティ画像通信処理プログラム。
【請求項４１】
前記画像歪み処理を実行する処理手順は、
前記原稿画像の特定の範囲に対して前記画像歪み処理のスキップ指定を確認する処理手順と、
当該スキップ指定を確認する処理手順において、当該スキップ指定が設定されていた場合に、
当該特定の範囲はそのままに、当該特定の範囲を除く部分に対してのみ画像を歪ませる処理手順を実行させる、
ことを特徴とする請求の範囲第３５項に記載のセキュリティ画像通信処理プログラム。
【請求項４２】
前記入力パスワードと前記設定パスワードとの合致を確認する処理手順は、
読み取った前記画像ヘッダに書き込まれる当該設定パスワードと合致する当該入力パスワードとは異なる入力パスワードが入力された場合には、エラーを通知して処理を中断し終了する処理手順を実行させる、
ことを特徴とする請求の範囲第３５項に記載のセキュリティ画像通信処理プログラム。
【請求項４３】
前記セキュリティ画像を作成する処理手順は、
前記原稿画像を読み取る処理手順において事前に当該原稿画像をページ単位で読み取り設定された場合に、
当該ページ単位で作成する前記セキュリティ画像に対して、当該ページ毎に前記設定パスワードを書き込んだ前記画像ヘッダを付加する処理手順を実行させる、
ことを特徴とする請求の範囲第３５項に記載のセキュリティ画像通信処理プログラム。
【請求項４４】
前記入力パスワードと前記設定パスワードとの合致を確認する処理手順は、
当該設定パスワードを読み取る処理手順において事前に前記ページ毎に当該設定パスワードが設定されていた場合に、
当該ページ毎に前記入力パスワードと当該設定パスワードとの合致を確認する処理手順を実行させる、
ことを特徴とする請求の範囲第４３項に記載のセキュリティ画像通信処理プログラム。
【請求項４５】
前記復元画像を出力する処理手順は、
当該復元画像の出力の後に、前記受信側装置において保持された当該復元画像を削除する処理手順を実行させる、
ことを特徴とする請求の範囲第３５項に記載のセキュリティ画像通信処理プログラム。
【請求項４６】
請求の範囲第３５項、第３６項、第３７項、第３８項、第３９項、第４０項、第４１項、第４２項、第４３項、第４４項又は第４５項に記載のセキュリティ画像通信処理プログラムにおける各処理手順の実践手続をコンピュータ読取可能に実録してなる、
ことを特徴とするセキュリティ画像通信処理プログラムを記録した記録媒体。
【発明の詳細な説明】
【技術分野】
【０００１】  本発明は、通信回線を介して送受信され、送信側で原稿画像を画像歪み処理したセキュリティ画像を作成送信し、受信側で受信した当該セキュリティ画像を画像逆歪み処理して当該原稿画像に基づく復元画像を作成出力するためのセキュリティ画像通信方法、並びにその実施に直接使用するセキュリティ画像送信側装置、セキュリティ画像受信側装置、セキュリティ画像通信システム装置、セキュリティ画像通信処理プログラム及び該プログラムを記録した記録媒体に係わる。
【背景技術】
【０００２】  従来、送信者及び受信者の間でセキュリティを確保した画像通信を行うには、例えば、電話回線に接続されたファクシミリやインターネットに接続された通信端末等の通信装置に別途、高価な暗号／復号化装置を送信側装置及び受信側装置の双方にそれぞれ接続する必要があった。【０００３】  このような通信方式によると、送信する送信画像が通信回線上にて送信可能にエンコードされた後に、このエンコードされた画像データの、例えばヘッダに対してのみ、予め設定された冗長データを付加することで原稿画像に対する加工を行っていた。【０００４】  また、より安価な手段として、大容量のメモリを送信側装置及び受信側装置の双方に搭載させて、送信側装置から受信側装置に対して送信画像とともに予め設定されたパスワードを送信して、受信側装置において入力されたパスワードが合致した場合にのみ受信した送信画像を直接出力して、特定の受信者以外の、正しいパスワードの入力ができない者に対しては送信画像を出力しないようにしていた。【０００５】  なお、上記画像通信に適用される画像通信方法及び装置の詳細については、下記の特許文献１及び２に記載されている。
【特許文献１】特開平１１−２９８７４０号公報
【特許文献２】特開平１０−０７９８６２号公報
【発明の開示】
【発明が解決しようとする課題】
【０００６】  ところで、従来の画像通信方式を用いて、送信側及び受信側の通信装置に暗号化／復号化装置を設置して画像の送受信を安全に行おうとする場合、通信装置とは別途に高価な暗号／復号化装置を用意する必要があり、自ずと、装置価格が高価となり、広く普及された通信機器で採用されるのは困難である。【０００７】  また、画像をメモリに蓄積する方式では、送信側装置から送信された送信画像は、受信側装置にて出力されずに受信側装置内に搭載されたメモリに保持されたままであることから、送信側装置より送信画像が受信したか否かが容易に認識できず、通信装置が具備する表示部等で逐一確認する必要があった。【０００８】  さらに、以上のような方式は、送信側装置及び受信側装置が１対１での通信形態であり、画像を受信した受信側装置でのみ送信画像の再現出力が可能であり、例えば、出張先やホテル滞在時など、特定の受信側装置が設置されない場所において、特定の受信者にのみ送信画像を再現出力可能なセキュリティが保持された受信を可能とするものはなかった。【０００９】  ここにおいて、本発明の解決すべき主要な目的は、次のとおりである。
即ち、本発明の第１の目的は、送信側装置により原稿画像に対して画像を歪ませて、特定の受信者以外に対しては画像の判読を困難とすることが可能なセキュリティ画像通信方法、送信側装置、受信側装置、通信システム装置及び通信処理プログラム並びに該プログラムを記録した記録媒体を提供せんとするものである。【００１０】  本発明の第２の目的は、受信側装置においてセキュリティ画像を出力した上で再度読み込み復元画像を作成し、受信者にとって容易に受信があったことを認識することが可能なセキュリティ画像通信方法、送信側装置、受信側装置、通信システム装置及び通信処理プログラム並びに該プログラムを記録した記録媒体を提供せんとするものである。【００１１】  本発明の第３の目的は、原稿画像に対して複雑な暗号化及び復号化を行う高価な暗号／復号化装置を必要としないセキュリティ画像通信方法、送信側装置、受信側装置、通信システム装置及び通信処理プログラム並びに該プログラムを記録した記録媒体を提供せんとするものである。【００１２】  本発明の第４の目的は、受信側装置の受信制限はなく、歪み復元機能を有する受信側装置においてのみ復元画像を作成することが可能なセキュリティ画像通信方法、送信側装置、受信側装置、通信システム装置及び通信処理プログラム並びに該プログラムを記録した記録媒体を提供せんとするものである。【００１３】  本発明の他の目的は、明細書、図面、特に請求の範囲の各項の記載から、自ずと明らかとなろう。
【課題を解決するための手段】
【００１４】  まず、本発明方法においては、送信側装置において、まず、原稿画像を読み取るとともに、当該原稿画像の送信側と受信側との間で予め設定された設定パスワードを入力し、次に、当該設定パスワードをパターン化して書き込んだ画像ヘッダを作成し、続いて、原稿画像に対して画像を歪ませる画像歪み処理を実施するとともに、当該画像ヘッダを付加してセキュリティ画像を作成して後、当該セキュリティ画像を受信側装置に送信し、一方、当該受信側装置において、当該受信したセキュリティ画像を一旦出力した上で、まず、設定パスワードに合致する入力パスワードを入力するとともに、送信側装置から受信して出力されたセキュリティ画像の画像ヘッダ中から、設定パスワードを読み取り、次に、入力された入力パスワードと当該設定パスワードとの合致を確認し、ここで、当該設定パスワードと当該入力パスワードが合致した場合、さらに、セキュリティ画像を読み取り、その後、当該セキュリティ画像に対して画像の歪みを補正して当該原稿画像に基づく復元画像を作成する画像逆歪み処理を実施し、最後に、当該復元画像を出力する、という特徴的構成手法を講じる。【００１５】  一方、本発明送信側装置においては、原稿画像を読み取る原稿画像読取部と、当該原稿画像に対して、当該原稿画像の送信側と受信側との間で予め設定された設定パスワードを当該原稿画像毎に入力するパスワード設定部と、当該原稿画像読取部から原稿画像を入力されるとともに、パスワード設定部から設定パスワードを入力されて、当該設定パスワードをパターン化して書き込んだ画像ヘッダを作成するとともに、原稿画像に対して画像を歪ませる画像歪み処理を実施して、当該画像ヘッダが付加されたセキュリティ画像を作成する画像歪み処理部と、を具備させる、という特徴的構成手段を講じる。【００１６】  他方、本発明受信側装置においては、受信側画像出力部で一旦受信印刷又は表示出力されたセキュリティ画像と、印刷又は表示出力された当該セキュリティ画像に付加されかつ予め設定されてパターン化された設定パスワードを書き込んだ画像ヘッダを読み取るセキュリティ画像読取部と、当該設定パスワードに照合する入力パスワードを入力するパスワード入力部と、当該設定パスワードと当該入力パスワードとが合致するものであった場合に、セキュリティ画像に対して画像の歪みを補正して当該原稿画像に基づく復元画像を作成する画像逆歪み処理を実施する画像逆歪み処理部と、を具備させる、という特徴的構成手段を講じる。【００１７】  また、本発明システム装置においては、通信回線と、原稿画像を画像歪み処理したセキュリティ画像を作成送信する送信側装置と、当該通信回線を介して受信又は受信出力された当該セキュリティ画像から当該原稿画像に基づく復元画像を作成する受信側装置とで構築されるセキュリティ画像通信システム装置であって、受信側装置は、上記本発明セキュリティ画像受信側装置であり、送信側装置は、上記本発明セキュリティ画像送信側装置である、という特徴的構成手段を講じる。【００１８】  さらに、本発明プログラムにおいては、送信側装置に、原稿画像を読み取る処理手順とともに、当該原稿画像の送信側と受信側との間で予め設定された設��パスワードを入力する処理手順と、を実行させ、当該設定パスワードをパターン化して書き込んだ画像ヘッダを作成させる処理手順と、原稿画像に対して画像を歪ませる画像歪み処理を実行する処理手順と、画像ヘッダを付加してセキュリティ画像を作成する処理手順と、セキュリティ画像を受信側装置に送信する処理手順と、を順次実行させて、一方、受信側装置に、送信側装置から受信して出力されたセキュリティ画像の画像ヘッダ中から、設定パスワードを読み取る処理手順とともに、当該設定パスワードに照合する入力パスワードを入力する処理手順と、を実行させた後に、入力された当該入力パスワードと当該設定パスワードとの合致を確認する処理手順を実行させ、ここで、当該設定パスワードと当該入力パスワードが合致した場合に、セキュリティ画像を読み取る処理手順と、当該セキュリティ画像に対して画像の歪みを補正して復元画像を作成する画像逆歪み処理を実行する処理手順と、当該復元画像を出力する処理手順と、を順次実行させる、という特徴的構成手順を講じる。【００１９】  加えて、本発明記録媒体においては、上記本発明プログラムにおける各処理手順の実践手続をコンピュータ読取可能に実録してなる、という特徴的構成手続を講じる。【００２０】  さらに、具体的詳細に述べると、当該課題の解決では、本発明が次に列挙する上位概念から下位概念に亙る新規な特徴的構成手法、手段、手順及び手続を採用することにより、前記目的を達成するように為される。【００２１】  即ち、本発明方法の第１の特徴は、原稿画像を画像歪み処理したセキュリティ画像を送信側装置から作成送信して、通信回線を介して受信出力された当該セキュリティ画像から当該原稿画像に基づく復元画像を受信側装置で作成出力するセキュリティ画像通信方法であって、送信側装置において、まず、原稿画像を読み取るとともに、当該原稿画像の送信側と受信側との間で予め設定された設定パスワードを入力し、次に、当該設定パスワードをパターン化して書き込んだ画像ヘッダを作成し、続いて、原稿画像に対して画像を歪ませる画像歪み処理を実施するとともに、当該画像ヘッダを付加してセキュリティ画像を作成して後、当該セキュリティ画像を受信側装置に送信し、一方、当該受信側装置において、当該受信したセキュリティ画像を一旦出力した上で、まず、設定パスワードに合致する入力パスワードを入力するとともに、送信側装置から受信して出力されたセキュリティ画像の画像ヘッダ中から、設定パスワードを読み取り、次に、入力された入力パスワードと当該設定パスワードとの合致を確認し、ここで、当該設定パスワードと当該入力パスワードが合致した場合、さらに、セキュリティ画像を読み取り、その後、当該セキュリティ画像に対して画像の歪みを補正して復元画像を作成する画像逆歪み処理を実施し、最後に、当該復元画像を出力してなる、セキュリティ画像通信方法の構成採用にある。【００２２】  本発明方法の第２の特徴は、上記本発明方法の第１の特徴における受信側装置が、別途設置された他の画像逆歪み処理をなし得ない受信側装置において、取り敢えず、送信側装置からのセキュリティ画像を事前に受信出力して置き、その後、当該出力セキュリティ画像を、画像逆歪み処理なし得る受信側装置において読み取ることにより、復元画像を作成出力してなる、セキュリティ画像通信方法の構成採用にある。【００２３】  本発明方法の第３の特徴は、上記本発明方法の第２の特徴における画像逆歪み処理をなし得ない受信側装置が、通信回線上の任意の領域に配置されたパーソナルコンピュータであって、当該パーソナルコンピュータにより、通信回線を介してセキュリティ画像を受信し、当該パーソナルコンピュータに接続されたプリンタに当該セキュリティ画像の印刷命令を通知することにより、当該プリンタにて当該セキュリティ画像を印刷してなる、セキュリティ画像通信方法の構成採用にある。【００２４】  本発明方法の第４の特徴は、上記本発明方法の第１、第２又は第３の特徴における画像歪み処理を、原稿画像をビットマップ形式として読み取り、当該原稿画像を構成するそれぞれのピクセルを、予め設定されたピクセル数分特定方向に移動させて、原稿画像に対して画像逆歪み処理により復元可能な画像歪みを発生させてなる、セキュリティ画像通信方法の構成採用にある。【００２５】  本発明方法の第５の特徴は、上記本発明方法の第１、第２、第３又は第４の特徴における送信側装置が、原稿画像に対して予め設定された図形を上書きして、当該図形が上書きされた当該原稿画像に対して画像歪み処理を行ってなる、セキュリティ画像通信方法の構成採用にある。【００２６】  本発明方法の第６の特徴は、上記本発明方法の第５の特徴における画像逆歪み処理を、セキュリティ画像中に含まれる、送信側装置により原稿画像に上書きされて画像歪み処理された図形部分を認識して、当該図形部分を、当該画像歪み処理される以前の図形に補正することで、セキュリティ画像全体を、当該図形が上書きされた原稿画像の状態に復元してなる、セキュリティ画像通信方法の構成採用にある。【００２７】  本発明方法の第７の特徴は、上記本発明方法の第１、第２、第３、第４、第５又は第６の特徴における画像歪み処理を、原稿画像の特定の範囲に対して当該画像歪み処理のスキップ指定が為された場合、当該特定の範囲はそのままに、当該特定の範囲を除く部分に対してのみ画像を歪ませてなる、セキュリティ画像通信方法の構成採用にある。【００２８】  本発明方法の第８の特徴は、上記本発明方法の第１、第２、第３、第４、第５、第６又は第７の特徴における受信側装置が、読み取った画像ヘッダに書き込まれる設定パスワードと合致する入力パスワードとは異なる入力パスワードが入力された場合には、エラーを通知して、画像逆歪み処理を中断して終了してなる、セキュリティ画像通信方法の構成採用にある。【００２９】  本発明方法の第９の特徴は、上記本発明方法の第１、第２、第３、第４、第５、第６、第７又は第８の特徴における送信側通信装置が、原稿画像の読み取りにおいて、当該原稿画像をページ単位で読み取り、当該ページ毎に、設定パスワードを書き込んだ画像ヘッダを付加したセキュリティ画像を作成してなる、セキュリティ画像通信方法の構成採用にある。【００３０】  本発明方法の第１０の特徴は、上記本発明方法の第９の特徴における受信側通信装置が、画像ヘッダ中から設定パスワードの読み取りをページ毎に行い、当該画像��ッダに書き込まれる設定パスワードに合致する入力パスワードの入力確認を、当該ページ毎に行ってなる、セキュリティ画像通信方法の構成採用にある。【００３１】  本発明方法の第１１の特徴は、上記本発明方法の第１、第２、第３、第４、第５、第６、第７、第８、第９又は第１０の特徴における復元画像の出力を、当該復元画像の自動出力の後に、受信側装置において保持された当該復元画像を削除してなる、セキュリティ画像通信方法の構成採用にある。【００３２】  一方、本発明送信側装置の第１の特徴は、通信回線を介して受信側装置に送信される、原稿画像を画像歪み処理して作成された復元可能なセキュリティ画像を作成送信するための送信側装置であって、原稿画像を読み取る原稿画像読取部と、当該原稿画像に対して、当該原稿画像の送信側と受信側との間で予め設定された設定パスワードを当該原稿画像毎に入力するパスワード設定部と、原稿画像読取部から当該原稿画像を入力されるとともに、パスワード設定部から設定パスワードを入力されて、当該設定パスワードをパターン化して書き込んだ画像ヘッダを作成するとともに、原稿画像に対して画像を歪ませる画像歪み処理を実施して、当該画像ヘッダが付加されたセキュリティ画像を作成する画像歪み処理部と、を具備してなる、セキュリティ画像送信側装置の構成採用にある。【００３３】  本発明送信側装置の第２の特徴は、上記本発明送信側装置の第１の特徴における送信側装置が、通信回線に接続されて、セキュリティ画像をエンコードして、当該通信回線を介して接続される受信側装置に対し当該セキュリティ画像を送信する画像送信部を有してなる、セキュリティ画像送信側装置の構成採用にある。【００３４】  本発明送信側装置の第３の特徴は、上記本発明送信側装置の第１又は第２の特徴における画像歪み処理部が、原稿画像読取部にてビットマップ形式として読み取られた原稿画像に対して、当該原稿画像を構成するそれぞれのピクセルを、予め設定されたピクセル数分特定方向に移動させて歪みを発生させる画像歪み処理を実施するよう機能構成されてなる、セキュリティ画像送信側装置の構成採用にある。【００３５】  本発明送信側装置の第４の特徴は、上記本発明送信側装置の第１、第２又は第３の特徴における画像歪み処理部が、原稿画像に対して予め設定された図形を上書きして、当該図形が上書きされた当該原稿画像に対して画像歪み処理を行うよう機能構成されてなる、セキュリティ画像送信側装置の構成採用にある。【００３６】  本発明送信側装置の第５の特徴は、上記本発明送信側装置の第１、第２、第３又は第４の特徴における画像歪み処理部が、読み込まれた原稿画像に対して、特定の範囲に対して画像歪み処理のスキップ指定を設定可能に保持し、当該特定の範囲はそのままに、当該特定の範囲を除く原稿画像に対してのみ画像を歪ませる画像歪み処理を実施するよう機能構成されてなる、セキュリティ画像送信側装置の構成採用にある。【００３７】  本発明送信側装置の第６の特徴は、上記本発明送信側装置の第１、第２、第３、第４又は第５の特徴における画像歪み処理部が、原稿画像読取部からページ単位で読み取られた原稿画像を入力されて、当該ページ毎に、設定パスワードを書き込んだ画像ヘッダを付加したセキュリティ画像を作成するよう機能構成されてなる、セキュリティ画像送信側装置の構成採用にある。【００３８】  本発明送信側装置の第７の特徴は、上記本発明送信側装置の第１、第２、第３、第４、第５又は第６の特徴における送信側装置が、画像歪み処理部にて当該原稿画像に基づき作成されたセキュリティ画像を出力する送信側画像出力部を具備してなる、セキュリティ画像送信側装置の構成採用にある。【００３９】  本発明送信側装置の第８の特徴は、上記本発明送信側装置の第７の特徴における送信側画像出力部が、原稿画像読取部にて読み取られた原稿画像を出力可能に当該原稿画像読取部に接続されてなる、セキュリティ画像送信側装置の構成採用にある。【００４０】  他方、本発明受信側装置の第１の特徴は、通信回線を介して送信側装置から送信された原稿画像を画像歪み処理して作成された復元可能なセキュリティ画像から、当該原稿画像に基づく復元画像を作成出力するための受信側装置であって、受信側画像出力部で一旦受信印刷又は表示出力されたセキュリティ画像と、印刷又は表示出力された当該セキュリティ画像に付加されかつ予め設定されてパターン化された設定パスワードを書き込んだ画像ヘッダを読み取るセキュリティ画像読取部と、当該設定パスワードに照合する入力パスワードを入力するパスワード入力部と、当該設定パスワードと当該入力パスワードとが合致するものであった場合に、セキュリティ画像に対して画像の歪みを補正して復元画像を作成する画像逆歪み処理を実施する画像逆歪み処理部と、を具備してなる、セキュリティ画像受信側装置の構成採用にある。【００４１】  本発明受信側装置の第２の特徴は、上記本発明受信側装置の第１の特徴における受信側装置が、通信回線に接続し、当該通信回線を介して接続される送信側装置からエンコードされたセキュリティ画像のデータを受信して、当該データを当該セキュリティ画像にデコードする画像受信部を有してなる、セキュリティ画像受信側装置の構成採用にある。【００４２】  本発明受信側装置の第３の特徴は、上記本発明受信側装置の第１又は第２の特徴における受信側画像出力部が、画像逆歪み処理部にて作成された復元画像をも印刷出力するよう機能構成されてなる、セキュリティ画像受信側装置の構成採用にある。【００４３】  本発明受信側装置の第４の特徴は、上記本発明受信側装置の第３の特徴における画像逆歪み処理部が、受信側画像出力部にて復元画像を印刷出力した後に、保持する当該復元画像を削除するように機能構成されてなる、セキュリティ画像受信側装置の構成採用にある。【００４４】  本発明受信側装置の第５の特徴は、上記本発明受信側装置の第３又は第４の特徴における受信側画像出力部が、印刷出力可能なプリンタを有してなる、セキュリティ画像受信側装置の構成採用にある。【００４５】  本発明受信側装置の第６の特徴は、上記本発明受信側装置の第３、第４又は第５の特徴における受信側画像出力部が、表示出力可能なディスプレイを有してなる、セキュリティ画像受信側装置の構成採用にある。【００４６】  本発明受信側装置の第７の特徴は、上記本発明受信側装置の第６の特徴における受信側画像出力部が、ディスプレイに表示出力されたセキュリティ画像をセキュリティ画像読取部に入力可能に接続構成されてなる、セキュリティ画像受信側装置の構成採用にある。【００４７】  本発明受信側装置の第８の特徴は、上記本発明受信側装置の第１、第２、第３、第４、第５、第６又は第７の特徴における画像逆歪み処理部が、セキュリティ画像中に含まれる、送信側装置により原稿画像に上書きされて画像歪み処理された、予め設定された図形部分を認識して、当該図形部分を、当該画像歪み処理される以前の図形に補正することで、セキュリティ画像全体を、当該図形が上書きされた原稿画像の状態に復元して復元画像を作成するよう機能構成されてなる、セキュリティ画像受信側装置の構成採用にある。【００４８】  本発明受信側装置の第９の特徴は、上記本発明受信側装置の第１、第２、第３、第４、第５、第６、第７又は第８の特徴における画像逆歪み処理部が、読み取った画像ヘッダに書き込まれる設定パスワードと合致する入力パスワードとは異なる入力パスワードが入力された場合にはエラーを通知して、画像歪み処理を中断して終了するよう機能構成されてなる、セキュリティ画像受信側装置の構成採用にある。【００４９】  本発明受信側装置の第１０の特徴は、上記本発明受信側装置の第１、第２、第３、第４、第５、第６、第７、第８又は第９の特徴における画像逆歪み処理部が、セキュリティ画像をセキュリティ画像読取部からページ単位で入力されて、当該ページ毎に、画像ヘッダに書き込まれる設定パスワードに合致する入力パスワードの入力確認を行うように機能構成されてなる、セキュリティ画像受信側装置の構成採用にある。【００５０】  また、本発明システム装置の第１の特徴は、通信回線と、原稿画像を画像歪み処理したセキュリティ画像を作成送信する送信側装置と、当該通信回線を介して受信又は受信出力された当該セキュリティ画像から当該原稿画像に基づく復元画像を作成する受信側装置とで構築されるセキュリティ画像通信システム装置であって、送信側装置が、上記本発明送信側装置の第１、第２、第３、第４、第５、第６、第７又は第８の特徴におけるセキュリティ画像送信側装置であり、受信側装置が、上記本発明受信側装置の第１、第２、第３、第４、第５、第６、第７、第８、第９又は第１０の特徴におけるセキュリティ画像受信側装置である、セキュリティ画像通信システム装置の構成採用にある。【００５１】  本発明システム装置の第２の特徴は、上記本発明システム装置の第１の特徴における送信側装置と受信側装置が、原稿画像読取部とセキュリティ画像読取部との機能を併せて構成された画像読取部と、パスワード設定部とパスワード入力部との機能を併せて構成されたパスワード設定／入力部と、画像歪み処理部と画像逆歪み処理部との機能を併せて構成されて、画像読取部とパスワード設定／入力部と接続された画像正逆歪み処理部と、を有して、セキュリティ画像を作成可能に機能構成される一方、出力された当該セキュリティ画像から復元画像を作成可能に機能構成されるセキュリティ画像送受信装置である、セキュリティ画像通信システム装置の構成採用にある。【００５２】  本発明システム装置の第３の特徴は、上記本発明システム装置の第２の特徴におけるセキュリティ画像送受信装置が、画像送信部と画像受信部との機能を併せて構成されて、通信回線に接続されるともに画像正逆歪み処理部に接続された画像送受信部を有してなる、セキュリティ画像通信システム装置の構成採用にある。【００５３】  本発明システム装置の第４の特徴は、上記本発明システム装置の第２又は第３の特徴におけるセキュリティ画像送受信装置が、送信側画像出力部と受信側画像出力部との機能を併せて構成された画像出力部を有してなる、セキュリティ画像通信システム装置の構成採用にある。【００５４】  本発明システム装置の第５の特徴は、上記本発明システム装置の第１、第２、第３又は第４の特徴におけるセキュリティ画像通信システム装置が、送信側装置から送信されたセキュリティ画像を受信する通信回線上の任意の領域に配置されたパーソナルコンピュータと、当該パーソナルコンピュータに接続されて、当該パーソナルコンピュータの印刷命令に基づきセキュリティ画像を印刷するプリンタと、を具備して、受信側装置により、当該プリンタにて印刷したセキュリティ画像を読込み、復元画像を作成可能に構築されてなる、セキュリティ画像通信システム装置の構成採用にある。【００５５】  さらに、本発明プログラムの第１の特徴は、共にコンピュータの基本的機能を具備するとともに、原稿画像を画像歪み処理したセキュリティ画像を作成送信する送信側装置と、通信回線を介して受信出力された当該セキュリティ画像から当該原稿画像に基づく復元画像を作成出力する受信側装置と、を有して構築されたネットワークシステムに適用されるセキュリティ画像通信処理プログラムであって、送信側装置に、原稿画像を読み取る処理手順とともに、当該原稿画像の送信側と受信側との間で予め設定された設定パスワードを入力する処理手順と、を実行させ、当該設定パスワードをパターン化して書き込んだ画像ヘッダを作成させる処理手順と、原稿画像に対して画像を歪ませる画像歪み処理を実行する処理手順と、画像ヘッダを付加してセキュリティ画像を作成する処理手順と、当該セキュリティ画像を受信側装置に送信する処理手順と、を順次実行させて、一方、受信側装置に、送信側装置から受信して出力されたセキュリティ画像の画像ヘッダ中から、設定パスワードを読み取る処理手順とともに、当該設定パスワードに照合する入力パスワードを入力する処理手順と、を実行させた後に、入力された当該入力パスワードと当該設定パスワードとの合致を確認する処理手順を実行させ、ここで、当該設定パスワードと当該入力パスワードが合致した場合に、セキュリティ画像を読み取る処理手順と、当該セキュリティ画像に対して画像の歪みを補正して復元画像を作成する画像逆歪み処理を実行する処理手順と、当該復元画像を出力する処理手順と、を順次実行させてなる、セキュリティ画像通信処理プログラムの構成採用にある。【００５６】  本発明プログラムの第２の特徴は、上記本発明プログラムの第１の特徴における受信側装置における設定パスワードを読み取る処理手順を、別途設置された他の従来の受信側装置において、送信側装置から送信されたセキュリティ画像を一旦受信出力する処理手順を事前に実行させた後に実行させてなる、セキュリティ画像通信処理プ���グラムの構成採用にある。【００５７】  本発明プログラムの第３の特徴は、上記本発明プログラムの第２の特徴における送信側装置から送信されたセキュリティ画像を一旦受信出力する処理手順を、別途設置された他の従来の受信側装置として通信回線上の任意の領域に配置されたパーソナルコンピュータに、通信回線を介してセキュリティ画像を受信させる手順と、当該パーソナルコンピュータから、当該パーソナルコンピュータに接続されたプリンタに当該セキュリティ画像の印刷命令を通知することにより、当該プリンタにて当該セキュリティ画像を印刷させる手順と、を順次実行させてなる、セキュリティ画像通信処理プログラムの構成採用にある。【００５８】  本発明プログラムの第４の特徴は、上記本発明プログラムの第１、第２又は第３の特徴における画像歪み処理を実行する処理手順を、予め、原稿画像を読み取る処理手順として、当該原稿画像をビットマップ形式として読み取る処理手順を実行させた上で、当該原稿画像を構成するそれぞれのピクセルを、予め設定されたピクセル数分特定方向に移動させる処理手順を実行させてなる、セキュリティ画像通信処理プログラムの構成採用にある。【００５９】  本発明プログラムの第５の特徴は、上記本発明プログラムの第１、第２、第３又は第４の特徴における画像歪み処理を実行する処理手順を、原稿画像に対して予め設定された図形を上書きする処理手順と、当該図形が上書きされた当該原稿画像に対して画像歪み処理を行う処理手順と、を順次実行させてなる、セキュリティ画像通信処理プログラムの構成採用にある。【００６０】  本発明プログラムの第６の特徴は、上記本発明プログラムの第５の特徴における画像逆歪み処理を実行する処理手順を、セキュリティ画像中に含まれる、送信側装置により原稿画像に上書きされて画像歪み処理された図形部分を認識する処理手順と、当該図形部分を、当該画像歪み処理される以前の図形に補正することで、セキュリティ画像全体を、当該図形が上書きされた原稿画像の状態に復元する処理手順と、を順次実行させてなる、セキュリティ画像通信処理プログラムの構成採用にある。【００６１】  本発明プログラムの第７の特徴は、上記本発明プログラムの第１、第２、第３、第４、第５又は第６の特徴における画像歪み処理を実行する処理手順を、原稿画像の特定の範囲に対して画像歪み処理のスキップ指定を確認する処理手順と、当該スキップ指定を確認する処理手順において、当該スキップ指定が設定されていた場合に、当該特定の範囲はそのままに、当該特定の範囲を除く部分に対してのみ画像を歪ませる処理手順を実行させてなる、セキュリティ画像通信処理プログラムの構成採用にある。【００６２】  本発明プログラムの第８の特徴は、上記本発明プログラムの第１、第２、第３、第４、第５、第６又は第７の特徴における入力パスワードと設定パスワードとの合致を確認する処理手順を、読み取った画像ヘッダに書き込まれる当該設定パスワードと合致する当該入力パスワードとは異なる入力パスワードが入力された場合には、エラーを通知して処理を中断し終了する処理手順を実行させてなる、セキュリティ画像通信処理プログラムの構成採用にある。【００６３】  本発明プログラム��第９の特徴は、上記本発明プログラムの第１、第２、第３、第４、第５、第６、第７又は第８の特徴におけるセキュリティ画像を作成する処理手順を、原稿画像を読み取る処理手順において事前に当該原稿画像をページ単位で読み取り設定された場合に、当該ページ単位で作成するセキュリティ画像に対して、当該ページ毎に設定パスワードを書き込んだ画像ヘッダを付加する処理手順を実行させてなる、セキュリティ画像通信処理プログラムの構成採用にある。【００６４】  本発明プログラムの第１０の特徴は、上記本発明プログラムの第９の特徴における入力パスワードと設定パスワードとの合致を確認する処理手順を、当該設定パスワードを読み取る処理手順において事前にページ毎に当該設定パスワードが設定されていた場合に、当該ページ毎に入力パスワードと当該設定パスワードとの合致を確認する処理手順を実行させてなる、セキュリティ画像通信処理プログラムの構成採用にある。【００６５】  本発明プログラムの第１１の特徴は、上記本発明プログラムの第１、第２、第３、第４、第５、第６、第７、第８、第９又は第１０の特徴における復元画像を出力する処理手順を、当該復元画像の出力の後に、受信側装置において保持された当該復元画像を削除する処理手順を実行させてなる、セキュリティ画像通信処理プログラムの構成採用にある。【００６６】  また、本発明記録媒体の第１の特徴は、上記本発明プログラムの第１、第２、第３、第４、第５、第６、第７、第８、第９、第１０又は第１１の特徴におけるセキュリティ画像通信処理プログラムにおける各処理手順の実行手続をコンピュータ読取可能に実録してなる、セキュリティ画像通信処理プログラムを記録した記録媒体の構成採用にある。
【発明の効果】
【００６７】  本発明によれば、送信側装置にてセキュリティ画像に設定される設定パスワードに合致する入力パスワードを通知された特定の受信者以外に対して画像の判読を困難として、特定の受信者のみが内容を判読することができ、かつ、高価な暗号／復号化装置を別途必要としない画像通信が可能となり、また、一度判読が困難なものであるセキュリティ画像を受信し、出力した上で、受信側装置にて新たに読み込むことで復元画像を作成するものであることから、受信者にとって容易に受信があったことを認識することが可能となる。【００６８】  さらに、特定の送信側装置及び受信側装置に依存する暗号／復号化を行うものではなく、画像歪み処理されたセキュリティ画像をそのまま出力して、この出力された歪み処理されたセキュリティ画像を新たに読み込み、復元を行うものであるから、受信者は、特定の受信側装置における受信に限定されずに、任意の従来の受信手段によるセキュリティ画像の受信を行うことも可能であり、受信出力した受信側装置と同時に搭載される又は別途備えた画像逆歪み処理を行う機能により復元画像を作成することが可能となる。【００６９】  送信側装置の通信出力部にディスプレイ及びプリンタを装備し、原稿画像、歪み画像、組み合わせ画像等をその都度チェックして送信画像の正確を期すとともに、相手がその問合せに対し即答可能な送信記録資料を印刷保管可能であるばかりか、セキュリティ画像の受信出力は従来のファックス等で可能であるから、受信出力と復元再生は別箇に行うことが出来て、受信の便利さと秘密性をより高める等優れた効果を有する。
【図面の簡単な説明】
【００７０】
【図１】本発明の一実施形態例に係る装置例１としてのセキュリティ画像通信システム装置を示すシステム構成図である。
【図２】同上の一実施形態例に係る装置例２としてのセキュリティ画像通信システム装置を示すシステム構成図である。
【図３】同上の一実施形態例に係る装置例３としてのセキュリティ画像通信システム装置を示すシステム構成図である。
【図４】同上のセキュリティ画像に付加される画像ヘッダの例である。
【図５】同上のセキュリティ画像通信システム装置に適用される原稿画像として、「Ａ」、「Ｂ」二つのキャラクタよりなる原稿画像例である。
【図６】図４に示した原稿画像に対して、処理例における画像歪み処理のピクセル行毎に１ピクセルの移動処理を実行した場合の画像歪み例である。
【図７】同上のセキュリティ画像通信システム装置が適用される他の原稿画像例に図形が上書きされた画像例である。
【図８】図６に示した原稿画像例に対してピクセル行毎に１ピクセルの移動による画像歪み処理を実施した場合の画像歪み例である。
【図９】図６に示した原稿画像例に対してピクセル行毎に３ピクセルの移動による画像歪み処理を実施した場合の画像歪み例である。
【図１０】本発明の実施の形態におけるセキュリティ画像送信側装置に適用するセキュリティ画像通信方法を説明するためのシーケンス図である。
【図１１】同上の画像歪み処理について詳細に説明するためのフローチャートである。
【図１２】同上におけるセキュリティ画像受信側装置でセキュリティ画像を受信して出力する際に適用されるセキュリティ画像通信方法を説明するためのシーケンス図である。
【図１３】同上したセキュリティ画像をパーソナルコンピュータとプリンタとを用いて受信、出力する際に適用されるセキュリティ画像通信方法を説明するためのシーケンス図である。
【図１４】同上のセキュリティ画像受信側装置における出力されたセキュリティ画像から復元画像を作成する際に適用されるセキュリティ画像通信方法を説明するためのシーケンス図である。
【図１５】同上した画像逆歪み処理について詳細に説明するためのフローチャートである。
【符号の説明】
【００７１】  α，β，γ…セキュリティ画像通信システム装置
Ａ…セキュリティ画像送信側装置
Ｂ…セキュリティ画像受信側装置
Ｃ，Ｃ´…セキュリティ画像送受信装置
Ｄ…従来の受信側装置
Ｎ…通信回線
ａ１…原稿画像読取部
ａ２…パスワード設定部
ａ３…画像歪み処理部
ａ４…画像送信部
ａ５…送信側画像出力部
ｂ１…セキュリティ画像読取部
ｂ２…パスワード入力部
ｂ３…画像逆歪み処理部
ｂ４…画像受信部
ｂ５…受信側画像出力部
ｃ１…画像読取部
ｃ２…パスワード設定／入力部
ｃ３…画像正逆歪み処理部
ｃ４…画像送受信部
ｃ５…画像出力部
ｄ１…パーソナルコンピュータ
ｄ２…プリンタ
１…セキュリティ画像
１１…画像ヘッダ
１１ａ…設定パスワードパターン部
１１ｂ…送信日時記録部
１１ｃ…セキュリティ画像明示部
１２…セキュリティ画像部
【発明を実施するための最良の形態】
【００７２】  以下、本発明の実施の形態につき、装置例及びこれに対応する方法例を添付図面を参照しつつ、本発明をページ単位に送受信される画像に適用した場合を例に挙げて順に説明し、これに引続き、この方法例を具現化するプログラム例及び記録媒体例を説明する。【００７３】  （装置例１）
まず、図１は、本発明の一実施形態例に係る装置例１としてのセキュリティ画像通信システム装置を示すシステム構成図である。ここで、セキュリティ画像送信側装置Ａ及びセキュリティ画像受信側装置Ｂ内部に示した各構成部間の信号フローを、セキュリティ画像送信側装置Ａから通信回線Ｎまでを実線矢印で、一方、通信回線Ｎからセキュリティ画像受信側装置Ｂまでを点線矢印で示している。【００７４】  同図に示すように、本装置例にかかるセキュリティ画像通信システム装置αは、通信回線Ｎと、原稿画像を画像歪み処理したセキュリティ画像を作成送信するセキュリティ画像送信側装置Ａと、例えば、電話回線やインターネット等の通信回線Ｎを介して受信出力されたセキュリティ画像から当該原稿画像に基づく復元画像を作成するセキュリティ画像受信側装置Ｂとで構築されて、セキュリティ画像送信側装置Ａはセキュリティ画像受信側装置Ｂとともに、例えば、従来の受信側装置Ｄに対してもセキュリティ画像を送信可能に接続されている。【００７５】  セキュリティ画像送信側装置Ａは、例えば、ＣＰＵ（Ｃｅｎｔｒａｌ  Ｐｒｏｃｅｓｓｉｎｇ  Ｕｎｉｔ）とメモリ等を搭載して、通信回線Ｎを介してセキュリティ画像受信側装置Ｂに送信される、原稿画像を画像歪み処理して作成された復元可能なセキュリティ画像を作成するための送信側装置であって、原稿画像を読み取る原稿画像読取部ａ１と、原稿画像に対して、原稿画像の送信側と受信側との間で予め設定された設定パスワードを原稿画像毎に入力するパスワード設定部ａ２と、原稿画像読取部ａ１から、例えば、ビットマップ形式等で原稿画像を入力されるとともに、パスワード設定部ａ２から設定パスワードを入力されて、この設定パスワードを、例えばバイナリコードに変換する等によりパターン化して書き込んだ画像ヘッダを作成するとともに、原稿画像に対して画像を歪ませる画像歪み処理を実施して、画像ヘッダが付加されたセキュリティ画像を作成する画像歪み処理部ａ３と、を具備する。【００７６】  加えて、セキュリティ画像送信側装置Ａは、通信回線Ｎに接続されて、セキュリティ画像をエンコードして、通信回線Ｎを介して接続されるセキュリティ画像受信側装置Ｂ又は従来の受信側装置Ｄに対しセキュリティ画像を送信する画像送信部ａ４を有してもよく、画像送信部ａ４は、従来の画像を送信可能な通信装置であっても構わない。【００７７】  ここで、画像歪み処理部ａ３は、原稿画像読取部ａ１にて、例えば、ビットマップ形式として読み取られた原稿画像に対して、この原稿画像を構成するそれぞれの、例えば、白と黒の２色を示すビット又はピクセル等を、予め設定された数分だけ、例えば、１行ずつ特定方向に移動させることで画像に復元可能な歪みを発生させて、画像歪み処理を実施するよう機能構成されて、容易に原稿画像を判読できないように機能する。【００７８】  また、画像歪み処理部ａ３は、画像歪み処理を行うにあたり、原稿画像に対して予め送信者側と受信者側とで設定された、例えば、水平線や垂直線等の画像歪み処理後にも容易に認識可能な図形を上書きして、この図形が上書きされた原稿画像に対して画像歪み処理を行うよう機能構成されることにより、セキュリティ画像受信側装置��にて復元される際に、この図形を認識して画像逆歪み処理の指標とすることができるようにしてもよく、より正確な復元を可能とするものである。【００７９】  さらに、画像歪み処理部ａ３は、原稿画像読取部ａ１にて読み込まれた原稿画像に対して、特定の範囲、例えば、受信者、件名、ページ数等の情報を含むような１ページ全体や、画像の一領域等に対してのみ画像歪み処理を行わない、予め設定された特定範囲のスキップ指定を設定可能に保持して、このスキップ指定された特定の範囲はそのままに、スキップ指定された範囲以外の原稿画像の領域に対してのみ画像を歪ませる画像歪み処理を実施するよう機能構成されてもよい。【００８０】  原稿画像読取部ａ１にてページ単位で原稿画像が読み込まれた場合、画像歪み処理部ａ３は、このページ単位の原稿画像を入力されるものであるが、このページ毎に設定パスワードを書き込んだ画像ヘッダを付加したセキュリティ画像を作成するように機能構成されてもよい。【００８１】  なお、セキュリティ画像送信側装置Ａは、さらに、画像歪み処理部ａ３にてこの原稿画像に基づき作成されるセキュリティ画像を出力する、例えば、表示出力可能なディスプレイや印刷出力可能なプリンタ、あるいはメモリや別途具備する記憶装置にファイル出力可能に構成される送信側画像出力部ａ５を具備してもよく、送信側画像出力部ａ５は画像歪み処理部ａ３に接続される。【００８２】  さらに、この送信側画像出力部ａ５を原稿画像読取部ａ１に接続させて、原稿画像読取部ａ１にて読み取られた原稿画像を出力可能に機能構成されてもよい。【００８３】  一方、セキュリティ画像受信側装置Ｂは、例えば、セキュリティ画像送信側装置Ａと同様のＣＰＵとメモリ等を搭載して、通信回線Ｎを介してセキュリティ画像送信側装置Ａから送信された原稿画像を画像歪み処理して作成された復元可能なセキュリティ画像から、この原稿画像に基づく復元画像を作成するための受信側装置であって、受信側画像出力部ｂ５で一旦受信印刷又は表示出力されたセキュリティ画像と、印刷又は表示出力された当該セキュリティ画像に付加されかつ予め設定されて、例えば、バイナリコード変換等によりパターン化された設定パスワードを書き込まれた画像ヘッダを読み取るセキュリティ画像読取部ｂ１と、設定パスワードに照合する入力パスワードを入力するパスワード入力部ｂ２と、この設定パスワードと入力パスワードとが合致するか確認して、合致するものであった場合に、セキュリティ画像に対して画像の歪みを補正して復元画像を作成する画像逆歪み処理を実施する画像逆歪み処理部ｂ３と、を具備する。【００８４】  加えて、セキュリティ画像受信側装置Ｂは、通信回線Ｎに接続されて、通信回線Ｎを介して接続されるセキュリティ画像送信側装置Ａからエンコードされたセキュリティ画像のデータを受信して、当該データをセキュリティ画像にデコードする画像受信部ｂ４を有してもよく、画像受信部ｂ４は、従来の画像を受信可能な通信装置であっても構わない。【００８５】  また、受信側画像出力部ｂ５は、画像逆歪み処理部ｂ３にて作成された復元画像を印刷出力するよう機能構成されてもよく、画像受信部ｂ４と受信側画像出力部ｂ５を併せて具備した場合、受信側画像出力部ｂ５は、通信回線Ｎを介して画像受信部ｂ４にて受信したセキュリティ画像を、セキュリティ画像読取部ｂ１にて読み取り可能に出力するよう機能構成されるとよい。【００８６】  なお、画像逆歪み処理部ｂ３により作成された復元画像が、画像逆歪み処理部ｂ３に接続された受信側画像出力部ｂ５にて印刷出力されたときには、画像逆歪み処理部ｂ３に保持される復元画像のデータを削除するように機能構成されることで、より確実にセキュリティを保持することが可能となる。【００８７】  また、この受信側画像出力部ｂ５は、例えば、印刷出力可能なプリンタを有して、セキュリティ画像送信側装置Ａから送信されたセキュリティ画像を印刷することも可能でありまた、画像逆歪み処理部ｂ３にて作成された復元画像を印刷することも可能に機能構成されてもよく、さらに、受信側画像出力部ｂ５が、例えば、表示出力可能なディスプレイを有してもよく、もちろん、プリンタとディスプレイとの双方を併せて有しても構わず、印刷出力されたセキュリティ画像又は別途設置された従来の受信側装置Ｄにて受信印刷されたセキュリティ画像をセキュリティ画像読取部ｂ１にて読み取るように構成される。【００８８】  ここで、受信側画像出力部ｂ５が、ディスプレイを有して、このディスプレイに表示出力されたセキュリティ画像を、セキュリティ画像読取部ｂ１に入力可能に機能構成されるときには、受信側画像出力部ｂ５はセキュリティ画像読取部ｂ１と接続構成されても構わない。【００８９】  画像逆歪み処理部ｂ３は、セキュリティ画像中に含まれる、セキュリティ画像送信側装置Ａの画像歪み処理部ａ３により原稿画像に上書きされて画像歪み処理された、予め送信側と受信側とで設定された、例えば、水平線や垂直線等が画像歪み処理された図形部分を認識して、この図形部分を指標としてセキュリティ画像の画像歪み処理された部分を一体に、画像歪み処理とは逆方向に画像を歪めるような画像逆歪み処理を実施して、セキュリティ画像全体を図形が上書きされた原稿画像の状態に復元して復元画像を作成するよう機能構成されてもよく、これにより外部要因により歪みが発生した場合でも、画像歪み処理される以前の画像に正確に補正することができる。【００９０】  また、画像逆歪み処理部ｂ３は、セキュリティ画像読取部ｂ１により読み取ったセキュリティ画像に付加された画像ヘッダに書き込まれる設定パスワードと合致する入力パスワードとは異なる入力パスワードが入力された場合にはエラーを通知して、画像歪み処理を中断して終了するよう機能構成されてもよい。【００９１】  さらに、画像逆歪み処理部ｂ３は、セキュリティ画像をセキュリティ画像読取部ｂ１からページ単位で入力された場合、このセキュリティ画像の各ページ毎に、各ページの画像ヘッダを読み取って、画像ヘッダ中の設定パスワードに合致する入力パスワードの入力確認を全ページに亙って繰り返し行うように機能構成されてもよい。【００９２】  （装置例２）
次に、図２は、本発明の一実施形態例に係る装置例２としてのセキュリティ画像通信システム装置を示すシステム構成図である。ここで、同図に示したセキュリティ画像送受信装置Ｃ内部の各構成部間の接続関係は、図１に示した送信側信号のフローを示す実線矢印と受信側信号のフローを示す点線矢印と同一又は同等のものである。【００９３】  図２は、図１に示したセキュリティ画像送信側装置Ａとセキュリティ画像受信側装置Ｂがそれぞれ具備する各機能構成部を同時に具備するセキュリティ画像送受信装置Ｃが通信回線Ｎに接続されて、セキュリティ画像の送受信を可能とするセキュリティ画像通信システム装置βである。【００９４】  同図に示すように、セキュリティ画像送受信装置Ｃは、例えば、セキュリティ画像送信側装置Ａ及びセキュリティ画像受信側装置Ｂと同様のＣＰＵとメモリ等を搭載して、図１に示した、原稿画像読取部ａ１とセキュリティ画像読取部ｂ１との機能を併せて構成された画像読取部ｃ１と、パスワード設定部ａ２とパスワード入力部ｂ２との機能を併せて構成されたパスワード設定／入力部ｃ２と、画像歪み処理部ａ３と画像逆歪み処理部ｂ３との機能を併せて構成された画像正逆歪み処理部ｃ３とを有して、セキュリティ画像を作成可能に機能構成される一方、出力されたセキュリティ画像から復元画像を作成可能に機能構成される。【００９５】  加えて、セキュリティ画像送受信装置Ｃは、図１に示した画像送信部ａ４と画像受信部ｂ４との機能を併せて構成されて、通信回線Ｎに接続されるとともに画像正逆歪み処理部ｃ３に接続された画像送受信部ｃ４を有してもよいものであるが、画像送受信部ｃ４は、従来の手段による画像を送受信可能な通信装置であっても構わない。【００９６】  また、併せて送信側画像出力部ａ５と受信側画像出力部ｂ５との機能を併せて構成された画像出力部ｃ５を有しても構わず、これにより画像出力部ｃ５は、画像正逆歪み処理部ｃ３にて作成された復元画像を出力するとともに、画像送受信部ｃ４にて受信したセキュリティ画像を出力可能に構成される。【００９７】  なお、画像出力部ｃ５は、例えば、ファクシミリ等の送受信における印刷出力可能にプリンタ等を有して構成された場合には、画像送受信部ｃ４にて受信したセキュリティ画像を印刷出力して、この印刷出力されたセキュリティ画像又は別途設置された従来の受信側装置Ｄにて受信出力されたセキュリティ画像を画像読取部ｃ１にて読み取るように構成される。【００９８】  一方、画像出力部ｃ５が、例えば、電子メール等の送受信における表示出力可能にディスプレイ等を有して構成された場合には、画像送受信部ｃ４にて受信したセキュリティ画像をこのディスプレイに表示出力して、接続される画像読取部ｃ１にそのままセキュリティ画像を出力可能に構築されても構わない。【００９９】  以上のように構成されたセキュリティ画像送受信装置Ｃは、原稿画像からセキュリティ画像を作成して、セキュリティ画像受信側装置Ｂ又はセキュリティ画像送受信装置Ｃと同様の構成であるセキュリティ画像送受信装置Ｃ´に対して送信可能に構成されるとともに、セキュリティ画像送信側装置Ａ又はセキュリティ画像送受信装置Ｃ´から送信されたセキュリティ画像を受信���又は他の受信側装置Ｄにて受信出力して、このセキュリティ画像から復元画像を作成可能に構成される。【０１００】  （装置例３）
続いて、図３は、本発明の一実施形態例に係る装置例３としてのセキュリティ画像通信システム装置を示すシステム構成図である。【０１０１】  同図に示すように、本装置例に係るセキュリティ画像通信システム装置γは、図１及び図２に示した従来の受信側装置Ｄに替えて、例えば、インターネット等の通信回線Ｎを介してセキュリティ画像送信側装置Ａあるいはセキュリティ画像送受信側装置Ｃからセキュリティ画像を受信可能なコンピュータの基本機能を具備したパーソナルコンピュータｄ１と、パーソナルコンピュータｄ１からの印刷命令に従い所定のデータを印刷可能なプリンタｄ２とを有して構成される。【０１０２】  このとき、セキュリティ画像通信システム装置γは、プリンタｄ２にて印刷出力されたセキュリティ画像を、図１あるいは図２に示したセキュリティ画像受信側装置Ｂあるいはセキュリティ画像送受信側装置Ｃ´にて読取るとともに、受信側ユーザの読取可能な復元画像を作成、出力可能に構築されるとよい。【０１０３】  これにより、セキュリティ画像の受信側では、セキュリティ画像の受信機能を搭載する専用の装置を必要とすることなく、インターネット等の通信回線Ｎに接続された任意のパーソナルコンピュータｄ１にてセキュリティ画像を受信、印刷出力することが可能となるとともに、この任意のパーソナルコンピュータｄ１にて受信可能な画像は読取が困難なセキュリティ画像のみであることから、機密性やプライバシーを十分に担保することができる。【０１０４】  ［セキュリティ画像例］
続いて、本装置例において適用されるセキュリティ画像例について説明する。
まず、図４は、本画像例に付加される画像ヘッダの例である。以下、本画像例においては、装置例１のセキュリティ画像送信側装置Ａとセキュリティ画像受信側装置Ｂとで説明するものの、装置例２のセキュリティ画像通信システム装置βあるいはセキュリティ画像通信システム装置γに適用するものであっても構わない。【０１０５】  同図に示すように、本画像例におけるセキュリティ画像１は、例えば、ページ先頭等のセキュリティ画像１の先頭部に、画像歪み処理部ａ３により付加された画像ヘッダ１１と、同じく画像歪み処理部ａ３により原稿画像に対して歪みを生じさせた画像で構成されるセキュリティ画像部１２とからなる。【０１０６】  ここで、画像ヘッダ１１は、セキュリティ画像送信側装置Ａのパスワード設定部ａ２にて設定入力された、予め送信側及び受信側で設定された設定パスワードを、画像歪み処理部ａ３にて、判読不能な形式の、例えば、バイナリコード等に変換することによりパターン化された設定パスワードパターン部と、他に、例えば、送信日時が記載される送信日時記録部１１ｂと、後に続く判読不能な画像がセキュリティ画像であることを受信者に通知して誤解を与えないように、例えば、「セキュリティ画像」と記載して明示セキュリティ画像明示部１１ｃ等で構成される。【０１０７】  この設定パスワードパターン部１１ａは、セキュリティ画像受信側装置Ｂのセキュリティ画像読取部ｂ１で読み取られるものであり、画像逆歪み処理部ｂ３では、この設定パスワードと合致する予め送信側及び受信側において設定された入力パスワードが入力された場合にのみ、セキュリティ画像部１２から復元画像の作成を可能とするものである。【０１０８】  ［画像歪み処理例］
一方、セキュリティ画像部１２は、画像歪み処理部ａ３にて原稿画像に対して画像歪み処理されて作成されるものであるが、ここで、その画像歪み処理例について詳説する。【０１０９】  図５は、本処理例を適用される原稿画像として、「Ａ」、「Ｂ」二つのキャラクタよりなる原稿画像例であり、図５は、図４に示した原稿画像に対して、本処理例における画像歪み処理例の、例えば、１ピクセルの移動処理を実施した場合の画像歪み例である。【０１１０】  本処理例では、原稿画像読取部ａ１にてビットマップ形式で読み込まれた図４に示すような原稿画像に対し、最も簡単な、それぞれのピクセル行を１ピクセルずつ平行移動させることにより１ピクセルの画像歪み処理を実施したものであるが、各ピクセル行の移動させるピクセル数に任意の値を採用して画像歪み処理することで、原稿画像に記載される情報の判読を困難なものとする。【０１１１】  なお、図６は、図５と比較してピクセルの移動方向に伸長された画像サイズとなっているが、ファクシミリ等の画像サイズが規定されている場合、後述するように、伸長された部分をピクセルの移動方向とは逆の付加された空白部分に配置することで、原稿画像と同じ画像サイズを保つことができる。【０１１２】  続いて、図７乃至図９を用いて画像歪み処理例を詳説する。
図７は、本処理例が適用される他の原稿画像例に中央交差する２直線からなる図形を上書きされた画像例であり、図８及び図９は、図７に示した図形を上書きされた原稿画像例に対して画像歪み処理例を実施した場合の画像歪み例である。【０１１３】  図７の原稿画像には、画像逆歪み処理部ｂ３にて復元が容易となるように、原稿画像中央で交差する２本の斜線を別途原稿画像に対して上書きした例であり、この図形を上書きされた原稿画像に対して、原稿画像を構成するそれぞれのピクセルの各行を１ピクセルずつ移動させたものが図８であり、３ピクセルずつ移動させたものが図９である。【０１１４】  図８及び図９に示すように、各ピクセル行の移動させるピクセル数を増大することで原稿画像の判読を困難にすることができ、移動させるピクセル数は、セキュリティ画像送信側装置Ａとセキュリティ画像受信側装置Ｂとで予め設定された任意のピクセル数であって構わない。【０１１５】  ここで、図７乃至図９は、原稿画像に対して、別途任意の図形を上書きしてから画像歪み処理を実施させたものであるが、例えば、水平線や垂直線などを原稿画像に上書きすることにより、このセキュリティ画像を画像逆歪み処理部ｂ３にて復元する際に、受信時や出力時及び読み取り時に画像に歪みが発生した場合にも、画像逆歪み処理を実施するピクセル位置を適切に認識することができ、より正確な復元画像を得ることができる。【０１１６】  また、図８及び図９に示すように、各ピクセルの移動に伴い発生する、原稿図形と比較して伸長する範囲の図形は、同じ画像歪み処理により生じる図形の空白部分にシフトすることで、原稿画像とセキュリティ画像との画像サイズが同一に保たれる。【０１１７】  なお、ここではピクセル単位での画像歪み処理例及び画像逆歪み処理例を説明したが、ビットマップ形式で読み取られた原稿画像に対してビット単位で画像歪み処理を行い、続いて、この作成されたセキュリティ画像に対して、ビット単位による画像逆歪み処理を行うことも可能である。【０１１８】  なお、図８又は図９に示すセキュリティ画像１を読み取るセキュリティ画像受信側装置Ｂは、このセキュリティ画像１から、画像歪み処理の対象となった原稿画像に基づく復元画像を作成するよう機能構成されるものであるが、ここで作成される復元画像は、セキュリティ画像受信側装置Ｂを利用するユーザが読み取り可能な、例えば、原稿画像と同等のものであり、また、図７に示した原稿画像に図形を上書きされたものであっても構わない。【０１１９】  （方法例）
続いて、以上のように構築されたセキュリティ画像通信システム装置αを用いて原稿画像を画像歪み処理したセキュリティ画像１をセキュリティ画像送信側装置Ａから作成送信して、通信回線Ｎを介して受信出力されたこのセキュリティ画像１からこの原稿画像に基づく復元画像をセキュリティ画像受信側装置Ｂで作成出力するセキュリティ画像通信方法の具体例を説明するものであるが、セキュリティ画像通信システム装置βあるいはセキュリティ画像通信システム装置γに対しても同様に適用される。【０１２０】  まず、図１０は、本発明のセキュリティ画像送信側装置におけるセキュリティ画像通信方法を説明するためのシーケンス図である。【０１２１】  同図に示すように、本形態例では、セキュリティ画像送信側装置Ａの原稿画像読取部ａ１において、まず、原稿画像を、例えば、スキャナ等で読み取って画像歪み処理部ａ３に出力する（ＳＴ１）とともに、パスワード設定部ａ２から画像歪み処理部ａ３に向けてこの原稿画像の送信側と受信側との間で予め設定された設定パスワードを入力する（ＳＴ２）。【０１２２】  次いで、それぞれ入力された画像歪み処理部ａ３において、この設定パスワードをパターン化した、例えば、設定パスワードパターン部１１ａを書き込んだ画像ヘッダ１１を作成する（ＳＴ３）。ここで、画像ヘッダ１１には、設定パスワードパターン部１１ａの他に、例えば、送信日時記録部１１ｂやセキュリティ画像明示部１１ｃ等を書き込むように設定されても構わない。【０１２３】  続いて、画像歪み処理部３ａに入力された原稿画像の、例えば、受信者名やページ数、件名等を記載した１ページ全体や特定領域等の特定の範囲に対しては画像を歪ませる画像歪み処理を行わない、画像歪み処理スキップ指定が事前に設定されているか確認して（ＳＴ４）もよく、ここで、スキップ指定が設定されていた場合には、この特定の範囲に対しては次に実施する画像歪み処理を行わずに原稿画像の画像状態のままとして、この特定の範囲を除くその他の領域についてのみ、もしくはスキップ指定が設定されない場合にその原稿画像に対して、画像歪み処理部ａ３により画像歪み処理を行い（ＳＴ５）、セキュリティ画像１のセキュリティ画像部１２を作成する。【０１２４】  引続き、画像歪み処理部ａ３において、ＳＴ３において作成したパターン化された設定パスワードである設定パスワードパターン部１１ａを書き込んだ画像ヘッダ１１をＳＴ５にて作成した画像歪み処理されたセキュリティ画像部１２に付加してセキュリティ画像１を作成して（ＳＴ６）、例えば、このとき、このセキュリティ画像１を画像送信部ａ４に出力して、画像送信部ａ４が出力されたセキュリティ画像１を、接続された通信回線Ｎを介して所望のセキュリティ画像受信側装置Ｂに送信可能にエンコードして（ＳＴ７）、セキュリティ画像受信側装置Ｂに向けて送信する（ＳＴ８）。【０１２５】  また、例えば、ＳＴ１にて原稿画像読取部ａ１にて原稿画像をページ単位にて読み取って、このページ単位毎に複数ページに亙って送信する場合には、画像歪み処理部ａ３のＳＴ６において、このページ毎にセキュリティ画像１を作成した後に、全てのページを処理したものであるか確認して（ＳＴ９）、未処理の原稿画像のページがある場合には、再度画像歪み処理のＳＴ４からＳＴ６を繰り返すようにするとよい。【０１２６】  このとき、ここで作成されるセキュリティ画像１のページ毎に、イメージ化された設定パスワードである設定パスワードパターン部１１ａを書き込んだ画像ヘッダ１１を付加することもでき、また、付加する画像ヘッダ１１に書き込む設定パスワードについても、ページ毎に任意に設定、変更可能なものとすることもできる。【０１２７】  なお、画像送信部ａ４は適時に通信回線Ｎとの回線接続及び回線切断を可能とするようにしても構わない。【０１２８】  また、セキュリティ画像送信側装置Ａに、送信側画像出力部ａ５を具備させた場合には、ＳＴ６にて作成したセキュリティ画像１を画像送信部ａ４に出力する（ＳＴ６ａ）とともに、送信側画像出力部ａ５に出力させることにより、送信側で作成したセキュリティ画像１の確認が可能となる。また、ＳＴ１にて原稿画像を読み取り、画像歪み処理部ａ３に出力するとともに送信側画像出力部ａ５に出力する（ＳＴ１ａ）ようにしてもよい。【０１２９】  さらに、セキュリティ画像送信側装置ＡのＳＴ６おいて作成されるセキュリティ画像１は、例えば、ビットマップ形式等の既存の画像形式データであることから、セキュリティ画像１作成後のセキュリティ画像受信側装置Ｂへ送信する前にコンピュータ等でこのセキュリティ画像を他の画像に貼り付け加工する等の編集を直接実施することも容易に可能である。【０１３０】  続いて、図１１は、図１０に示した画像歪み処理について詳細に説明するためのフローチャートであり、ここで、ＳＴ５に示した画像歪み処理の実施について詳細に説明する。【０１３１】  ＳＴ５の画像歪み処理の実施は、例えば、ＳＴ１にて原稿画像読取部ａ１が原稿画像をビットマップ形式として読み取ることで読み取られたビットマップ形式として保持される原稿画像に対して、例えば、垂直線や水平線のような原稿画像の示す内容を判読不能としない範囲の図形を上書きしてもよい（ＳＴ５１）。【０１３２】  ここで、原稿画像に対して上書きする図形は、セキュリティ画像送信側装置Ａとセキュリティ画像受信側装置Ｂとの間で、予め設定されたものが望ましく、この図形を上書きされた原稿画像に対して次に続く画像歪み処理を実施する際においても原稿画像の画像歪み処理された画像とは区別して認識可能なものが好適である。【０１３３】  続いて、原稿画像又はＳＴ５１にて特定の図形を上書きされた原稿画像を構成するそれぞれのピクセルを、例えば、それぞれのピクセル行毎に予め設定されたピクセル数分特定方向に移動させて（ＳＴ５２）、後にセキュリティ画像受信側装置Ｂの具備する画像逆歪み処理部ｂ３にて原稿画像を受信者側で判読可能な復元画像を作成できるような規則的な画像歪みを発生させることにより、ＳＴ５に示すセキュリティ画像部１２を作成する画像歪み処理を実施させるとよい。【０１３４】  次に、図１２は、本発明のセキュリティ画像受信側装置におけるセキュリティ画像を受信して出力する際に適用されるセキュリティ画像通信方法を説明するためのシーケンス図である。【０１３５】  同図に示すように、セキュリティ画像受信側装置Ｂにてセキュリティ画像送信���装置Ａからセキュリティ画像１を受信して出力するには、まず、セキュリティ画像受信側装置Ｂにおいて、通信回線Ｎと接続された画像受信部ｂ４にて、セキュリティ画像送信側装置Ａから送信されたセキュリティ画像１を受信して（ＳＴ１１）、引続き、通信回線Ｎを介して送受信されるためにエンコードされたデータに対してデコードして（ＳＴ１２）、セキュリティ画像１を受信側画像出力部ｂ５に渡す。【０１３６】  セキュリティ画像１を受け渡された、例えば、印刷手段や表示手段等の受信側画像出力部ｂ５は、画像歪み処理されたままのセキュリティ画像部１２を有するセキュリティ画像１を、例えば、プリンタから印刷出力や、ディスプレイにて表示出力、記憶装置へのファイル出力等の出力をする（ＳＴ１３）。なお、以上のＳＴ１１乃至ＳＴ１３の過程は、従来の受信側装置Ｄによりセキュリティ画像１の受信、出力を行い、その後に別途セキュリティ画像受信側装置Ｂにてセキュリティ画像１を読み取り、後述する画像逆歪み処理を実施しても構わない。【０１３７】  ここで、図１３は、図１２に示したセキュリティ画像をパーソナルコンピュータとプリンタとを用いて受信、出力する際に適用されるセキュリティ画像通信方法を説明するためのシーケンス図である。【０１３８】  同図に示すように、セキュリティ画像通信システム装置γに本方法例を適用する場合は、図１２に示したＳＴ１１乃至ＳＴ１３のセキュリティ画像の受信、出力を、インターネット等の通信回線Ｎ１上の任意の領域に配置されたパーソナルコンピュータｄ１により、セキュリティ画像１を受信（ＳＴ１１ａ）して、デコードし（ＳＴ１２ａ）、接続されたプリンタｄ２にこのセキュリティ画像１の画像データを印刷命令を通知することにより、プリンタｄ２において、所望のセキュリティ画像１の画像データを印刷する（ＳＴ１３ａ）ようにするとよい。【０１３９】  続いて、図１４は、本発明のセキュリティ画像受信側装置における出力されたセキュリティ画像から復元画像を作成する際に適用されるセキュリティ画像通信方法を説明するためのシーケンス図である。【０１４０】  同図に示すように、まず、セキュリティ画像受信側装置Ｂにおいて、受信したセキュリティ画像１をセキュリティ画像受信側装置Ｂ、従来の受信側装置Ｄ、又はセキュリティ画像送受信装置Ｃ等で一旦出力した上で、まず、パスワード入力部ｂ２にて、セキュリティ画像１の送信側と受信側との間で予め設定された設定パスワードに合致する入力パスワードを入力して（ＳＴ２１）画像逆歪み部ｂ３にこの入力パスワードを渡す。【０１４１】  さらに、ＳＴ２１とともに、セキュリティ画像読取部ｂ１により、セキュリティ画像送信側装置Ａから受信して出力された、例えば、ＳＴ１３での出力や、他の受信側装置Ｄにて出力されたセキュリティ画像１から、画像ヘッダ１１中の設定パスワードパターン部１１ａから設定パスワードを読み取り（ＳＴ２２）、この画像ヘッダを画像逆歪み部ｂ３に渡す。【０１４２】  続いて、画像逆歪み部ｂ３では、ＳＴ２１にて入力された入力パスワードと、ＳＴ２２にて読み取った設定パスワードとの合致を確認する（ＳＴ２３）。ここで、この入力パスワードと設定パスワードとの組が、予め送信側と受信側とで設定されたものとは異なるものであった場合、続くセキュリティ画像１の読み取り及びセキュリティ画像１に対する画像逆歪み処理を行わずに、例えば、セキュリティ画像受信側装置Ｂを利用するユーザに対してエラーを通知して以降の処理を終了する。【０１４３】  一方、入力された入力パスワードと設定パスワードとが合致する場合には、セキュリティ画像読取部ｂ１によりセキュリティ画像１を読み取り（ＳＴ２４）、このセキュリティ画像１を画像逆歪み処理部ｂ３へ渡して、画像逆歪み処理部ｂ３にて、セキュリティ画像送信側装置Ａの画像歪み処理部ａ３により画像歪み処理されたセキュリティ画像部１２に対して、例えば、この画像歪み処理と逆方向に画像を歪ませる等の画像逆歪み処理により原稿画像を判読可能とする復元画像を作成し（ＳＴ２５）、作成した復元画像を受信側画像出力部ｂ５に渡して、受信側画像出力部ｂ５にて復元画像を出力する（ＳＴ２６）。【０１４４】  また、例えば、ＳＴ２４のセキュリティ画像読取部ｂ１にて読み取ったセキュリティ画像１が、ページ単位で複数ページに亙って送信されたものである場合には、ＳＴ２２において、先頭ページのみならず、セキュリティ画像読取部ｂ１にてページ毎に画像ヘッダ１１中の設定パスワードパターン部１１ａから設定パスワードを読み出し、続いて、ＳＴ２３の画像逆歪み処理部ｂ３において、設定パスワードと入力パスワードとの合致を確認するようにするとよい。【０１４５】  そこで、画像逆歪み処理部ｂ３は、ＳＴ２５において復元画像を作成した後に、全てのページを処理したものであるか確認して（ＳＴ２７）、未処理の原稿画像ページがある場合には、再度、ＳＴ２１からＳＴ２６を順次繰り返すようにすることで、全ての原稿画像に対応する復元画像を出力することが可能となる。【０１４６】  なお、ここで、ＳＴ２２及びＳＴ２４にて読み取るセキュリティ画像及びセキュリティ画像１に付加された画像ヘッダ１１は、同時にセキュリティ画像受信側装置Ｂに搭載する画像受信部ｂ４にて受信して、受信側画像出力部ｂ５にて、例えば、印刷出力又はデータ出力されたものに限定されず、別途設置された他の受信側装置Ｄにおいて、セキュリティ画像送信側装置Ａからのセキュリティ画像１を事前に、例えば、受信印刷出力又はデータ出力されたものを読み取るものでも構わない。【０１４７】  また、ＳＴ２２及びＳＴ２４を実施するセキュリティ画像読取部ｂ１は、セキュリティ画像受信側装置Ｂに同時に搭載されて接続された受信側画像出力部ｂ５にてデータ出力されたセキュリティ画像１をそのまま読み取るものでも構わない。【０１４８】  続いて、図１５は、図１４に示した画像逆歪み処理について詳細に説明するためのフローチャートであり、ここで、ＳＴ５に示した画像逆歪み処理について詳細に説明する。【０１４９】  同図に示すように、ＳＴ５の画像逆歪み処理は、例えば、ＳＴ２４にてセキュリティ画像読取部ｂ１がビットマップ形式として読み取ったセキュリティ画像１に対して、図１１に示したＳＴ５１によりそのセキュリティ画像１が、例えば、垂直線や水平線等の特定の図形を上書きされた原稿画像に対して画像歪み処理して作成されたものである場合には、まず、そ���画像歪み処理されたセキュリティ画像１中の上書きされた特定の図形部分を認識する（ＳＴ２５１）。【０１５０】  次いで、この認識した特定の図形を指標として、画像歪み処理された特定の図形をもとの上書きされた図形の形状に復元するにあたり、その他の画像歪み処理された領域に対しても一体に画像の歪みを補正することで画像逆歪み処理を行い、復元画像のデータを作成して（ＳＴ２５２）、セキュリティ画像１の送受信間や、読み込み、出力等で歪みが発生した場合に対しても、画像逆歪み処理する、例えば、ピクセル位置を正確に認識することが可能なものであるから、より正確な原稿画像の復元を可能するものである。【０１５１】  続いて、作成した復元画像のデータを受信側画像出力部ｂ５に渡して（ＳＴ２５３）受信側画像出力部ｂ５に出力させて、画像逆歪み処理（ＳＴ２５）を終了してもよいが、引続き、画像逆歪み処理部ｂ３にて作成して保持された復元画像のデータを削除する（ＳＴ２５４）ことにより、より確実なセキュリティを確保することができる。【０１５２】  （プログラム例及び記録媒体例）
最後に、共にコンピュータの基本的機能を具備するとともに、原稿画像を画像歪み処理したセキュリティ画像１を作成送信するセキュリティ画像送信側装置Ａと、通信回線Ｎを介して受信出力された当該セキュリティ画像からこの原稿画像に基づく復元画像を作成出力するセキュリティ画像受信側装置Ｂと、を有して構築されたセキュリティ画像通信システム装置αに備わるコンピュータに導入して実行されるセキュリティ画像通信処理プログラム例を説明する。なお、本プログラム例は、セキュリティ画像通信システム装置β，γに適用するものであっても構わない。【０１５３】  まず、セキュリティ画像送信側装置Ａに、原稿画像を読み取る処理手順とともに、当該原稿画像の送信側と受信側との間で予め設定された設定パスワードを入力する処理手順と、を実行させて、当該設定パスワードをパターン化した設定パスワードパターン部１１ａを書き込んだ画像ヘッダ１１を作成する処理手順と、当該原稿画像に対して画像を歪ませる画像歪み処理を実行する処理手順とともに、画像ヘッダ１１を付加してセキュリティ画像１を作成する処理手順と、セキュリティ画像１をセキュリティ画像受信側装置Ｂに送信する処理手順と、を順次実行させる。【０１５４】  一方、セキュリティ画像受信側装置Ｂに、セキュリティ画像送信側装置Ａから受信して出力されたセキュリティ画像１の画像ヘッダ１１に書き込まれた設定パスワードパターン部１１ａから設定パスワードを読み取る処理手順とともに、当該設定パスワードに照合する入力パスワードを入力する処理手順と、を実行させた後に、入力された当該入力パスワードと当該設定パスワードとの合致を確認する処理手順と、を順次実行させる。【０１５５】  ここで、設定パスワードと入力パスワードが合致した場合に、セキュリティ画像を読み取る処理手順と、当該セキュリティ画像に対して画像の歪みを補正して原稿画像に基づく復元画像を作成する画像逆歪み処理を実行する処理手順と、当該復元画像を出力する処理手順と、を順次実行させる。【０１５６】  このセキュリティ画像受信側装置Ｂにおける画像ヘッダ１１に書き込まれた設定パスワードパターン部１１ａから設定パスワードを読み取る処理手順は、別途設置された他の従来の受信側装置Ｄにおいて、セキュリティ画像送信側装置Ａから送信されたセキュリティ画像１を一旦受信して、例えば、印刷出力する処理手順を事前に実行させた後に実行されても構わない。【０１５７】  なお、セキュリティ画像受信側装置Ｂにおけるセキュリティ画像１を一旦受信して印刷出力する処理手順を、セキュリティ画像通信システム装置γに適用させる場合には、通信回線Ｎ上の任意の領域に配置されたパーソナルコンピュータｄ１に、通信回線を介してセキュリティ画像１を受信させる手順と、パーソナルコンピュータｄ１から、プリンタｄ２にセキュリティ画像１の印刷命令を通知することにより、プリンタｄ２にてセキュリティ画像１を印刷させる手順とを順次実行させるとよい。【０１５８】  また、セキュリティ画像送信側装置Ａにて読み取った原稿画像に対して画像歪み処理を実行する処理手順は、予め、原稿画像を読み取る処理手順として、原稿画像をビットマップ形式として読み取る処理手順を実行させ���上で、この原稿画像を構成するそれぞれのピクセルを、例えば、それぞれのピクセル行毎に予め設定されたピクセル数分特定方向に移動させる処理手順を実行させる。【０１５９】  加えて、この画像歪み処理を実行する処理手順は、原稿画像に対して予め設定された図形を上書きする処理手順と、この図形が上書きされた原稿画像に対して画像歪み処理を行う処理手順と、を順次実行させても構わない。【０１６０】  この場合、セキュリティ画像受信側装置Ｂにて実行させる画像逆歪み処理を実行する処理手順は、セキュリティ画像１中に含まれる、セキュリティ画像送信側装置Ａにより原稿画像に上書きされて画像歪み処理された図形部分を認識する処理手順と、この図形部分を、画像歪み処理される以前の図形に補正することで、セキュリティ画像１全体を、図形が上書きされた原稿画像の状態に復元する処理手順と、を順次実行させることで復元画像の作成が可能となる。【０１６１】  一方、セキュリティ画像送信側装置Ａにて実行させる画像歪み処理を実行する処理手順は、原稿画像の特定の範囲に対して画像歪み処理のスキップ指定を確認する処理手順と、このスキップ指定を確認する処理手順において、スキップ指定が設定されていた場合に、この特定の範囲はそのままに、特定の範囲を除く部分に対してのみ画像を歪ませる処理手順を実行させてもよい。【０１６２】  さらに、セキュリティ画像受信側装置Ｂに実行させる入力パスワードと設定パスワードとの合致を確認する処理手順は、読み取った画像ヘッダ１１に書き込まれる設定パスワードパターン部１１ａ中の設定パスワードと合致する入力パスワードとは異なる他の入力パスワードが入力された場合には、エラーを通知して処理を中断し終了する処理手順を実行させても構わない。【０１６３】  また、セキュリティ画像送信側装置Ａに実行させるセキュリティ画像を作成する処理手順は、原稿画像を読み取る処理手順において事前にこの原稿画像をページ単位で読み取り設定された場合に、ページ単位で作成するセキュリティ画像１に対して、このページ毎に設定パスワードパターン部１１ａを書き込んだ画像ヘッダ１１を付加する処理手順を実行させても構わない。【０１６４】  この場合、セキュリティ画像受信側装置Ｂに実行させる入力パスワードと設定パスワードとの合致を確認する処理手順は、設定パスワードを読み取る処理手順において事前にページ毎に設定パスワードが設定されていた場合に、このページ毎に入力パスワードと設定パスワードとの合致を確認する処理手順を実行させるとよい。【０１６５】  さらに、セキュリティ画像受信側装置Ｂに実行させる復元画像を出力する処理手順は、この復元画像の出力の後に、セキュリティ画像受信側装置Ｂにおいて保持された復元画像のデータを削除する処理手順を実行させることにより、より確かなセキュリティの確保が可能となる。
このとき、一連の処理手順からなる以上のプログラム例をコンピュータ読取可能な実践手続として実録する記録媒体を得る。【０１６６】  なお、本実施形態例においては、送受信される対象を画像と呼ぶものの、セキュリティ画像の送受信は原稿画像の内容に制限されるものではなく、原稿画像としては、例えば、文字、文章、写真、画像、それらを混在するもの、ＦＡＸ文書等であって構わない。【０１６７】  以上、本発明の実施の形態につき、本発明をビットマップ形式で読み取り、画像歪み処理及び画像逆歪み処理を適用した場合を例に挙げて説明したが、本発明は、必ずしも上述した手段、手法、手順及び手続にのみ限定されるものではなく、前述の効果を有する範囲内において、適宜、変更実施することが可能なものであり、例えば、電子メール等のインターネットを介した画像の送受信や、ファクシミリ等に適用される。
【図１】
2005002207.tif 000003
【図２】
2005002207.tif 000004
【図３】
2005002207.tif 000005
【図４】
2005002207.tif 000006
【図５】
2005002207.tif 000007
【図６】
2005002207.tif 000008
【図７】
2005002207.tif 000009
【図８】
2005002207.tif 000010
【図９】
2005002207.tif 000011
【図１０】
2005002207.tif 000012
【図１１】
2005002207.tif 000013
【図１２】
2005002207.tif 000014
【図１３】
2005002207.tif 000015
【図１４】
2005002207.tif 000016
【図１５】
2005002207.tif 000017
【手続補正書】
【提出日】平成18年3月17日(2006.3.17)
【手続補正１】
【補正対象書類名】特許請求の範囲
【補正対象項目名】全文
【補正方法】変更
【補正の内容】
【特許請求の範囲】
【請求項１】
原稿画像を画像歪み処理したセキュリティ画像を送信側装置から作成送信して、通信回線を介して受信出力された当該セキュリティ画像から当該原稿画像に基づく復元画像を受信側装置で作成出力するセキュリティ画像通信方法であって、
前記送信側装置において、
まず、前記原稿画像を読み取るとともに、
当該原稿画像の送信側と受信側との間で予め設定された設定パスワードを入力し、
次に、当該設定パスワードをパターン化して画像として書き込んだ視覚表示出力可能な画像ヘッダを作成し、
続いて、情報量を変えることなく所定サイズの出力表示媒体上に、各ピクセルの移動に伴い発生する、原稿図形と比較して食み出して伸長する範囲の図形（以下、「歪み食み出し図形」という）をも分割全納して記録するよう前記原稿画像に対して画像を歪ませる画像歪み処理を実施するとともに、前記画像ヘッダを付加して前記セキュリティ画像を作成して後、
当該セキュリティ画像を前記受信側装置に送信し、
一方、当該受信側装置において、
当該受信したセキュリティ画像を受信宛名ともども一旦表示出力し受信を視覚確認した上で、
まず、前記設定パスワードに合致する入力パスワードを入力するとともに、
前記送信側装置から受信して出力された前記セキュリティ画像の前記画像ヘッダ中から、前記設定パスワードを読み取り、
次に、入力された前記入力パスワードと当該設定パスワードとの合致を確認し、
ここで、当該設定パスワードと当該入力パスワードが合致した場合、
さらに、前記セキュリティ画像を読み取り、
その後、当該セキュリティ画像に対して、前記送信側装置の画像歪み処理で情報量を変えることなく前記所定サイズの出力表示媒体上に歪み食み出し図形をも分割全納して記録された画像の歪みを補正して前記復元画像を作成する画像逆歪み処理を実施し、
最後に、受信側装置から直接当該復元画像を紙出力する、
ことを特徴とするセキュリティ画像通信方法。
【請求項２】
前記受信側装置は、
別途設置された他の画像逆歪み処理をなし得ない受信側装置において、取り敢えず、前記送信側装置からのセキュリティ画像を事前に受信表示出力して置き、
その後、当該出力セキュリティ画像を、前記画像逆歪み処理なし得る受信側装置において読み取ることにより、前記復元画像を作成出力する、
ことを特徴とする請求項１に記載のセキュリティ画像通信方法。
【請求項３】
前記画像逆歪み処理をなし得ない受信側装置は、
前記通信回線上の任意の領域に配置されたパーソナルコンピュータであって、当該パーソナルコンピュータにより、前記通信回線を介して前記セキュリティ画像を受信し、
当該パーソナルコンピュータに接続されたプリンタに当該セキュリティ画像の印刷命令を通知することにより、当該プリンタにて当該セキュリティ画像を印刷する、
ことを特徴とする請求項２に記載のセキュリティ画像通信方法。
【請求項４】
前記画像歪み処理は、
前記原稿画像をビットマップ形式として読み取り、
当該原稿画像を構成するそれぞれのピクセルを、予め設定されたピクセル数分特定方向に移動させて、
前記原稿画像に対して前記画像逆歪み処理により復元可能な画像歪みを発生させる、
ことを特徴とする請求項１、２又は３に記載のセキュリティ画像通信方法。
【請求項５】
前記送信側装置は、
前記原稿画像に対して予め設定された図形（以下「復元指標図形」という）を上書きして、
当該復元指標図形が上書きされた当該原稿画像に対して前記画像歪み処理を行う、
ことを特徴とする請求項１、２又は３に記載のセキュリティ画像通信方法。
【請求項６】
前記画像逆歪み処理は、
前記セキュリティ画像中に含まれる、前記送信側装置により前記原稿画像に上書きされて前記画像歪み処理された前記復元指標図形部分を認識して、
当該復元指標図形部分を、構成ピクセルを特定ピクセル数分特定方向に平行移動させて当該画像歪み処理される以前の復元指標図形に補正することで、前記セキュリティ画像全体を、当該復元指標図形が上書きされた前記原稿画像の状態に復元する、
ことを特徴とする請求項５に記載のセキュリティ画像通信方法。
【請求項７】
前記画像歪み処理は、
前記原稿画像の特定の範囲に対して当該画像歪み処理のスキップ指定が為された場合、
当該特定の範囲はそのままに、当該特定の範囲を除く部分に対してのみ画像を歪ませる、
ことを特徴とする請求項１、２又は３に記載のセキュリティ画像通信方法。
【請求項８】
前記受信側装置は、
読み取った前記画像ヘッダに書き込まれる前記設定パスワードと合致する前記入力パスワードとは異なる入力パスワードが入力された場合には、エラーを通知して、
前記画像逆歪み処理を中断して終了する、
ことを特徴とする請求項１、２又は３に記載のセキュリティ画像通信方法。
【請求項９】
前記送信側通信装置は、
前記原稿画像の読み取りにおいて、当該原稿画像をページ単位で読み取り、
当該ページ毎に、前記設定パスワードを書き込んだ前記画像ヘッダを付加した前記セキュリティ画像を作成する、
ことを特徴とする請求項１、２又は３に記載のセキュリティ画像通信方法。
【請求項１０】
前記受信側通信装置は、
前記画像ヘッダ中から前記設定パスワードの読み取りを前記ページ毎に行い、
当該画像ヘッダに書き込まれる前記設定パスワードに合致する前記入力パスワードの入力確認を、当該ページ毎に行う、
ことを特徴とする請求項９に記載のセキュリティ画像通信方法。
【請求項１１】
前記復元画像の出力は、
当該復元画像の自動出力の後に、前記受信側装置において保持された当該復元画像を削除する、
ことを特徴とする請求項１、２又は３に記載のセキュリティ画像通信方法。
【請求項１２】
通信回線を介して受信側装置に送信される、原稿画像を画像歪み処理して作成された復元可能なセキュリティ画像を作成送信するための送信側装置であって、
前記原稿画像を読み取る原稿画像読取部と、
当該原稿画像に対して、当該原稿画像の送信側と受信側との間で予め設定された設定パスワードを当該原稿画像毎に入力するパスワード設定部と、
前記原稿画像読取部から当該原稿画像を入力されるとともに、前記パスワード設定部から前記設定パスワードを入力されて、当該設定パスワードをパターン化して画像として書き込んだ視覚表示出力可能な画像ヘッダを作成するとともに、情報量を変えることなく所定サイズの出力表示媒体上に歪み食み出し図形をも分割全納して記録するよう前記原稿画像に対して画像を歪ませる画像歪み処理を実施して、当該画像ヘッダが付加された前記セキュリティ画像を作成する画像歪み処理部と、を具備し、
前記原稿画像読取部にてビットマップ形式として読み取られた前記原稿画像に対して、当該原稿画像を構成するそれぞれのピクセルを、前記画像歪み処理部にて予め設定されたピクセル数分特定方向に移動させて歪みを発生させる画像歪み処理を実施するよう機能構成される、
ことを特徴とするセキュリティ画像送信側装置。
【請求項１３】
通信回線を介して受信側装置に送信される、原稿画像を画像歪み処理して作成された復元可能なセキュリティ画像を作成送信するための送信側装置であって、
前記原稿画像を読み取る原稿画像読取部と、
当該原稿画像に対して、当該原稿画像の送信側と受信側との間で予め設定された設定パスワードを当該原稿画像毎に入力するパスワード設定部と、
前記原稿画像読取部から当該原稿画像を入力されるとともに、前記パスワード設定部から前記設定パスワードを入力されて、当該設定パスワードをパターン化して画像として書き込んだ視覚表示出力可能な画像ヘッダを作成するとともに、情報量を変えることなく所定サイズの出力表示媒体上に歪み食み出し図形をも分割全納して記録するよう前記原稿画像に対して画像を歪ませる画像歪み処理を実施して、当該画像ヘッダが付加された前記セキュリティ画像を作成する画像歪み処理部と、を具備し、
前記画像歪み処理部は、
前記原稿画像に対して予め設定された復元指標図形を上書きして、当該復元指標図形が上書きされた当該原稿画像に対して前記画像歪み処理を行うよう機能構成される、
ことを特徴とするセキュリティ画像送信側装置。
【請求項１４】
前記送信側装置は、
前記通信回線に接続されて、
前記セキュリティ画像をエンコードして、当該通信回線を介して接続される前記受信側装置に対し当該セキュリティ画像を送信する画像送信部を有する、
ことを特徴とする請求項１２又は１３に記載のセキュリティ画像送信側装置。
【請求項１５】
前記画像歪み処理部は、
読み込まれた前記原稿画像に対して、特定の範囲に対して前記画像歪み処理のスキップ指定を設定可能に保持し、
当該特定の範囲はそのままに、当該特定の範囲を除く前記原稿画像に対してのみ画像を歪ませる前記画像歪み処理を実施するよう機能構成される、
ことを特徴とする請求項１２又は１３に記載のセキュリティ画像送信側装置。
【請求項１６】
前記画像歪み処理部は、
前記原稿画像読取部からページ単位で読み取られた前記原稿画像を入力されて、当該ページ毎に、前記設定パスワードを書き込んだ前記画像ヘッダを付加した前記セキュリティ画像を作成するよう機能構成される、
ことを特徴とする請求項１２又は１３に記載のセキュリティ画像送信側装置。
【請求項１７】
前記送信側装置は、
前記画像歪み処理部にて当該原稿画像に基づき作成された前記セキュリティ画像を出力する送信側画像出力部を具備する、
ことを特徴とする請求項１２又は１３に記載のセキュリティ画像送信側装置。
【請求項１８】
前記送信側画像出力部は、
前記原稿画像読取部にて読み取られた前記原稿画像を出力可能に当該原稿画像読取部に接続される、
ことを特徴とする請求項１７に記載のセキュリティ画像送信側装置。
【請求項１９】
通信回線を介して送信側装置から送信された原稿画像を画像歪み処理して作成された復元可能なセキュリティ画像から、当該原稿画像通りに復元画像を作成出力するための受信側装置であって、
受信側画像出力部で一旦受信を視覚確認させる為、受信宛名ともども印刷又は表示出力された前記セキュリティ画像と、印刷又は表示出力された当該セキュリティ画像に付加されかつ予め設定されてパターン化された設定パスワードを画像として書き込んだ視覚表示出力可能な画像ヘッダを読み取るセキュリティ画像読取部と、
当該設定パスワードに照合する入力パスワードを入力するパスワード入力部と、
当該設定パスワードと当該入力パスワードとが合致するものであった場合に、前記セキュリティ画像に対して、前記送信側装置の画像歪み処理で情報量を変えることなく所定サイズの出力表示媒体上に歪み食み出し図形をも分割全納して記録させた画像の歪みを復元指標図形を基に補正して前記復元画像を作成する画像逆歪み処理を実施する画像逆歪み処理部と、を具備し、
前記画像逆歪み処理部は、
前記受信側画像出力部にて前記復元画像を出力表示して当該復元画像作成した上で印刷出力した後に、保持する当該復元画像を削除するように機能構成される、
ことを特徴とするセキュリティ画像受信側装置。
【請求項２０】
通信回線を介して送信側装置から送信された原稿画像を画像歪み処理して作成された復元可能なセキュリティ画像から、当該原稿画像通りに復元画像を作成出力するための受信側装置であって、
受信側画像出力部で一旦受信を視覚確認させる為、受信宛名ともども印刷又は表示出力された前記セキュリティ画像と、印刷又は表示出力された当該セキュリティ画像に付加されかつ予め設定されてパターン化された設定パスワードを画像として書き込んだ視覚表示出力可能な画像ヘッダを読み取るセキュリティ画像読取部と、
当該設定パスワードに照合する入力パスワードを入力するパスワード入力部と、
当該設定パスワードと当該入力パスワードとが合致するものであった場合に、前記セキュリティ画像に対して、前記送信側装置の画像歪み処理で情報量を変えることなく所定サイズの出力表示媒体上に歪み食み出し図形をも分割全納して記録させた画像の歪みを補正して前記復元画像を作成する画像逆歪み処理を実施し、かつ当該復元画像を出力する前記受信側画像出力部と接続した画像逆歪み処理部と、を具備し、
前記画像逆歪み処理部は、
前記セキュリティ画像中に含まれる、前記送信側装置により前記原稿画像に上書きされて前記画像歪み処理された、予め設定された復元指標図形部分を認識して、当該復元指標図形部分を、構成ピクセルを特定ピクセル数分特定方向に平行移動させて当該画像歪み処理される以前の復元指標図形に補正することで、前記セキュリティ画像全体を、当該復元指標図形が上書きされた前記原稿画像の状態に復元して前記復元画像を作成するよう機能構成される、
ことを特徴とするセキュリティ画像受信側装置。
【請求項２１】
前記受信側装置は、
前記通信回線に接続し、
当該通信回線を介して接続される前記送信側装置からエンコードされた前記セキュリティ画像のデータを受信して、当該データを当該セキュリティ画像にデコードする画像受信部を有する、
ことを特徴とする請求項１９又は２０に記載のセキュリティ画像受信側装置。
【請求項２２】
前記受信側画像出力部は、
前記画像逆歪み処理部にて作成された前記復元画像をも印刷出力するよう機能構成される、
ことを特徴とする請求項１９又は２０に記載のセキュリティ画像受信側装置。
【請求項２３】
前記受信側画像出力部は、
印刷出力可能なプリンタを有する、
ことを特徴とする請求項２２に記載のセキュリティ画像受信側装置。
【請求項２４】
前記受信側画像出力部は、
表示出力可能なディスプレイを有する、
ことを特徴とする請求項２２に記載のセキュリティ画像受信側装置。
【請求項２５】
前記受信側画像出力部は、
前記ディスプレイに表示出力された前記セキュリティ画像を前記セキュリティ画像読取部に入力可能に接続構成される、
ことを特徴とする請求項２４に記載のセキュリティ画像受信側装置。
【請求項２６】
前記画像逆歪み処理部は、
読み取った前記画像ヘッダに書き込まれる前記設定パスワードと合致する前記入力パスワードとは異なる入力パスワードが入力された場合にはエラーを通知して、前記画像歪み処理を中断して終了するよう機能構成される、
ことを特徴とする請求項１９又は２０に記載のセキュリティ画像受信側装置。
【請求項２７】
前記画像逆歪み処理部は、
前記セキュリティ画像を前記セキュリティ画像読取部からページ単位で入力されて、当該ページ毎に、前記画像ヘッダに書き込まれる前記設定パスワードに合致する前記入力パスワードの入力確認を行うように機能構成される、
ことを特徴とする請求項１９又は２０に記載のセキュリティ画像受信側装置。
【請求項２８】
通信回線と、原稿画像を画像歪み処理したセキュリティ画像を作成送信する送信側装置と、当該通信回線を介して受信又は受信出力された当該セキュリティ画像から当該原稿画像に基づく復元画像を作成する受信側装置とで構築されるセキュリティ画像通信システム装置であって、
前記送信側装置は、
請求項１２、１３、１４、１５、１６、１７又は１８に記載のセキュリティ画像送信側装置であり、
前記受信側装置は、
請求項１９、２０、２１、２２、２３、２４、２５、２６又は２７に記載のセキュリティ画像受信側装置である、
ことを特徴とするセキュリティ画像通信システム装置。
【請求項２９】
前記送信側装置と前記受信側装置は、
前記原稿画像読取部と前記セキュリティ画像読取部との機能を併せて構成された画像読取部と、
前記パスワード設定部と前記パスワード入力部との機能を併せて構成されたパスワード設定／入力部と、
前記画像歪み処理部と前記画像逆歪み処理部との機能を併せて構成されて、前記画像読取部と前記パスワード設定／入力部と接続された画像正逆歪み処理部と、を有して、
前記セキュリティ画像を作成可能に機能構成される一方、出力された当該セキュリティ画像から前記復元画像を作成可能に機能構成されるセキュリティ画像送受信装置である、
ことを特徴とする請求項２８に記載のセキュリティ画像通信システム装置。
【請求項３０】
前記セキュリティ画像送受信装置は、
前記画像送信部と前記画像受信部との機能を併せて構成されて、前記通信回線に接続されるともに前記画像正逆歪み処理部に接続された画像送受信部を有する、
ことを特徴とする請求項２９に記載のセキュリティ画像通信システム装置。
【請求項３１】
前記セキュリティ画像送受信装置は、
前記送信側画像出力部と前記受信側画像出力部との機能を併せて構成された画像出力部を有する、
ことを特徴とする請求項２９に記載のセキュリティ画像通信システム装置。
【請求項３２】
前記セキュリティ画像通信システム装置は、
前記送信側装置から送信された前記セキュリティ画像を受信する前記通信回線上の任意の領域に配置されたパーソナルコンピュータと、
当該パーソナルコンピュータに接続されて、当該パーソナルコンピュータの印刷命令に基づき前記セキュリティ画像を印刷するプリンタと、を具備して、
前記受信側装置により、当該プリンタにて印刷した前記セキュリティ画像を読込み、前記復元画像を作成可能に構築される、
ことを特徴とする請求項２８に記載のセキュリティ画像通信システム装置。
【請求項３３】
共にコンピュータの基本的機能を具備するとともに、原稿画像を画像歪み処理したセキュリティ画像を作成送信する送信側装置と、通信回線を介して受信出力された当該セキュリティ画像から当該原稿画像に基づく復元画像を作成出力する受信側装置と、を有して構築されたネットワークシステムに適用されるセキュリティ画像通信処理プログラムであって、
前記送信側装置に、
前記原稿画像を予め上書き設定された復元指標図形ともども読み取る処理手順と、
当該原稿画像の送信側と受信側との間で予め設定された設定パスワードを入力する処理手順と、
当該設定パスワードをパターン化して画像として書き込んだ視覚出力表示可能な画像ヘッダを作成させる処理手順と、
情報量を変えることなく所定サイズの出力表示媒体上に歪み食み出し図形を分割全納して記録するよう前記復元指標図形を上書きされた原稿画像に対して画像を歪ませる画像歪み処理を実行する処理手順と、
前記画像ヘッダを付加して前記セキュリティ画像を作成する処理手順と、
当該セキュリティ画像を前記受信側装置に送信する処理手順と、を順次実行させ、
引続いて、前記受信側装置に、
前記送信側装置から受信して当該セキュリティ画像と受信宛名を表示出力し、受信を視覚確認された前記セキュリティ画像の前記画像ヘッダ中から、前記設定パスワードを読み取る処理手順と、
当該設定パスワードに照合する入力パスワードを入力する処理手順と、
入力された当該入力パスワードと当該設定パスワードとの合致を確認する処理手順と、
次いで、当該設定パスワードと当該入力パスワードが合致した場合に、
前記セキュリティ画像を読み取る処理手順と、
当該セキュリティ画像に対して、前記画像歪み処理装置で情報量を変えることなく所定サイズの出力表示媒体上に歪み食み出し図形をも分割全納して記録された画像の歪みを前記復元指標図形を基に補正して前記復元画像を作成する画像逆歪み処理を実行する処理手順と、
当該復元画像を紙出力する処理手順と、を順次実行させ、
前記画像歪み処理を実行する処理手順は、
前記原稿画像に対して予め設定された復元指標図形を上書きする処理手順と、
当該復元指標図形が上書きされた当該原稿画像に対して前記画像歪み処理を行う処理手順と、を順次実行させる、
ことを特徴とするセキュリティ画像通信処理プログラム。
【請求項３４】
共にコンピュータの基本的機能を具備するとともに、原稿画像を画像歪み処理したセキュリティ画像を作成送信する送信側装置と、通信回線を介して受信出力された当該セキュリティ画像から当該原稿画像に基づく復元画像を作成出力する受信側装置と、を有して構築されたネットワークシステムに適用されるセキュリティ画像通信処理プログラムであって、
前記送信側装置に、
前記原稿画像を予め上書き設定された復元指標図形ともども読み取る処理手順と、
当該原稿画像の送信側と受信側との間で予め設定された設定パスワードを入力する処理手順と、
当該設定パスワードをパターン化して画像として書き込んだ視覚表示出力可能な画像ヘッダを作成させる処理手順と、
情報量を変えることなく所定サイズの出力表示媒体上に歪み食み出し図形を分割全納して記録するよう前記復元指標図形を上書きされた原稿画像に対して画像を歪ませる画像歪み処理を実行する処理手順と、
前記画像ヘッダを付加して前記セキュリティ画像を作成する処理手順と、
当該セキュリティ画像を前記受信側装置に送信する処理手順と、を順次実行させ、
引続いて、前記受信側装置に、
前記送信側装置から受信して受信を視覚確認する為、受信宛名ともども表示出力された前記セキュリティ画像の前記画像ヘッダ中から、前記設定パスワードを読み取る処理手順と、
当該設定パスワードに照合する入力パスワードを入力する処理手順と、
入力された当該入力パスワードと当該設定パスワードとの合致を確認する処理手順を実行させ、
次いで、当該設定パスワードと当該入力パスワードが合致した場合に、
前記セキュリティ画像を読み取る処理手順と、
当該セキュリティ画像に対して、前記画像歪み処理手順で情報量を変えることなく、所定サイズの出力表示媒体に歪み食み出し図形をも分割全納して記録された画像の歪みを補正して前記復元画像を作成する画像逆歪み処理を実行する処理手順と、
当該復元画像を紙出力する処理手順と、を順次実行させ、
前記画像逆歪み処理を実行する処理手順は、
前記セキュリティ画像中に含まれる、前記送信側装置により前記原稿画像に上書きされて前記画像歪み処理された前記復元指標図形部分を認識する処理手順と、
当該復元指標図形部分を、構成ピクセルを特定ピクセル数分特定方向に平行移動させて当該画像歪み処理される以前の復元指標図形に補正することで、前記セキュリティ画像全体を、当該復元指標図形が上書きされた前記原稿画像の状態に復元する処理手順と、を順次実行させる、
ことを特徴とするセキュリティ画像通信処理プログラム。
【請求項３５】
前記受信側装置における前記設定パスワードを読み取る処理手順は、
別途設置された他の従来の受信側装置において、前記送信側装置から送信された前記セキュリティ画像を一旦受信出力する処理手順を事前に実行させた後に実行させる、
ことを特徴とする請求項３３又は３４に記載のセキュリティ画像通信処理プログラム。
【請求項３６】
前記送信側装置から送信された前記セキュリティ画像を一旦受信出力する処理手順は、
前記別途設置された他の従来の受信側装置として前記通信回線上の任意の領域に配置されたパーソナルコンピュータに、前記通信回線を介して前記セキュリティ画像を受信させる手順と、
当該パーソナルコンピュータから、当該パーソナルコンピュータに接続されたプリンタに当該セキュリティ画像の印刷命令を通知することにより、当該プリンタにて当該セキュリティ画像を印刷させる手順と、を順次実行させる、
ことを特徴とする請求項３５に記載のセキュリティ画像通信処理プログラム。
【請求項３７】
前記画像歪み処理を実行する処理手順は、
予め、前記原稿画像を読み取る処理手順として、当該原稿画像をビットマップ形式として読み取る処理手順を実行させた上で、
当該原稿画像を構成するそれぞれのピクセルを、予め設定されたピクセル数分特定方向に移動させる処理手順を実行させる、
ことを特徴とする請求項３３又は３４に記載のセキュリティ画像通信処理プログラム。
【請求項３８】
前記画像歪み処理を実行する処理手順は、
前記原稿画像の特定の範囲に対して前記画像歪み処理のスキップ指定を確認する処理手順と、
当該スキップ指定を確認する処理手順において、当該スキップ指定が設定されていた場合に、
当該特定の範囲はそのままに、当該特定の範囲を除く部分に対してのみ画像を歪ませる処理手順を実行させる、
ことを特徴とする請求項３３又は３４に記載のセキュリティ画像通信処理プログラム。
【請求項３９】
前記入力パスワードと前記設定パスワードとの合致を確認する処理手順は、
読み取った前記画像ヘッダに書き込まれる当該設定パスワードと合致する当該入力パスワードとは異なる入力パスワードが入力された場合には、エラーを通知して処理を中断し終了する処理手順を実行させる、
ことを特徴とする請求項３３又は３４に記載のセキュリティ画像通信処理プログラム。
【請求項４０】
前記セキュリティ画像を作成する処理手順は、
前記原稿画像を読み取る処理手順において事前に当該原稿画像をページ単位で読み取り設定された場合に、
当該ページ単位で作成する前記セキュリティ画像に対して、当該ページ毎に前記設定パスワードを書き込んだ前記画像ヘッダを付加する処理手順を実行させる、
ことを特徴とする請求項３３又は３４に記載のセキュリティ画像通信処理プログラム。
【請求項４１】
前記入力パスワードと前記設定パスワードとの合致を確認する処理手順は、
当該設定パスワードを読み取る処理手順において事前に前記ページ毎に当該設定パスワードが設定されていた場合に、
当該ページ毎に前記入力パスワードと当該設定パスワードとの合致を確認する処理手順を実行させる、
ことを特徴とする請求項４０に記載のセキュリティ画像通信処理プログラム。
【請求項４２】
前記復元画像を出力する処理手順は、
当該復元画像の出力の後に、前記受信側装置において保持された当該復元画像を削除する処理手順を実行させる、
ことを特徴とする請求項３３又は３４に記載のセキュリティ画像通信処理プログラム。
【請求項４３】
請求項３３、３４、３５、３６、３７、３８、３９、４０、４１又は４２に記載のセキュリティ画像通信処理プログラムにおける各処理手順の実践手続をコンピュータ読取可能に実録してなる、
ことを特徴とするセキュリティ画像通信処理プログラムを記録した記録媒体。
【手続補正２】
【補正対象書類名】明細書
【補正対象項目名】全文
【補正方法】変更
【補正の内容】
【発明の詳細な説明】
【技術分野】
【０００１】
本発明は、通信回線を介して送受信され、送信側で原稿画像を画像歪み処理したセキュリティ画像を作成送信し、受信側で受信した当該セキュリティ画像を画像逆歪み処理して当該原稿画像に基づく復元画像を作成出力するためのセキュリティ画像通信方法、並びにその実施に直接使用するセキュリティ画像送信側装置、セキュリティ画像受信側装置、セキュリティ画像通信システム装置、セキュリティ画像通信処理プログラム及び該プログラムを記録した記録媒体に係わる。
【背景技術】
【０００２】
従来、送信者及び受信者の間でセキュリティを確保した画像通信を行うには、例えば、電話回線に接続されたファクシミリやインターネットに接続された通信端末等の通信装置に別途、高価な暗号／復号化装置を送信側装置及び受信側装置の双方にそれぞれ接続する必要があった。
【０００３】
このような通信方式によると、送信する送信画像が通信回線上にて送信可能にエンコードされた後に、このエンコードされた画像データの、例えばヘッダに対してのみ、予め設定された冗長データを付加することで原稿画像に対する加工を行っていた。
【０００４】
また、より安価な手段として、大容量のメモリを送信側装置及び受信側装置の双方に搭載させて、送信側装置から受信側装置に対して送信画像とともに予め設定されたパスワードを送信して、受信側装置において入力されたパスワードが合致した場合にのみ受信した送信画像を直接出力して、特定の受信者以外の、正しいパスワードの入力ができない者に対しては送信画像を出力しないようにしていた。
【０００５】
なお、上記画像通信に適用される画像通信方法及び装置の詳細については、下記の特許文献１及び２に記載されている。
【特許文献１】特開平１１−２９８７４０号公報
【特許文献２】特開平１０−０７９８６２号公報
【発明の開示】
【発明が解決しようとする課題】
【０００６】
ところで、従来の画像通信方式を用いて、送信側及び受信側の通信装置に暗号化／復号化装置を設置して画像の送受信を安全に行おうとする場合、通信装置とは別途に高価な暗号／復号化装置を用意する必要があり、自ずと、装置価格が高価となり、広く普及された通信機器で採用されるのは困難である。
【０００７】
また、画像をメモリに蓄積する方式では、送信側装置から送信された送信画像は、受信側装置にて出力されずに受信側装置内に搭載されたメモリに保持されたままであることから、送信側装置より送信画像が受信したか否かが容易に認識できず、通信装置が具備する表示部等で逐一確認する必要があった。
【０００８】
さらに、以上のような方式は、送信側装置及び受信側装置が１対１での通信形態であり、画像を受信した受信側装置でのみ送信画像の再現出力が可能であり、例えば、出張先やホテル滞在時など、特定の受信側装置が設置されない場所において、特定の受信者にのみ送信画像を再現出力可能なセキュリティが保持された受信を可能とするものはなかった。
【０００９】
ここにおいて、本発明の解決すべき主要な目的は、次のとおりである。
即ち、本発明の第１の目的は、送信側装置により原稿画像に対して画像を歪ませて、特定の受信者以外に対しては画像の判読を困難とすることが可能なセキュリティ画像通信方法、送信側装置、受信側装置、通信システム装置及び通信処理プログラム並びに該プログラムを記録した記録媒体を提供せんとするものである。
【００１０】
本発明の第２の目的は、受信側装置においてセキュリティ画像を出力した上で再度読み込み復元画像を作成し、受信者にとって容易に受信があったことを認識することが可能なセキュリティ画像通信方法、送信側装置、受信側装置、通信システム装置及び通信処理プログラム並びに該プログラムを記録した記録媒体を提供せんとするものである。
【００１１】
本発明の第３の目的は、原稿画像に対して複雑な暗号化及び復号化を行う高価な暗号／復号化装置を必要としないセキュリティ画像通信方法、送信側装置、受信側装置、通信システム装置及び通信処理プログラム並びに該プログラムを記録した記録媒体を提供せんとするものである。
【００１２】
本発明の第４の目的は、受信側装置の受信制限はなく、歪み復元機能を有する受信側装置においてのみ復元画像を作成することが可能なセキュリティ画像通信方法、送信側装置、受信側装置、通信システム装置及び通信処理プログラム並びに該プログラムを記録した記録媒体を提供せんとするものである。
【００１３】
本発明の他の目的は、明細書、図面、特に請求の範囲の各項の記載から、自ずと明らかとなろう。
【課題を解決するための手段】
【００１４】
まず、本発明方法においては、送信側装置において、まず、原稿画像を読み取るとともに、当該原稿画像の送信側と受信側との間で予め設定された設定パスワードを入力し、次に、当該設定パスワードをパターン化して画像として書き込んだ視覚表示出力可能な画像ヘッダを作成し、続いて、情報量及び所定サイズの出力表示媒体に対する記録領域上に、各ピクセルの移動に伴い発生する、原稿図形と比較して食み出して伸長する範囲の図形（以下、「歪み食み出し図形」という）をも分割全納して記録するよう原稿画像に対して画像を歪ませる画像歪み処理を実施するとともに、当該画像ヘッダを付加してセキュリティ画像を作成して後、当該セキュリティ画像を受信側装置に送信し、一方、当該受信側装置において、当該受信したセキュリティ画像を受信宛名ともども一旦表示出力し受信を視覚確認した上で、まず、設定パスワードに合致する入力パスワードを入力するとともに、送信側装置から受信して出力されたセキュリティ画像の画像ヘッダ中から、設定パスワードを読み取り、次に、入力された入力パスワードと当該設定パスワードとの合致を確認し、ここで、当該設定パスワードと当該入力パスワードが合致した場合、さらに、セキュリティ画像を読み取り、その後、当該セキュリティ画像に対して、前記送信側装置の画像歪み処理で情報量を変えることなく前記所定サイズの出力表示媒体上に歪み食み出し図形をも分割全納して記録された画像の歪みを補正して当該原稿画像に基づく復元画像を作成する画像逆歪み処理を実施し、最後に、受信側装置から直接当該復元画像を紙出力する、という特徴的構成手法を講じる。
【００１５】
一方、本発明送信側装置においては、原稿画像を読み取る原稿画像読取部と、当該原稿画像に対して、当該原稿画像の送信側と受信側との間で予め設定された設定パスワードを当該原稿画像毎に入力するパスワード設定部と、当該原稿画像読取部から原稿画像を入力されるとともに、パスワード設定部から設定パスワードを入力されて、当該設定パスワードをパターン化して画像として書き込んだ視覚表示出力可能な画像ヘッダを作成するとともに、情報量を変えることなく所定サイズの出力表示媒体上に歪み食み出し図形をも分割全納して記録するよう前記原稿画像に対して画像を歪ませる画像歪み処理を実施して、当該画像ヘッダが付加されたセキュリティ画像を作成する画像歪み処理部と、を具備し、前記原稿画像読取部にてビットマップ形式として読み取られた前記原稿画像に対して、当該原稿画像を構成するそれぞれのピクセルを、前記画像歪み処理部にて予め設定されたピクセル数分特定方向に移動させて歪みを発生させる画像歪み処理を実施する、という特徴的構成手段を講じる。
【００１６】
他方、本発明受信側装置においては、受信側画像出力部で一旦受信を視覚確認させる為、受信宛名ともども印刷又は表示出力されたセキュリティ画像と、印刷又は表示出力された当該セキュリティ画像に付加されかつ予め設定されてパターン化された設定パスワードを画像として書き込んだ視覚表示出力可能な画像ヘッダを読み取るセキュリティ画像読取部と、当該設定パスワードに照合する入力パスワードを入力するパスワード入力部と、当該設定パスワードと当該入力パスワードとが合致するものであった場合に、セキュリティ画像に対して、送信側装置の画像歪み処理で情報量を変えることなく所定サイズの出力表示媒体上に歪み食み出し図形をも分割全納して記録させた画像の歪みを復元指標図形を基に補正して復元画像を作成する画像逆歪み処理を実施する画像逆歪み処理部と、を具備し、前記画像逆歪み処理部は、前記受信側画像出力部にて前記復元画像を出力表示して当該復元画像作成した上で印刷出力した後に、保持する当該復元画像を削除する、という特徴的構成手段を講じる。
【００１７】
また、本発明システム装置においては、通信回線と、原稿画像を画像歪み処理したセキュリティ画像を作成送信する送信側装置と、当該通信回線を介して受信又は受信出力された当該セキュリティ画像から当該原稿画像に基づく復元画像を作成する受信側装置とで構築されるセキュリティ画像通信システム装置であって、受信側装置は、上記本発明セキュリティ画像受信側装置であり、送信側装置は、上記本発明セキュリティ画像送信側装置である、という特徴的構成手段を講じる。
【００１８】
さらに、本発明プログラムにおいては、送信側装置に、原稿画像を予め上書き設定された復元指標図形ともども読み取る処理手順と、当該原稿画像の送信側と受信側との間で予め設定された設定パスワードを入力する処理手順と、を実行させ、当該設定パスワードをパターン化して画像として書き込んだ視覚出力表示可能な画像ヘッダを作成させる処理手順と、情報量を変えることなく所定サイズの出力表示媒体上に歪み食み出し図形をも分割全納して記録するよう前記復元指標図形を上書きされた原稿画像に対して画像を歪ませる画像歪み処理を実行する処理手順と、画像ヘッダを付加してセキュリティ画像を作成する処理手順と、セキュリティ画像を受信側装置に送信する処理手順と、を順次実行させて、引続いて、受信側装置に、送信側装置から受信して当該セキュリティ画像と受信宛名を表示出力し、受信を視覚確認されたセキュリティ画像の画像ヘッダ中から、設定パスワードを読み取る処理手順とともに、当該設定パスワードに照合する入力パスワードを入力する処理手順と、を実行させた後に、入力された当該入力パスワードと当該設定パスワードとの合致を確認する処理手順と、次いで、当該設定パスワードと当該入力パスワードが合致した場合に、セキュリティ画像を読み取る処理手順と、当該セキュリティ画像に対して、画像歪み処理装置で情報量を変えることなく所定サイズの出力表示媒体上に歪み食み出し図形をも分割全納して記録された画像の歪みを復元指標図形を基に補正して復元画像を作成する画像逆歪み処理を実行する処理手順と、当該復元画像を出力する処理手順と、を順次実行させる、という特徴的構成手順を講じる。
【００１９】
加えて、本発明記録媒体においては、上記本発明プログラムにおける各処理手順の実践手続をコンピュータ読取可能に実録してなる、という特徴的構成手続を講じる。
【００２０】
さらに、具体的詳細に述べると、当該課題の解決では、本発明が次に列挙する上位概念から下位概念に亙る新規な特徴的構成手法、手段、手順及び手続を採用することにより、前記目的を達成するように為される。
【００２１】
即ち、本発明方法の第１の特徴は、原稿画像を画像歪み処理したセキュリティ画像を送信側装置から作成送信して、通信回線を介して受信出力された当該セキュリティ画像から当該原稿画像に基づく復元画像を受信側装置で作成出力するセキュリティ画像通信方法であって、送信側装置において、まず、原稿画像を読み取るとともに、当該原稿画像の送信側と受信側との間で予め設定された設定パスワードを入力し、次に、当該設定パスワードをパターン化して画像として書き込んだ視覚表示出力可能な画像ヘッダを作成し、続いて、情報量を変えることなく所定サイズの出力表示媒体上に、各ピクセルの移動に伴い発生する、原稿図形と比較して食み出して伸長する範囲の図形（以下、「歪み食み出し図形」という）をも分割全納して記録するよう原稿画像に対して画像を歪ませる画像歪み処理を実施するとともに、前記画像ヘッダを付加してセキュリティ画像を作成して後、当該セキュリティ画像を受信側装置に送信し、一方、当該受信側装置において、当該受信したセキュリティ画像を受信宛名ともども一旦表示出力し受信を視覚確認した上で、まず、設定パスワードに合致する入力パスワードを入力するとともに、送信側装置から受信して出力されたセキュリティ画像の画像ヘッダ中から、設定パスワードを読み取り、次に、入力された入力パスワードと当該設定パスワードとの合致を確認し、ここで、当該設定パスワードと当該入力パスワードが合致した場合、さらに、セキュリティ画像を読み取り、その後、当該セキュリティ画像に対して、送信側装置の画像歪み処理で情報量を変えることなく所定サイズの出力表示媒体上に歪み食み出し図形をも分割全納して記録された画像の歪みを補正して復元画像を作成する画像逆歪み処理を実施し、最後に、受信側装置から直接当該復元画像を紙出力してなる、セキュリティ画像通信方法の構成採用にある。
【００２２】
本発明方法の第２の特徴は、上記本発明方法の第１の特徴における受信側装置が、別途設置された他の画像逆歪み処理をなし得ない受信側装置において、取り敢えず、送信側装置からのセキュリティ画像を事前に受信表示出力して置き、その後、当該出力セキュリティ画像を、画像逆歪み処理なし得る受信側装置において読み取ることにより、復元画像を作成出力してなる、セキュリティ画像通信方法の構成採用にある。
【００２３】
本発明方法の第３の特徴は、上記本発明方法の第２の特徴における画像逆歪み
処理をなし得ない受信側装置が、通信回線上の任意の領域に配置されたパーソナ
ルコンピュータであって、当該パーソナルコンピュータにより、通信回線を介してセキュリティ画像を受信し、当該パーソナルコンピュータに接続されたプリンタに当該セキュリティ画像の印刷命令を通知することにより、当該プリンタにて当該セキュリティ画像を印刷してなる、セキュリティ画像通信方法の構成採用にある。
【００２４】
本発明方法の第４の特徴は、上記本発明方法の第１、第２又は第３の特徴における画像歪み処理を、原稿画像をビットマップ形式として読み取り、当該原稿画像を構成するそれぞれのピクセルを、予め設定されたピクセル数分特定方向に移動させて、原稿画像に対して画像逆歪み処理により復元可能な画像歪みを発生させてなる、セキュリティ画像通信方法の構成採用にある。
【００２５】
本発明方法の第５の特徴は、上記本発明方法の第１、第２、第３又は第４の特徴における送信側装置が、原稿画像に対して予め設定された図形（以下「復元指標図形」という）を上書きして、当該復元指標図形が上書きされた当該原稿画像に対して画像歪み処理を行ってなる、セキュリティ画像通信方法の構成採用にある。
【００２６】
本発明方法の第６の特徴は、上記本発明方法の第５の特徴における画像逆歪み処理が、セキュリティ画像中に含まれる、送信側装置により原稿画像に上書きされて画像歪み処理された復元指標図形部分を認識して、当該復元指標図形部分を、構成ピクセルを特定ピクセル数分特定方向に平行移動させて当該画像歪み処理される以前の復元指標図形に補正することで、セキュリティ画像全体を、当該復元指標図形が上書きされた原稿画像の状態に復元してなる、セキュリティ画像通信方法の構成採用にある。
【００２７】
本発明方法の第７の特徴は、上記本発明方法の第１、第２、第３、第４、第５又は第６の特徴における画像歪み処理を、原稿画像の特定の範囲に対して当該画像歪み処理のスキップ指定が為された場合、当該特定の範囲はそのままに、当該特定の範囲を除く部分に対してのみ画像を歪ませてなる、セキュリティ画像通信方法の構成採用にある。
【００２８】
本発明方法の第８の特徴は、上記本発明方法の第１、第２、第３、第４、第５、第６又は第７の特徴における受信側装置が、読み取った画像ヘッダに書き込まれる設定パスワードと合致する入力パスワードとは異なる入力パスワードが入力された場合には、エラーを通知して、画像逆歪み処理を中断して終了してなる、セキュリティ画像通信方法の構成採用にある。
【００２９】
本発明方法の第９の特徴は、上記本発明方法の第１、第２、第３、第４、第５、第６、第７又は第８の特徴における送信側通信装置が、原稿画像の読み取りにおいて、当該原稿画像をページ単位で読み取り、当該ページ毎に、設定パスワードを書き込んだ画像ヘッダを付加したセキュリティ画像を作成してなる、セキュリティ画像通信方法の構成採用にある。
【００３０】
本発明方法の第１０の特徴は、上記本発明方法の第９の特徴における受信側通信装置が、画像ヘッダ中から設定パスワードの読み取りをページ毎に行い、当該画像ヘッダに書き込まれる設定パスワードに合致する入力パスワードの入力確認を、当該ページ毎に行ってなる、セキュリティ画像通信方法の構成採用にある。
【００３１】
本発明方法の第１１の特徴は、上記本発明方法の第１、第２、第３、第４、第５、第６、第７、第８、第９又は第１０の特徴における復元画像の出力を、当該復元画像の自動出力の後に、受信側装置において保持された当該復元画像を削除してなる、セキュリティ画像通信方法の構成採用にある。
【００３２】
一方、本発明送信側装置の第１の特徴は、通信回線を介して受信側装置に送信される、原稿画像を画像歪み処理して作成された復元可能なセキュリティ画像を作成送信するための送信側装置であって、原稿画像を読み取る原稿画像読取部と、当該原稿画像に対して、当該原稿画像の送信側と受信側との間で予め設定された設定パスワードを当該原稿画像毎に入力するパスワード設定部と、原稿画像読取部から当該原稿画像を入力されるとともに、パスワード設定部から設定パスワードを入力されて、当該設定パスワードをパターン化して画像として書き込んだ視覚表示出力可能な画像ヘッダを作成するとともに、情報量を変えることなく所定サイズの出力表示媒体上に歪み食み出し図形をも分割全納して記録するよう前記原稿画像に対して画像を歪ませる画像歪み処理を実施して、当該画像ヘッダが付加されたセキュリティ画像を作成する画像歪み処理部と、を具備し、原稿画像読取部にてビットマップ形式として読み取られた原稿画像に対して、当該原稿画像を構成するそれぞれのピクセルを、前記画像歪み処理部にて予め設定されたピクセル数分特定方向に移動させて歪みを発生させる画像歪み処理を実施してなる、セキュリティ画像送信側装置の構成採用にある。
【００３３】
本発明送信側装置の第２の特徴は、通信回線を介して受信側装置に送信される、原稿画像を画像歪み処理して作成された復元可能なセキュリティ画像を作成送信するための送信側装置であって、原稿画像を読み取る原稿画像読取部と、当該原稿画像に対して、当該原稿画像の送信側と受信側との間で予め設定された設定パスワードを当該原稿画像毎に入力するパスワード設定部と、原稿画像読取部から当該原稿画像を入力されるとともに、パスワード設定部から設定パスワードを入力されて、当該設定パスワードをパターン化して画像として書き込んだ視覚表示出力可能な画像ヘッダを作成するとともに、情報量を変えることなく所定サイズの出力表示媒体上に歪み食み出し図形をも分割全納して記録するよう前記原稿画像に対して画像を歪ませる画像歪み処理を実施して、当該画像ヘッダが付加されたセキュリティ画像を作成する画像歪み処理部と、を具備し、画像歪み処理部は、原稿画像に対して予め設定された復元指標図形を上書きして、当該復元指標図形が上書きされた当該原稿画像に対して画像歪み処理を行なってなる、セキュリティ画像送信側装置の構成採用にある。
【００３４】
本発明送信側装置の第３の特徴は、上記本発明送信側装置の第１又は第２の特徴における送信側装置が、通信回線に接続されて、セキュリティ画像をエンコードして、当該通信回線を介して接続される受信側装置に対し当該セキュリティ画像を送信する画像送信部を有してなる、セキュリティ画像送信側装置の構成採用にある。
【００３５】
本発明送信側装置の第４の特徴は、上記本発明送信側装置の第１、第２又は第３の特徴における画像歪み処理部が、読み込まれた原稿画像に対して、特定の範囲に対して画像歪み処理のスキップ指定を設定可能に保持し、当該特定の範囲はそのままに、当該特定の範囲を除く原稿画像に対してのみ画像を歪ませる画像歪み処理を実施するよう機能構成されてなる、セキュリティ画像送信側装置の構成採用にある。
【００３６】
本発明送信側装置の第５の特徴は、上記本発明送信側装置の第１、第２、第３又は第４の特徴における画像歪み処理部が、原稿画像読取部からページ単位で読み取られた原稿画像を入力されて、当該ページ毎に、設定パスワードを書き込んだ画像ヘッダを付加したセキュリティ画像を作成するよう機能構成されてなる、セキュリティ画像送信側装置の構成採用にある。
【００３７】
本発明送信側装置の第６の特徴は、上記本発明送信側装置の第１、第２、第３、第４又は第５の特徴における送信側装置が、画像歪み処理部にて当該原稿画像に基づき作成されたセキュリティ画像を出力する送信側画像出力部を具備してなる、セキュリティ画像送信側装置の構成採用にある。
【００３８】
本発明送信側装置の第７の特徴は、上記本発明送信側装置の第６の特徴における送信側画像出力部が、原稿画像読取部にて読み取られた原稿画像を出力可能に当該原稿画像読取部に接続されてなる、セキュリティ画像送信側装置の構成採用にある。
【００３９】
他方、本発明受信側装置の第１の特徴は、通信回線を介して送信側装置から送信された原稿画像を画像歪み処理して作成された復元可能なセキュリティ画像から、当該原稿画像通りに復元画像を作成出力するための受信側装置であって、受信側画像出力部で一旦受信を視覚確認させる為、受信宛名ともども印刷又は表示出力されたセキュリティ画像と、印刷又は表示出力された当該セキュリティ画像に付加されかつ予め設定されてパターン化された設定パスワードを画像として書き込んだ視覚表示出力可能な画像ヘッダを読み取るセキュリティ画像読取部と、当該設定パスワードに照合する入力パスワードを入力するパスワード入力部と、当該設定パスワードと当該入力パスワードとが合致するものであった場合に、セキュリティ画像に対して、送信側装置の画像歪み処理で情報量を変えることなく所定サイズの出力表示媒体上に歪み食み出し図形をも分割全納して記録させた画像の歪みを復元指標図形を基に補正して復元画像を作成する画像逆歪み処理を実施する画像逆歪み処理部と、を具備し、前記画像逆歪み処理部が、受信側画像出力部にて復元画像を出力表示して当該復元画像作成した上で印刷出力した後に、保持する当該復元画像を削除するように機能構成されてなる、セキュリティ画像受信側装置の構成採用にある。
【００４０】
本発明受信側装置の第２の特徴は、通信回線を介して送信側装置から送信された原稿画像を画像歪み処理して作成された復元可能なセキュリティ画像から、当該原稿画像通りに復元画像を作成出力するための受信側装置であって、受信側画像出力部で一旦受信を視覚確認させる為、受信宛名ともども印刷又は表示出力されたセキュリティ画像と、印刷又は表示出力された当該セキュリティ画像に付加されかつ予め設定されてパターン化された設定パスワードを画像として書き込んだ視覚出力表示可能な画像ヘッダを読み取るセキュリティ画像読取部と、当該設定パスワードに照合する入力パスワードを入力するパスワード入力部と、当該設定パスワードと当該入力パスワードとが合致するものであった場合に、セキュリティ画像に対して、送信側装置の画像歪み処理で情報量を変えることなく所定サイズの出力表示媒体上に歪み食み出し図形をも分割全納して記録させた画像の歪みを補正して復元画像を作成する画像逆歪み処理を実施し、かつ当該復元画像を出力する前記受信側画像出力部と接続した画像逆歪み処理部と、を具備し、前記画像逆歪み処理部が、セキュリティ画像中に含まれる、送信側装置により原稿画像に上書きされて画像歪み処理された、予め設定された復元指標図形部分を認識して、当該復元指標図形部分を、構成ピクセルを特定ピクセル数分特定方向に平行移動させて当該画像歪み処理される以前の復元指標図形に補正することで、セキュリティ画像全体を、当該復元指標図形が上書きされた原稿画像の状態に復元して復元画像を作成するよう機能構成されてなる、セキュリティ画像受信側装置の構成採用にある。
【００４１】
本発明受信側装置の第３の特徴は、上記本発明受信側装置の第１又は第２の特徴における受信側装置が、通信回線に接続し、当該通信回線を介して接続される送信側装置からエンコードされたセキュリティ画像のデータを受信して、当該データを当該セキュリティ画像にデコードする画像受信部を有してなる、セキュリティ画像受信側装置の構成採用にある。
【００４２】
本発明受信側装置の第４の特徴は、上記本発明受信側装置の第１、第２又は第３の特徴における受信側画像出力部が、画像逆歪み処理部にて作成された復元画像をも印刷出力するよう機能構成されてなる、セキュリティ画像受信側装置の構成採用にある。
【００４３】
本発明受信側装置の第５の特徴は、上記本発明受信側装置の第１又は第４の特徴における受信側画像出力部が、印刷出力可能なプリンタを有してなる、セキュリティ画像受信側装置の構成採用にある。
【００４４】
本発明受信側装置の第６の特徴は、上記本発明受信側装置の第１、第４又は第５の特徴における受信側画像出力部が、表示出力可能なディスプレイを有してなる、セキュリティ画像受信側装置の構成採用にある。
【００４５】
本発明受信側装置の第７の特徴は、上記本発明受信側装置の第６の特徴における受信側画像出力部が、ディスプレイに表示出力されたセキュリティ画像をセキュリティ画像読取部に入力可能に接続構成されてなる、セキュリティ画像受信側装置の構成採用にある。
【００４６】
本発明受信側装置の第８の特徴は、上記本発明受信側装置の第１、第２、第３、第４、第５、第６又は第７の特徴における画像逆歪み処理部が、読み取った画像ヘッダに書き込まれる設定パスワードと合致する入力パスワードとは異なる入力パスワードが入力された場合にはエラーを通知して、画像歪み処理を中断して終了するよう機能構成されてなる、セキュリティ画像受信側装置の構成採用にある。
【００４７】
本発明受信側装置の第９の特徴は、上記本発明受信側装置の第１、第２、第３、第４、第５、第６、第７又は第８の特徴における画像逆歪み処理部が、セキュリティ画像をセキュリティ画像読取部からページ単位で入力されて、当該ページ毎に、画像ヘッダに書き込まれる設定パスワードに合致する入力パスワードの入力確認を行うように機能構成されてなる、セキュリティ画像受信側装置の構成採用にある。
【００４８】
また、本発明システム装置の第１の特徴は、通信回線と、原稿画像を画像歪み処理したセキュリティ画像を作成送信する送信側装置と、当該通信回線を介して受信又は受信出力された当該セキュリティ画像から当該原稿画像に基づく復元画像を作成する受信側装置とで構築されるセキュリティ画像通信システム装置であって、送信側装置が、上記本発明送信側装置の第１、第２、第３、第４、第５、第６、第７又は第８の特徴におけるセキュリティ画像送信側装置であり、受信側装置が、上記本発明受信側装置の第１、第２、第３、第４、第５、第６、第７、第８又は第９の特徴におけるセキュリティ画像受信側装置である、セキュリティ画像通信システム装置の構成採用にある。
【００４９】
本発明システム装置の第２の特徴は、上記本発明システム装置の第１の特徴における送信側装置と受信側装置が、原稿画像読取部とセキュリティ画像読取部との機能を併せて構成された画像読取部と、パスワード設定部とパスワード入力部との機能を併せて構成されたパスワード設定／入力部と、画像歪み処理部と画像逆歪み処理部との機能を併せて構成されて、画像読取部とパスワード設定／入力部と接続された画像正逆歪み処理部と、を有して、セキュリティ画像を作成可能に機能構成される一方、出力された当該セキュリティ画像から復元画像を作成可能に機能構成されるセキュリティ画像送受信装置である、セキュリティ画像通信システム装置の構成採用にある。
【００５０】
本発明システム装置の第３の特徴は、上記本発明システム装置の第２の特徴におけるセキュリティ画像送受信装置が、画像送信部と画像受信部との機能を併せて構成されて、通信回線に接続されるともに画像正逆歪み処理部に接続された画像送受信部を有してなる、セキュリティ画像通信システム装置の構成採用にある。
【００５１】
本発明システム装置の第４の特徴は、上記本発明システム装置の第２又は第３の特徴におけるセキュリティ画像送受信装置が、送信側画像出力部と受信側画像出力部との機能を併せて構成された画像出力部を有してなる、セキュリティ画像通信システム装置の構成採用にある。
【００５２】
本発明システム装置の第５の特徴は、上記本発明システム装置の第１、第２、第３又は第４の特徴におけるセキュリティ画像通信システム装置が、送信側装置から送信されたセキュリティ画像を受信する通信回線上の任意の領域に配置されたパーソナルコンピュータと、当該パーソナルコンピュータに接続されて、当該パーソナルコンピュータの印刷命令に基づきセキュリティ画像を印刷するプリンタと、を具備して、受信側装置により、当該プリンタにて印刷したセキュリティ画像を読込み、復元画像を作成可能に構築されてなる、セキュリティ画像通信システム装置の構成採用にある。
【００５３】
さらに、本発明プログラムの第１の特徴は、共にコンピュータの基本的機能を具備するとともに、原稿画像を画像歪み処理したセキュリティ画像を作成送信する送信側装置と、通信回線を介して受信出力された当該セキュリティ画像から当該原稿画像に基づく復元画像を作成出力する受信側装置と、を有して構築されたネットワークシステムに適用されるセキュリティ画像通信処理プログラムであって、送信側装置に、原稿画像を予め上書き設定された復元指標図形ともども読み取る処理手順と、当該原稿画像の送信側と受信側との間で予め設定された設定パスワードを入力する処理手順と、当該設定パスワードをパターン化して画像として書き込んだ視覚出力表示可能な画像ヘッダを作成させる処理手順と、情報量を変えることなく所定サイズの出力表示媒体上に歪み食み出し図形をも分割全納して記録するよう前記復元指標図形を上書きされた原稿画像に対して画像を歪ませる画像歪み処理を実行する処理手順と、画像ヘッダを付加してセキュリティ画像を作成する処理手順と、当該セキュリティ画像を受信側装置に送信する処理手順と、を順次実行させ、引続いて、受信側装置に、送信側装置から受信して当該セキュリティ画像と受信宛名を表示出力し、受信を視覚確認されたセキュリティ画像の画像ヘッダ中から、設定パスワードを読み取る処理手順と、当該設定パスワードに照合する入力パスワードを入力する処理手順と、入力された当該入力パスワードと当該設定パスワードとの合致を確認する処理手順と、次いで、当該設定パスワードと当該入力パスワードが合致した場合に、セキュリティ画像を読み取る処理手順と、当該セキュリティ画像に対して、前記画像歪み処理装置で情報量を変えることなく所定サイズの出力表示媒体上に歪み食み出し図形をも分割全納して記録された画像の歪みを前記復元指標図形を基に補正して復元画像を作成する画像逆歪み処理を実行する処理手順と、当該復元画像を紙出力する処理手順と、を順次実行させ、画像歪み処理を実行する処理手順は、原稿画像に対して予め設定された復元指標図形を上書きする処理手順と、当該復元指標図形が上書きされた当該原稿画像に対して画像歪み処理を行う処理手順と、を順次実行させてなる、セキュリティ画像通信処理プログラムの構成採用にある。
【００５４】
本発明プログラムの第２の特徴は、共にコンピュータの基本的機能を具備するとともに、原稿画像を画像歪み処理したセキュリティ画像を作成送信する送信側装置と、通信回線を介して受信出力された当該セキュリティ画像から当該原稿画像に基づく復元画像を作成出力する受信側装置と、を有して構築されたネットワークシステムに適用されるセキュリティ画像通信処理プログラムであって、送信側装置に、原稿画像を読み取る処理手順と、当該原稿画像の送信側と受信側との間で予め設定された設定パスワードを入力する処理手順と、当該設定パスワードをパターン化して画像として書き込んだ視覚表示出力可能な画像ヘッダを作成させる処理手順と、情報量を変えることなく所定サイズの出力表示媒体上に歪み食み出し図形を分割全納して記録するよう前記指標画像を上書きされた原稿画像に対して画像を歪ませる画像歪み処理を実行する処理手順と、画像ヘッダを付加してセキュリティ画像を作成する処理手順と、当該セキュリティ画像を受信側装置に送信する処理手順と、を順次実行させ、引続いて、受信側装置に、送信側装置から受信して受信を視覚確認する為、受信宛名ともども表示出力されたセキュリティ画像の画像ヘッダ中から、設定パスワードを読み取る処理手順と、当該設定パスワードに照合する入力パスワードを入力する処理手順と、入力された当該入力パスワードと当該設定パスワードとの合致を確認する処理手順を実行させ、次いで、当該設定パスワードと当該入力パスワードが合致した場合に、セキュリティ画像を読み取る処理手順と、当該セキュリティ画像に対して、前記画像歪み処理手順で情報量を変えることなく、所定サイズの出力表示媒体に歪み食み出し図形をも分割全納して記録された画像の歪みを補正して復元画像を作成する画像逆歪み処理を実行する処理手順と、当該復元画像を紙出力する処理手順と、を順次実行させ、前記画像逆歪み処理を実行する処理手順を、セキュリティ画像中に含まれる、送信側装置により原稿画像に上書きされて画像歪み処理された復元指標図形部分を認識する処理手順と、当該復元指標図形部分を、構成ピクセルを特定ピクセル数分特定方向に平行移動させて当該画像歪み処理される以前の復元指標図形に補正することで、セキュリティ画像全体を、当該復元指標図形が上書きされた原稿画像の状態に復元する処理手順と、を順次実行させてなる、セキュリティ画像通信処理プログラムの構成採用にある。
【００５５】
本発明プログラムの第３の特徴は、上記本発明プログラムの第１又は第２の特徴における受信側装置における設定パスワードを読み取る処理手順を、別途設置された他の従来の受信側装置において、送信側装置から送信されたセキュリティ画像を一旦受信表示出力する処理手順を事前に実行させた後に実行させてなる、セキュリティ画像通信処理プログラムの構成採用にある。
【００５６】
本発明プログラムの第４の特徴は、上記本発明プログラムの第３の特徴における送信側装置から送信されたセキュリティ画像を一旦表示出力し受信を視覚確認する処理手順を、別途設置された他の従来の受信側装置として通信回線上の任意の領域に配置されたパーソナルコンピュータに、通信回線を介してセキュリティ画像を受信させる手順と、当該パーソナルコンピュータから、当該パーソナルコンピュータに接続されたプリンタに当該セキュリティ画像の印刷命令を通知することにより、当該プリンタにて当該セキュリティ画像を印刷させる手順と、を順次実行させてなる、セキュリティ画像通信処理プログラムの構成採用にある。
【００５７】
本発明プログラムの第５の特徴は、上記本発明プログラムの第１、第２、第３又は第４の特徴における画像歪み処理を実行する処理手順を、予め、原稿画像を読み取る処理手順として、当該原稿画像をビットマップ形式として読み取る処理手順を実行させた上で、当該原稿画像を構成するそれぞれのピクセルを、予め設定されたピクセル数分特定方向に移動させる処理手順を実行させてなる、セキュリティ画像通信処理プログラムの構成採用にある。
【００５８】
本発明プログラムの第６の特徴は、上記本発明プログラムの第１、第２、第３、第４又は第５の特徴における画像歪み処理を実行する処理手順を、原稿画像の特定の範囲に対して画像歪み処理のスキップ指定を確認する処理手順と、当該スキップ指定を確認する処理手順において、当該スキップ指定が設定されていた場合に、当該特定の範囲はそのままに、当該特定の範囲を除く部分に対してのみ画像を歪ませる処理手順を実行させてなる、セキュリティ画像通信処理プログラムの構成採用にある。
【００５９】
本発明プログラムの第７の特徴は、上記本発明プログラムの第１、第２、第３、第４、第５又は第６の特徴における入力パスワードと設定パスワードとの合致を確認する処理手順を、読み取った画像ヘッダに書き込まれる当該設定パスワードと合致する当該入力パスワードとは異なる入力パスワードが入力された場合には、エラーを通知して処理を中断し終了する処理手順を実行させてなる、セキュリティ画像通信処理プログラムの構成採用にある。
【００６０】
本発明プログラムの第８の特徴は、上記本発明プログラムの第１、第２、第３、第４、第５、第６又は第７の特徴におけるセキュリティ画像を作成する処理手順を、原稿画像を読み取る処理手順において事前に当該原稿画像をページ単位で読み取り設定された場合に、当該ページ単位で作成するセキュリティ画像に対して、当該ページ毎に設定パスワードを書き込んだ画像ヘッダを付加する処理手順を実行させてなる、セキュリティ画像通信処理プログラムの構成採用にある。
【００６１】
本発明プログラムの第９の特徴は、上記本発明プログラムの第８の特徴における入力パスワードと設定パスワードとの合致を確認する処理手順を、当該設定パスワードを読み取る処理手順において事前にページ毎に当該設定パスワードが設定されていた場合に、当該ページ毎に入力パスワードと当該設定パスワードとの合致を確認する処理手順を実行させてなる、セキュリティ画像通信処理プログラムの構成採用にある。
【００６２】
本発明プログラムの第１０の特徴は、上記本発明プログラムの第１、第２、第３、第４、第５、第６、第７、第８又は第９の特徴における復元画像を出力する処理手順を、当該復元画像の出力の後に、受信側装置において保持された当該復元画像を削除する処理手順を実行させてなる、セキュリティ画像通信処理プログラムの構成採用にある。
【００６３】
また、本発明記録媒体の第１の特徴は、上記本発明プログラムの第１、第２、第３、第４、第５、第６、第７、第８、第９又は第１０の特徴におけるセキュリティ画像通信処理プログラムにおける各処理手順の実行手続をコンピュータ読取可能に実録してなる、セキュリティ画像通信処理プログラムを記録した記録媒体の構成採用にある。
【発明の効果】
【００６４】
本発明によれば、送信側装置にてセキュリティ画像に設定される設定パスワードに合致する入力パスワードを通知された特定の受信者以外に対して画像の判読を困難として、特定の受信者のみが内容を判読することができ、かつ、高価な暗号／復号化装置を別途必要としない画像通信が可能となり、また、一度判読が困難なものであるセキュリティ画像を受信し、出力した上で、受信側装置にて新たに読み込むことで復元画像を作成するものであることから、受信者にとって容易に受信があったことを認識することが可能となる。
【００６５】
さらに、特定の送信側装置及び受信側装置に依存する暗号／復号化を行うものではなく、画像歪み処理されたセキュリティ画像をそのまま出力して、この出力された歪み処理されたセキュリティ画像を新たに読み込み、復元を行うものであるから、受信者は、特定の受信側装置における受信に限定されずに、任意の従来の受信手段によるセキュリティ画像の受信を行うことも可能であり、受信出力した受信側装置と同時に搭載される又は別途備えた画像逆歪み処理を行う機能により復元画像を作成することが可能となる。
【００６６】
送信側装置の通信出力部にディスプレイ及びプリンタを装備し、原稿画像、歪み画像、組み合わせ画像等をその都度チェックして送信画像の正確を期すとともに、相手がその問合せに対し即答可能な送信記録資料を印刷保管可能であるばかりか、セキュリティ画像の受信出力は従来のファックス等で可能であるから、受信出力と復元再生は別箇に行うことが出来て、受信の便利さと秘密性をより高める等優れた効果を有する。
【発明を実施するための最良の形態】
【００６７】
以下、本発明の実施の形態につき、装置例及びこれに対応する方法例を添付図面を参照しつつ、本発明をページ単位に送受信される画像に適用した場合を例に挙げて順に説明し、これに引続き、この方法例を具現化するプログラム例及び記録媒体例を説明する。
【００６８】
（装置例１）
まず、図１は、本発明の一実施形態例に係る装置例１としてのセキュリティ画像通信システム装置を示すシステム構成図である。ここで、セキュリティ画像送信側装置Ａ及びセキュリティ画像受信側装置Ｂ内部に示した各構成部間の信号フローを、セキュリティ画像送信側装置Ａから通信回線Ｎまでを実線矢印で、一方、通信回線Ｎからセキュリティ画像受信側装置Ｂまでを点線矢印で示している。
【００６９】
同図に示すように、本装置例にかかるセキュリティ画像通信システム装置αは、通信回線Ｎと、原稿画像を画像歪み処理したセキュリティ画像を作成送信するセキュリティ画像送信側装置Ａと、例えば、電話回線やインターネット等の通信回線Ｎを介して受信出力されたセキュリティ画像から当該原稿画像に基づく復元画像を作成するセキュリティ画像受信側装置Ｂとで構築されて、セキュリティ画像送信側装置Ａはセキュリティ画像受信側装置Ｂとともに、例えば、従来の受信側装置Ｄに対してもセキュリティ画像を送信可能に接続されている。
【００７０】
セキュリティ画像送信側装置Ａは、例えば、ＣＰＵ（Central Processing Unit）とメモリ等を搭載して、通信回線Ｎを介してセキュリティ画像受信側装置Ｂに送信される、原稿画像を画像歪み処理して作成された復元可能なセキュリティ画像を作成するための送信側装置であって、原稿画像を読み取る原稿画像読取部ａ１と、原稿画像に対して、原稿画像の送信側と受信側との間で予め設定された設定パスワードを原稿画像毎に入力するパスワード設定部ａ２と、原稿画像読取部ａ１から、例えば、ビットマップ形式等で原稿画像を入力されるとともに、パスワード設定部ａ２から設定パスワードを入力されて、この設定パスワードを、例えばバイナリコードに変換する等によりパターン化して書き込んだ画像ヘッダを作成するとともに、原稿画像に対して画像を歪ませる画像歪み処理を実施して、画像ヘッダが付加されたセキュリティ画像を作成する画像歪み処理部ａ３と、を具備する。
【００７１】
加えて、セキュリティ画像送信側装置Ａは、通信回線Ｎに接続されて、セキュリティ画像をエンコードして、通信回線Ｎを介して接続されるセキュリティ画像受信側装置Ｂ又は従来の受信側装置Ｄに対しセキュリティ画像を送信する画像送信部ａ４を有してもよく、画像送信部ａ４は、従来の画像を送信可能な通信装置であっても構わない。
【００７２】
ここで、画像歪み処理部ａ３は、原稿画像読取部ａ１にて、例えば、ビットマップ形式として読み取られた原稿画像に対して、この原稿画像を構成するそれぞれの、例えば、白と黒の２色を示すビット又はピクセル等を、予め設定された数分だけ、例えば、１行ずつ特定方向に移動させることで画像に復元可能な歪みを発生させて、画像歪み処理を実施するよう機能構成されて、容易に原稿画像を判読できないように機能する。
【００７３】
また、画像歪み処理部ａ３は、画像歪み処理を行うにあたり、原稿画像に対して予め送信者側と受信者側とで設定された、例えば、水平線や垂直線等の画像歪み処理後にも容易に認識可能な復元指標図形を上書きして、この図形が上書きされた原稿画像に対して画像歪み処理を行うよう機能構成されることにより、セキュリティ画像受信側装置Ｂにて復元される際に、この図形を認識して画像逆歪み処理の指標とすることができるようにしてもよく、より正確な復元を可能とするものである。
【００７４】
さらに、画像歪み処理部ａ３は、原稿画像読取部ａ１にて読み込まれた原稿画像に対して、特定の範囲、例えば、受信者、件名、ページ数等の情報を含むような１ページ全体や、画像の一領域等に対してのみ画像歪み処理を行わない、予め設定された特定範囲のスキップ指定を設定可能に保持して、このスキップ指定された特定の範囲はそのままに、スキップ指定された範囲以外の原稿画像の領域に対してのみ画像を歪ませる画像歪み処理を実施するよう機能構成されてもよい。
【００７５】
原稿画像読取部ａ１にてページ単位で原稿画像が読み込まれた場合、画像歪み処理部ａ３は、このページ単位の原稿画像を入力されるものであるが、このページ毎に設定パスワードを書き込んだ画像ヘッダを付加したセキュリティ画像を作成するように機能構成されてもよい。
【００７６】
なお、セキュリティ画像送信側装置Ａは、さらに、画像歪み処理部ａ３にてこの原稿画像に基づき作成されるセキュリティ画像を出力する、例えば、表示出力可能なディスプレイや印刷出力可能なプリンタ、あるいはメモリや別途具備する記憶装置にファイル出力可能に構成される送信側画像出力部ａ５を具備してもよく、送信側画像出力部ａ５は画像歪み処理部ａ３に接続される。
【００７７】
さらに、この送信側画像出力部ａ５を原稿画像読取部ａ１に接続させて、原稿画像読取部ａ１にて読み取られた原稿画像を出力可能に機能構成されてもよい。
【００７８】
一方、セキュリティ画像受信側装置Ｂは、例えば、セキュリティ画像送信側装置Ａと同様のＣＰＵとメモリ等を搭載して、通信回線Ｎを介してセキュリティ画像送信側装置Ａから送信された原稿画像を画像歪み処理して作成された復元可能なセキュリティ画像から、この原稿画像に基づく復元画像を作成するための受信側装置であって、受信側画像出力部ｂ５で一旦受信印刷又は表示出力されたセキュリティ画像と、印刷又は表示出力された当該セキュリティ画像に付加されかつ予め設定されて、例えば、バイナリコード変換等によりパターン化された設定パスワードを書き込まれた画像ヘッダを読み取るセキュリティ画像読取部ｂ１と、設定パスワードに照合する入力パスワードを入力するパスワード入力部ｂ２と、この設定パスワードと入力パスワードとが合致するか確認して、合致するものであった場合に、セキュリティ画像に対して画像の歪みを補正して復元画像を作成する画像逆歪み処理を実施する画像逆歪み処理部ｂ３と、を具備する。
【００７９】
加えて、セキュリティ画像受信側装置Ｂは、通信回線Ｎに接続されて、通信回線Ｎを介して接続されるセキュリティ画像送信側装置Ａからエンコードされたセキュリティ画像のデータを受信して、当該データをセキュリティ画像にデコードする画像受信部ｂ４を有してもよく、画像受信部ｂ４は、従来の画像を受信可能な通信装置であっても構わない。
【００８０】
また、受信側画像出力部ｂ５は、画像逆歪み処理部ｂ３にて作成された復元画像を出力表示媒体に印刷出力するよう機能構成されてもよく、画像受信部ｂ４と受信側画像出力部ｂ５を併せて具備した場合、受信側画像出力部ｂ５は、通信回線Ｎを介して画像受信部ｂ４にて受信したセキュリティ画像を、セキュリティ画像読取部ｂ１にて読み取り可能に出力するよう機能構成されるとよい。
【００８１】
なお、画像逆歪み処理部ｂ３により作成された復元画像が、画像逆歪み処理部ｂ３に接続された受信側画像出力部ｂ５にて印刷出力されたときには、画像逆歪み処理部ｂ３に保持される復元画像のデータを削除するように機能構成されることで、より確実にセキュリティを保持することが可能となる。
【００８２】
また、この受信側画像出力部ｂ５は、例えば、印刷出力可能なプリンタを有して、セキュリティ画像送信側装置Ａから送信されたセキュリティ画像を印刷することも可能でありまた、画像逆歪み処理部ｂ３にて作成された復元画像を印刷することも可能に機能構成されてもよく、さらに、受信側画像出力部ｂ５が、例えば、表示出力可能なディスプレイを有してもよく、もちろん、プリンタとディスプレイとの双方を併せて有しても構わず、印刷出力されたセキュリティ画像又は別途設置された従来の受信側装置Ｄにて受信印刷されたセキュリティ画像をセキュリティ画像読取部ｂ１にて読み取るように構成される。
【００８３】
ここで、受信側画像出力部ｂ５が、ディスプレイを有して、このディスプレイに表示出力されたセキュリティ画像を、セキュリティ画像読取部ｂ１に入力可能に機能構成されるときには、受信側画像出力部ｂ５はセキュリティ画像読取部ｂ１と接続構成されても構わない。
【００８４】
画像逆歪み処理部ｂ３は、セキュリティ画像中に含まれる、セキュリティ画像送信側装置Ａの画像歪み処理部ａ３により原稿画像に上書きされて画像歪み処理された、予め送信側と受信側とで設定された、例えば、水平線や垂直線等が画像歪み処理された復元指標図形部分を認識して、この図形部分を指標としてセキュリティ画像の画像歪み処理された部分を一体に、画像歪み処理とは逆方向に画像を歪めるような画像逆歪み処理を実施して、セキュリティ画像全体を図形が上書きされた原稿画像の状態に復元して復元画像を作成するよう機能構成されてもよく、これにより外部要因により歪みが発生した場合でも、画像歪み処理される以前の画像に正確に補正することができる。
【００８５】
また、画像逆歪み処理部ｂ３は、セキュリティ画像読取部ｂ１により読み取ったセキュリティ画像に付加された画像ヘッダに書き込まれる設定パスワードと合致する入力パスワードとは異なる入力パスワードが入力された場合にはエラーを通知して、画像歪み処理を中断して終了するよう機能構成されてもよい。
【００８６】
さらに、画像逆歪み処理部ｂ３は、セキュリティ画像をセキュリティ画像読取部ｂ１からページ単位で入力された場合、このセキュリティ画像の各ページ毎に、各ページの画像ヘッダを読み取って、画像ヘッダ中の設定パスワードに合致する入力パスワードの入力確認を全ページに亙って繰り返し行うように機能構成されてもよい。
【００８７】
（装置例２）
次に、図２は、本発明の一実施形態例に係る装置例２としてのセキュリティ画像通信
システム装置を示すシステム構成図である。ここで、同図に示したセキュリティ画像送
受信装置Ｃ内部の各構成部間の接続関係は、図１に示した送信側信号のフローを
示す実線矢印と受信側信号のフローを示す点線矢印と同一又は同等のものである。
【００８８】
図２は、図１に示したセキュリティ画像送信側装置Ａとセキュリティ画像受信側装置Ｂがそれぞれ具備する各機能構成部を同時に具備するセキュリティ画像送受信装置
Ｃが通信回線Ｎに接続されて、セキュリティ画像の送受信を可能とするセキュリティ画像通信システム装置βである。
【００８９】
同図に示すように、セキュリティ画像送受信装置Ｃは、例えば、セキュリティ画像送信側装置Ａ及びセキュリティ画像受信側装置Ｂと同様のＣＰＵとメモリ等を搭載して、図１に示した、原稿画像読取部ａ１とセキュリティ画像読取部ｂ１との機能を併せて構成された画像読取部ｃ１と、パスワード設定部ａ２とパスワード入力部ｂ２との機能を併せて構成されたパスワード設定／入力部ｃ２と、画像歪み処理部ａ３と画像逆歪み処理部ｂ３との機能を併せて構成された画像正逆歪み処理部ｃ３とを有して、セキュリティ画像を作成可能に機能構成される一方、出力されたセキュリティ画像から復元画像を作成可能に機能構成される。
【００９０】
加えて、セキュリティ画像送受信装置Ｃは、図１に示した画像送信部ａ４と画像受信部ｂ４との機能を併せて構成されて、通信回線Ｎに接続されるとともに画像正逆歪み処理部ｃ３に接続された画像送受信部ｃ４を有してもよいものであるが、画像送受信部ｃ４は、従来の手段による画像を送受信可能な通信装置であっても構わない。
【００９１】
また、併せて送信側画像出力部ａ５と受信側画像出力部ｂ５との機能を併せて構成された画像出力部ｃ５を有しても構わず、これにより画像出力部ｃ５は、画像正逆歪み処理部ｃ３にて作成された復元画像を出力するとともに、画像送受信部ｃ４にて受信し
たセキュリティ画像を出力可能に構成される。
【００９２】
なお、画像出力部ｃ５は、例えば、ファクシミリ等の送受信における印刷出力可能にプリンタ等を有して構成された場合には、画像送受信部ｃ４にて受信したセキュリティ画像を印刷出力して、この印刷出力されたセキュリティ画像又は別途設置された従来の受信側装置Ｄにて受信出力されたセキュリティ画像を画像読取部ｃ１にて読み取るように構成される。
【００９３】
一方、画像出力部ｃ５が、例えば、電子メール等の送受信における表示出力可能にディスプレイ等を有して構成された場合には、画像送受信部ｃ４にて受信したセキュリティ画像をこのディスプレイに表示出力して、接続される画像読取部ｃ１にそのままセキュリティ画像を出力可能に構築されても構わない。
【００９４】
以上のように構成されたセキュリティ画像送受信装置Ｃは、原稿画像からセキュリティ画像を作成して、セキュリティ画像受信側装置Ｂ又はセキュリティ画像送受信装置Ｃと同様の構成であるセキュリティ画像送受信装置Ｃ´に対して送信可能に構成されるとともに、セキュリティ画像送信側装置Ａ又はセキュリティ画像送受信装置Ｃ´から送信されたセキュリティ画像を受信、又は他の受信側装置Ｄにて受信出力して、このセキュリティ画像から復元画像を作成可能に構成される。
【００９５】
（装置例３）
続いて、図３は、本発明の一実施形態例に係る装置例３としてのセキュリティ画像通信システム装置を示すシステム構成図である。
【００９６】
同図に示すように、本装置例に係るセキュリティ画像通信システム装置γは、図１及び図２に示した従来の受信側装置Ｄに替えて、例えば、インターネット等の通信回線Ｎを介してセキュリティ画像送信側装置Ａあるいはセキュリティ画像送受信側装置Ｃからセキュリティ画像を受信可能なコンピュータの基本機能を具備したパーソナルコンピュータｄ１と、パーソナルコンピュータｄ１からの印刷命令に従い所定のデータを印刷可能なプリンタｄ２とを有して構成される。
【００９７】
このとき、セキュリティ画像通信システム装置γは、プリンタｄ２にて印刷出力されたセキュリティ画像を、図１あるいは図２に示したセキュリティ画像受信側装置Ｂあるいはセキュリティ画像送受信側装置Ｃ´にて読取るとともに、受信側ユーザの読取可能な
復元画像を作成、出力可能に構築されるとよい。
【００９８】
これにより、セキュリティ画像の受信側では、セキュリティ画像の受信機能を搭載する専用の装置を必要とすることなく、インターネット等の通信回線Ｎに接続された任意のパーソナルコンピュータｄ１にてセキュリティ画像を受信、印刷出力することが可能となるとともに、この任意のパーソナルコンピュータｄ１にて受信可能な画像は読取が困難なセキュリティ画像のみであることから、機密性やプライバシーを十分に担保することができる。
【００９９】
［セキュリティ画像例］
続いて、本装置例において適用されるセキュリティ画像例について説明する。
まず、図４は、本画像例に付加される画像ヘッダの例である。以下、本画像例においては、装置例１のセキュリティ画像送信側装置Ａとセキュリティ画像受信側装置Ｂとで説明するものの、装置例２のセキュリティ画像通信システム装置βあるいはセキュリティ画像通信システム装置γに適用するものであっても構わない。
【０１００】
同図に示すように、本画像例におけるセキュリティ画像１は、例えば、ページ先頭等のセキュリティ画像１の先頭部に、画像歪み処理部ａ３により付加された画像ヘッダ１１と、同じく画像歪み処理部ａ３により原稿画像に対して歪みを生じさせた画像で構成されるセキュリティ画像部１２とからなる。
【０１０１】
ここで、画像ヘッダ１１は、セキュリティ画像送信側装置Ａのパスワード設定部ａ２にて設定入力された、予め送信側及び受信側で設定された設定パスワードを、画像歪み処理部ａ３にて、判読不能な形式の、例えば、バイナリコード等に変換することによりパターン化された設定パスワードパターン部と、他に、例えば、送信日時が記載される送信日時記録部１１ｂと、後に続く判読不能な画像がセキュリティ画像であることを受信者に通知して誤解を与えないように、例えば、「セキュリティ画像」と記載して明示セキュリティ画像明示部１１ｃ等で構成される。
【０１０２】
この設定パスワードパターン部１１ａは、セキュリティ画像受信側装置Ｂのセキュリティ画像読取部ｂ１で読み取られるものであり、画像逆歪み処理部ｂ３では、この設定パスワードと合致する予め送信側及び受信側において設定された入力パスワードが入力された場合にのみ、セキュリティ画像部１２から復元画像の作成を可能とするものである。
【０１０３】
［画像歪み処理例］
一方、セキュリティ画像部１２は、画像歪み処理部ａ３にて原稿画像に対して画像歪み処理されて作成されるものであるが、ここで、その画像歪み処理例について詳説する。
【０１０４】
図５は、本処理例を適用される原稿画像として、「Ａ」、「Ｂ」二つのキャラクタよりなる原稿画像例であり、図５は、図４に示した原稿画像に対して、本処理例における画像歪み処理例の、例えば、１ピクセルの移動処理を実施した場合の画像歪み例である。
【０１０５】
本処理例では、原稿画像読取部ａ１にてビットマップ形式で読み込まれた図５に示すような原稿画像に対し、最も簡単な、それぞれのピクセル行を１ピクセルずつ平行移動させることにより１ピクセルの画像歪み処理を実施したものであるが、各ピクセル行の移動させるピクセル数に任意の値を採用して画像歪み処理することで、原稿画像に記載される情報の判読を困難なものとする。
【０１０６】
なお、図６は、図５と比較してピクセルの移動方向に伸長された画像サイズとなっているが、ファクシミリ等の画像サイズが出力表示媒体において規定されている場合、後述するように、伸長された部分をピクセルの移動方向とは逆の付加された空白部分に配置することで、原稿画像と同じ画像サイズを保つことができる。
【０１０７】
続いて、図７乃至図９を用いて画像歪み処理例を詳説する。
図７は、本処理例が適用される他の原稿画像例に中央交差する２直線からなる図形を上書きされた画像例であり、図８及び図９は、図７に示した図形を上書きされた原稿画像例に対して画像歪み処理例を実施した場合の画像歪み例である。
【０１０８】
図７の原稿画像には、画像逆歪み処理部ｂ３にて復元が容易となるように、原稿画像中央で交差する２本の斜線を別途原稿画像に対して上書きした例であり、この図形を上書きされた原稿画像に対して、原稿画像を構成するそれぞれのピクセルの各行を１ピクセルずつ移動させたものが図８であり、３ピクセルずつ移動させたものが図９である。
【０１０９】
図８及び図９に示すように、各ピクセル行の移動させるピクセル数を増大することで原稿画像の判読を困難にすることができ、移動させるピクセル数は、セキュリティ画像送信側装置Ａとセキュリティ画像受信側装置Ｂとで予め設定された任意のピクセル数であって構わない。
【０１１０】
ここで、図７乃至図９は、原稿画像に対して、別途任意の図形を上書きしてから画像歪み処理を実施させたものであるが、例えば、水平線や垂直線などを原稿画像に上書きすることにより、このセキュリティ画像を画像逆歪み処理部ｂ３にて復元する際に、受信時や出力時及び読み取り時に画像に歪みが発生した場合にも、画像逆歪み処理を実施するピクセル位置を適切に認識することができ、より正確な復元画像を得ることができる。
【０１１１】
また、図８及び図９に示すように、各ピクセルの移動に伴い発生する、原稿図形と比較して出力表示媒体の所定サイズを食み出して伸長する範囲の図形、即ち歪み食み出し図形は、同じ画像歪み処理により生じる図形の同一出力表示媒体上の空白部分にシフトすることで、原稿画像とセキュリティ画像との画像サイズが同一に保たれる。
【０１１２】
なお、ここではピクセル単位での画像歪み処理例及び画像逆歪み処理例を説明したが、ビットマップ形式で読み取られた原稿画像に対してビット単位で画像歪み処理を行い、続いて、この作成されたセキュリティ画像に対して、ビット単位による画像逆歪み処理を行うことも可能である。
【０１１３】
なお、図８又は図９に示すセキュリティ画像１を読み取るセキュリティ画像受信側装置Ｂは、このセキュリティ画像１から、画像歪み処理の対象となった原稿画像に基づく復元画像を作成するよう機能構成されるものであるが、ここで作成される復元画像は、セキュリティ画像受信側装置Ｂを利用するユーザが読み取り可能な、例えば、原稿画像と同等のものであり、また、図７に示した原稿画像に復元指標図形を上書きされたものであっても構わない。
【０１１４】
（方法例）
続いて、以上のように構築されたセキュリティ画像通信システム装置αを用いて原稿画像を画像歪み処理したセキュリティ画像１をセキュリティ画像送信側装置Ａから作成送信して、通信回線Ｎを介して受信出力されたこのセキュリティ画像１からこの原稿画像に基づく復元画像をセキュリティ画像受信側装置Ｂで作成出力するセキュリティ画像通信方法の具体例を説明するものであるが、セキュリティ画像通信システム装置βあるいはセキュリティ画像通信システム装置γに対しても同様に適用される。
【０１１５】
まず、図１０は、本発明のセキュリティ画像送信側装置におけるセキュリティ画像通信方法を説明するためのシーケンス図である。
【０１１６】
同図に示すように、本形態例では、セキュリティ画像送信側装置Ａの原稿画像読取部ａ１において、まず、原稿画像を、例えば、スキャナ等で読み取って画像歪み処理部ａ３に出力する（ＳＴ１）とともに、パスワード設定部ａ２から画像歪み処理部ａ３に向けてこの原稿画像の送信側と受信側との間で予め設定された設定パスワードを入力する（ＳＴ２）。
【０１１７】
次いで、それぞれ入力された画像歪み処理部ａ３において、この設定パスワードをパターン化した、例えば、設定パスワードパターン部１１ａを視覚表示出力可能画像として書き込んだ画像ヘッダ１１を作成する（ＳＴ３）。ここで、画像ヘッダ１１には、設定パスワードパターン部１１ａの他に、例えば、送信日時記録部１１ｂやセキュリティ画像明示部１１ｃ等を書き込むように設定されても構わない。
【０１１８】
続いて、画像歪み処理部３ａに入力された原稿画像の、例えば、受信者名やページ数、件名等を記載した１ページ全体や特定領域等の特定の範囲に対しては画像を歪ませる画像歪み処理を行わない、画像歪み処理スキップ指定が事前に設定されているか確認して（ＳＴ４）もよく、ここで、スキップ指定が設定されていた場合には、この特定の範囲に対しては次に実施する画像歪み処理を行わずに原稿画像の画像状態のままとして、この特定の範囲を除くその他の領域についてのみ、もしくはスキップ指定が設定されない場合にその原稿画像に対して、画像歪み処理部ａ３により画像歪み処理を行い（ＳＴ５）、セキュリティ画像１のセキュリティ画像部１２を作成する。
【０１１９】
引続き、画像歪み処理部ａ３において、ＳＴ３において作成したパターン化された設定パスワードである設定パスワードパターン部１１ａを書き込んだ画像ヘッダ１１をＳＴ５にて作成した画像歪み処理されたセキュリティ画像部１２に付加してセキュリティ画像１を作成して（ＳＴ６）、例えば、このとき、このセキュリティ画像１を画像送信部ａ４に出力して、画像送信部ａ４が出力されたセキュリティ画像１を、接続された通信回線Ｎを介して所望のセキュリティ画像受信側装置Ｂに送信可能にエンコードして（ＳＴ７）、セキュリティ画像受信側装置Ｂに向けて送信する（ＳＴ８）。
【０１２０】
また、例えば、ＳＴ１にて原稿画像読取部ａ１にて原稿画像をページ単位にて読み取って、このページ単位毎に複数ページに亙って送信する場合には、画像歪み処理部ａ３のＳＴ６において、このページ毎にセキュリティ画像１を作成した後に、全てのページを処理したものであるか確認して（ＳＴ９）、未処理の原稿画像のページがある場合には、再度画像歪み処理のＳＴ４からＳＴ６を繰り返すようにするとよい。
【０１２１】
このとき、ここで作成されるセキュリティ画像１のページ毎に、イメージ化された設定パスワードである設定パスワードパターン部１１ａを書き込んだ画像ヘッダ１１を付加することもでき、また、付加する画像ヘッダ１１に書き込む設定パスワードについても、ページ毎に任意に設定、変更可能なものとすることもできる。
【０１２２】
なお、画像送信部ａ４は適時に通信回線Ｎとの回線接続及び回線切断を可能とするようにしても構わない。
【０１２３】
また、セキュリティ画像送信側装置Ａに、送信側画像出力部ａ５を具備させた場合には、ＳＴ６にて作成したセキュリティ画像１を画像送信部ａ４に出力する（ＳＴ６ａ）とともに、送信側画像出力部ａ５に出力させることにより、送信側で作成したセキュリティ画像１の確認が可能となる。また、ＳＴ１にて原稿画像を読み取り、画像歪み処理部ａ３に出力するとともに送信側画像出力部ａ５に出力する（ＳＴ１ａ）ようにしてもよい。
【０１２４】
さらに、セキュリティ画像送信側装置ＡのＳＴ６おいて作成されるセキュリティ画像１は、例えば、ビットマップ形式等の既存の画像形式データであることから、セキュリティ画像１作成後のセキュリティ画像受信側装置Ｂへ送信する前にコンピュータ等でこのセキュリティ画像を他の画像に貼り付け加工する等の編集を直接実施することも容易に可能である。
【０１２５】
続いて、図１１は、図１０に示した画像歪み処理について詳細に説明するためのフローチャートであり、ここで、ＳＴ５に示した画像歪み処理の実施について詳細に説明する。
【０１２６】
ＳＴ５の画像歪み処理の実施は、例えば、ＳＴ１にて原稿画像読取部ａ１が原稿画像をビットマップ形式として読み取ることで読み取られたビットマップ形式として保持される原稿画像に対して、例えば、垂直線や水平線のような原稿画像の示す内容を判読不能としない範囲の復元指標図形を上書きしてもよい（ＳＴ５１）。
【０１２７】
ここで、原稿画像に対して上書きする図形は、セキュリティ画像送信側装置Ａとセキュリティ画像受信側装置Ｂとの間で、予め設定されたものが望ましく、この図形を上書きされた原稿画像に対して次に続く画像歪み処理を実施する際においても原稿画像の画像歪み処理された画像とは区別して認識可能なものが好適である。
【０１２８】
続いて、原稿画像又はＳＴ５１にて特定の図形を上書きされた原稿画像を構成するそれぞれのピクセルを、例えば、それぞれのピクセル行毎に予め設定されたピクセル数分特定方向に移動させて（ＳＴ５２）、後にセキュリティ画像受信側装置Ｂの具備する画像逆歪み処理部ｂ３にて原稿画像を受信者側で判読可能な復元画像を作成できるような規則的な画像歪みを発生させることにより、ＳＴ５に示すセキュリティ画像部１２を作成する画像歪み処理を実施させるとよい。
【０１２９】
次に、図１２は、本発明のセキュリティ画像受信側装置におけるセキュリティ画像を受信して出力する際に適用されるセキュリティ画像通信方法を説明するためのシーケンス図である。
【０１３０】
同図に示すように、セキュリティ画像受信側装置Ｂにてセキュリティ画像送信側装置Ａからセキュリティ画像１を受信して出力するには、まず、セキュリティ画像受信側装置Ｂにおいて、通信回線Ｎと接続された画像受信部ｂ４にて、セキュリティ画像送信側装置Ａから送信されたセキュリティ画像１を受信して（ＳＴ１１）、引続き、通信回線Ｎを介して送受信されるためにエンコードされたデータに対してデコードして（ＳＴ１２）、セキュリティ画像１を受信側画像出力部ｂ５に渡す。
【０１３１】
セキュリティ画像１を受け渡された、例えば、印刷手段や表示手段等の受信側画像出力部ｂ５は、画像歪み処理されたままのセキュリティ画像部１２を有するセキュリティ画像１を、例えば、プリンタから印刷出力や、ディスプレイにて表示出力等の出力をする（ＳＴ１３）。なお、以上のＳＴ１１乃至ＳＴ１３の過程は、従来の受信側装置Ｄによりセキュリティ画像１の受信、出力を行い、その後に別途セキュリティ画像受信側装置Ｂにてセキュリティ画像１を読み取り、後述する画像逆歪み処理を実施しても構わない。
【０１３２】
ここで、図１３は、図１２に示したセキュリティ画像をパーソナルコンピュータとプリンタとを用いて受信、出力する際に適用されるセキュリティ画像通信方法を説明するためのシーケンス図である。
【０１３３】
同図に示すように、セキュリティ画像通信システム装置γに本方法例を適用する場合は、図１２に示したＳＴ１１乃至ＳＴ１３のセキュリティ画像の受信、出力を、インターネット等の通信回線Ｎ１上の任意の領域に配置されたパーソナルコンピュータｄ１により、セキュリティ画像１を受信（ＳＴ１１ａ）して、デコードし（ＳＴ１２ａ）、接続されたプリンタｄ２にこのセキュリティ画像１の画像データを印刷命令を通知することにより、プリンタｄ２において、所望のセキュリティ画像１の画像データを印刷する（ＳＴ１３ａ）ようにするとよい。
【０１３４】
続いて、図１４は、本発明のセキュリティ画像受信側装置における出力されたセキュリティ画像から復元画像を作成する際に適用されるセキュリティ画像通信方法を説明するためのシーケンス図である。
【０１３５】
同図に示すように、まず、セキュリティ画像受信側装置Ｂにおいて、受信したセキュリティ画像１をセキュリティ画像受信側装置Ｂ、従来の受信側装置Ｄ、又はセキュリティ画像送受信装置Ｃ等で一旦紙出力した上で、まず、パスワード入力部ｂ２にて、セキュリティ画像１の送信側と受信側との間で予め設定された設定パスワードに合致する入力パスワードを入力して（ＳＴ２１）画像逆歪み部ｂ３にこの入力パスワードを渡す。
【０１３６】
さらに、ＳＴ２１とともに、セキュリティ画像読取部ｂ１により、セキュリティ画像送信側装置Ａから受信して紙出力された、例えば、ＳＴ１３での出力や、他の受信側装置Ｄにて出力されたセキュリティ画像１から、視覚表示出力された画像ヘッダ１１中の設定パスワードパターン部１１ａから設定パスワードを読み取り（ＳＴ２２）、この画像ヘッダを画像逆歪み部ｂ３に渡す。
【０１３７】
続いて、画像逆歪み部ｂ３では、ＳＴ２１にて入力された入力パスワードと、ＳＴ２２にて読み取った設定パスワードとの合致を確認する（ＳＴ２３）。ここで、この入力パスワードと設定パスワードとの組が、予め送信側と受信側とで設定されたものとは異なるものであった場合、続くセキュリティ画像１の読み取り及びセキュリティ画像１に対する画像逆歪み処理を行わずに、例えば、セキュリティ画像受信側装置Ｂを利用するユーザに対してエラーを通知して以降の処理を終了する。
【０１３８】
一方、入力された入力パスワードと設定パスワードとが合致する場合には、セキュリティ画像読取部ｂ１によりセキュリティ画像１を読み取り（ＳＴ２４）、このセキュリティ画像１を画像逆歪み処理部ｂ３へ渡して、画像逆歪み処理部ｂ３にて、セキュリティ画像送信側装置Ａの画像歪み処理部ａ３により画像歪み処理されたセキュリティ画像部１２に対して、例えば、この画像歪み処理と逆方向に画像を歪ませる等の画像逆歪み処理により原稿画像を判読可能とする復元画像を作成し（ＳＴ２５）、作成した復元画像を受信側画像出力部ｂ５に渡して、受信側画像出力部ｂ５にて復元画像を出力する（ＳＴ２６）。
【０１３９】
また、例えば、ＳＴ２４のセキュリティ画像読取部ｂ１にて読み取ったセキュリティ画像１が、ページ単位で複数ページに亙って送信されたものである場合には、ＳＴ２２において、先頭ページのみならず、セキュリティ画像読取部ｂ１にてページ毎に画像ヘッダ１１中の設定パスワードパターン部１１ａから設定パスワードを読み出し、続いて、ＳＴ２３の画像逆歪み処理部ｂ３において、設定パスワードと入力パスワードとの合致を確認するようにするとよい。
【０１４０】
そこで、画像逆歪み処理部ｂ３は、ＳＴ２５において復元画像を作成した後に、全てのページを処理したものであるか確認して（ＳＴ２７）、未処理の原稿画像ページがある場合には、再度、ＳＴ２１からＳＴ２６を順次繰り返すようにすることで、全ての原稿画像に対応する復元画像を出力することが可能となる。
【０１４１】
なお、ここで、ＳＴ２２及びＳＴ２４にて読み取るセキュリティ画像及びセキュリティ画像１に付加された画像ヘッダ１１は、同時にセキュリティ画像受信側装置Ｂに搭載する画像受信部ｂ４にて受信して、受信側画像出力部ｂ５にて、例えば、印刷出力又はデータ出力されたものに限定されず、別途設置された他の受信側装置Ｄにおいて、セキュリティ画像送信側装置Ａからのセキュリティ画像１を事前に、例えば、受信印刷出力又はデータ出力されたものを読み取るものでも構わない。
【０１４２】
また、ＳＴ２２及びＳＴ２４を実施するセキュリティ画像読取部ｂ１は、セキュリティ画像受信側装置Ｂに同時に搭載されて接続された受信側画像出力部ｂ５にてデータ出力表示されたセキュリティ画像１をそのまま読み取るものでも構わない。
【０１４３】
続いて、図１５は、図１４に示した画像逆歪み処理について詳細に説明するためのフローチャートであり、ここで、ＳＴ５に示した画像逆歪み処理について詳細に説明する。
【０１４４】
同図に示すように、ＳＴ２５の画像逆歪み処理は、例えば、ＳＴ２４にてセキュリティ画像読取部ｂ１がビットマップ形式として読み取ったセキュリティ画像１に対して、図１１に示したＳＴ５１によりそのセキュリティ画像１が、復元指標図形、例えば、垂直線や水平線等の特定の図形を上書きされた原稿画像に対して画像歪み処理して作成されたものである場合には、まず、その画像歪み処理されたセキュリティ画像１中の上書きされた特定の図形部分を認識する（ＳＴ２５１）。
【０１４５】
次いで、この認識した特定の図形を指標として、画像歪み処理された特定の図形をもとの上書きされた図形の形状に復元するにあたり、その他の画像歪み処理された領域に対しても一体に画像の歪みを補正することで画像逆歪み処理を行い、復元画像のデータを作成して（ＳＴ２５２）、セキュリティ画像１の送受信間や、読み込み、出力等で歪みが発生した場合に対しても、画像逆歪み処理する、例えば、ピクセル位置を正確に認識することが可能なものであるから、より正確な原稿画像の復元を可能するものである。
【０１４６】
続いて、作成した復元画像のデータを受信側画像出力部ｂ５に渡して（ＳＴ２５３）受信側画像出力部ｂ５に出力させて、画像逆歪み処理（ＳＴ２５）を終了してもよいが、引続き、画像逆歪み処理部ｂ３にて作成して保持された復元画像のデータを削除する（ＳＴ２５４）ことにより、より確実なセキュリティを確保することができる。
【０１４７】
（プログラム例及び記録媒体例）
最後に、共にコンピュータの基本的機能を具備するとともに、原稿画像を画像歪み処理したセキュリティ画像１を作成送信するセキュリティ画像送信側装置Ａと、通信回線Ｎを介して受信出力された当該セキュリティ画像からこの原稿画像に基づく復元画像を作成出力するセキュリティ画像受信側装置Ｂと、を有して構築されたセキュリティ画像通信システム装置αに備わるコンピュータに導入して実行されるセキュリティ画像通信処理プログラム例を説明する。なお、本プログラム例は、セキュリティ画像通信システム装置β，γに適用するものであっても構わない。
【０１４８】
まず、セキュリティ画像送信側装置Ａに、原稿画像を読み取る処理手順とともに、当該原稿画像の送信側と受信側との間で予め設定された設定パスワードを入力する処理手順と、を実行させて、当該設定パスワードをパターン化した設定パスワードパターン部１１ａを書き込んだ画像ヘッダ１１を作成する処理手順と、当該原稿画像に対して画像を歪ませる画像歪み処理を実行する処理手順とともに、画像ヘッダ１１を付加してセキュリティ画像１を作成する処理手順と、セキュリティ画像１をセキュリティ画像受信側装置Ｂに送信する処理手順と、を順次実行させる。
【０１４９】
一方、セキュリティ画像受信側装置Ｂに、セキュリティ画像送信側装置Ａから受信して出力されたセキュリティ画像１の画像ヘッダ１１に書き込まれた設定パスワードパターン部１１ａから設定パスワードを読み取る処理手順とともに、当該設定パスワードに照合する入力パスワードを入力する処理手順と、を実行させた後に、入力された当該入力パスワードと当該設定パスワードとの合致を確認する処理手順と、を順次実行させる。
【０１５０】
ここで、設定パスワードと入力パスワードが合致した場合に、セキュリティ画像を読み取る処理手順と、当該セキュリティ画像に対して画像の歪みを補正して原稿画像に基づく復元画像を作成する画像逆歪み処理を実行する処理手順と、当該復元画像を出力する処理手順と、を順次実行させる。
【０１５１】
このセキュリティ画像受信側装置Ｂにおける画像ヘッダ１１に書き込まれた設定パスワードパターン部１１ａから設定パスワードを読み取る処理手順は、別途設置された他の従来の受信側装置Ｄにおいて、セキュリティ画像送信側装置Ａから送信されたセキュリティ画像１を一旦受信して、例えば、印刷出力する処理手順を事前に実行させた後に実行されても構わない。
【０１５２】
なお、セキュリティ画像受信側装置Ｂにおけるセキュリティ画像１を一旦受信して印刷出力する処理手順を、セキュリティ画像通信システム装置γに適用させる場合には、通信回線Ｎ上の任意の領域に配置されたパーソナルコンピュータｄ１に、通信回線を介してセキュリティ画像１を受信させる手順と、パーソナルコンピュータｄ１から、プリンタｄ２にセキュリティ画像１の印刷命令を通知することにより、プリンタｄ２にてセキュリティ画像１を印刷させる手順とを順次実行させるとよい。
【０１５３】
また、セキュリティ画像送信側装置Ａにて読み取った原稿画像に対して画像歪み処理を実行する処理手順は、予め、原稿画像を読み取る処理手順として、原稿画像をビットマップ形式として読み取る処理手順を実行させた上で、この原稿画像を構成するそれぞれのピクセルを、例えば、それぞれのピクセル行毎に予め設定されたピクセル数分特定方向に移動させる処理手順を実行させる。
【０１５４】
加えて、この画像歪み処理を実行する処理手順は、原稿画像に対して予め設定された復元指標図形を上書きする処理手順と、この図形が上書きされた原稿画像に対して画像歪み処理を行う処理手順と、を順次実行させても構わない。
【０１５５】
この場合、セキュリティ画像受信側装置Ｂにて実行させる画像逆歪み処理を実行する処理手順は、セキュリティ画像１中に含まれる、セキュリティ画像送信側装置Ａにより原稿画像に上書きされて画像歪み処理された図形部分を認識する処理手順と、この図形部分を、画像歪み処理される以前の図形に補正することで、セキュリティ画像１全体を、図形が上書きされた原稿画像の状態に復元する処理手順と、を順次実行させることで復元画像の作成が可能となる。
【０１５６】
一方、セキュリティ画像送信側装置Ａにて実行させる画像歪み処理を実行する処理手順は、原稿画像の特定の範囲に対して画像歪み処理のスキップ指定を確認する処理手順と、このスキップ指定を確認する処理手順において、スキップ指定が設定されていた場合に、この特定の範囲はそのままに、特定の範囲を除く部分に対してのみ画像を歪ませる処理手順を実行させてもよい。
【０１５７】
さらに、セキュリティ画像受信側装置Ｂに実行させる入力パスワードと設定パスワードとの合致を確認する処理手順は、視覚出力表示されて読み取った画像ヘッダ１１に書き込まれる設定パスワードパターン部１１ａ中の設定パスワードと合致する入力パスワードとは異なる他の入力パスワードが入力された場合には、エラーを通知して処理を中断し終了する処理手順を実行させても構わない。
【０１５８】
また、セキュリティ画像送信側装置Ａに実行させるセキュリティ画像を作成する処理手順は、原稿画像を読み取る処理手順において事前にこの原稿画像をページ単位で読み取り設定された場合に、ページ単位で作成するセキュリティ画像１に対して、このページ毎に設定パスワードパターン部１１ａを書き込んだ画像ヘッダ１１を付加する処理手順を実行させても構わない。
【０１５９】
この場合、セキュリティ画像受信側装置Ｂに実行させる入力パスワードと設定パスワードとの合致を確認する処理手順は、設定パスワードを読み取る処理手順において事前にページ毎に設定パスワードが設定されていた場合に、このページ毎に入力パスワードと設定パスワードとの合致を確認する処理手順を実行させるとよい。
【０１６０】
さらに、セキュリティ画像受信側装置Ｂに実行させる復元画像を出力する処理手順は、この復元画像の出力の後に、セキュリティ画像受信側装置Ｂにおいて保持された復元画像のデータを削除する処理手順を実行させることにより、より確かなセキュリティの確保が可能となる。
このとき、一連の処理手順からなる以上のプログラム例をコンピュータ読取可能な実践手続として実録する記録媒体を得る。
【０１６１】
なお、本実施形態例においては、送受信される対象を画像と呼ぶものの、セキュリティ画像の送受信は原稿画像の内容に制限されるものではなく、原稿画像としては、例えば、文字、文章、写真、画像、それらを混在するもの、ＦＡＸ文書等であって構わない。
【０１６２】
以上、本発明の実施の形態につき、本発明をビットマップ形式で読み取り、画像歪み処理及び画像逆歪み処理を適用した場合を例に挙げて説明したが、本発明は、画像歪み処理及び画像逆歪み処理を組み合わせた対処理を採用する以外は必ずしも上述した手段、手法、手順及び手続にのみ限定されるものではなく、前述の効果を有する範囲内において、適宜、変更実施することが可能なものであり、例えば、電子メール等のインターネットを介した画像の送受信や、ファクシミリ等に適用される。
【図面の簡単な説明】
【０１６３】
【図１】本発明の一実施形態例に係る装置例１としてのセキュリティ画像通信システム装置を示すシステム構成図である。
【図２】同上の一実施形態例に係る装置例２としてのセキュリティ画像通信システム装置を示すシステム構成図である。
【図３】同上の一実施形態例に係る装置例３としてのセキュリティ画像通信システム装置を示すシステム構成図である。
【図４】同上のセキュリティ画像に付加される画像ヘッダの例である。
【図５】同上のセキュリティ画像通信システム装置に適用される原稿画像として、「Ａ」、「Ｂ」二つのキャラクタよりなる原稿画像例である。
【図６】図５に示した原稿画像に対して、処理例における画像歪み処理のピクセル行毎に１ピクセルの移動処理を実行した場合の画像歪み例である。
【図７】同上のセキュリティ画像通信システム装置が適用される他の原稿画像例に図形が上書きされた画像例である。
【図８】図７に示した原稿画像例に対してピクセル行毎に１ピクセルの移動による画像歪み処理を実施した場合の画像歪み例である。
【図９】図７に示した原稿画像例に対してピクセル行毎に３ピクセルの移動による画像歪み処理を実施した場合の画像歪み例である。
【図１０】本発明の実施の形態におけるセキュリティ画像送信側装置に適用するセキュリティ画像通信方法を説明するためのシーケンス図である。
【図１１】同上の画像歪み処理について詳細に説明するためのフローチャートである。
【図１２】同上におけるセキュリティ画像受信側装置でセキュリティ画像を受信して出力する際に適用されるセキュリティ画像通信方法を説明するためのシーケンス図である。
【図１３】同上したセキュリティ画像をパーソナルコンピュータとプリンタとを用いて受信、出力する際に適用されるセキュリティ画像通信方法を説明するためのシーケンス図である。
【図１４】同上のセキュリティ画像受信側装置における出力されたセキュリティ画像から復元画像を作成する際に適用されるセキュリティ画像通信方法を説明するためのシーケンス図である。
【図１５】同上した画像逆歪み処理について詳細に説明するためのフローチャートである。
【符号の説明】
【０１６４】
α，β，γ…セキュリティ画像通信システム装置
Ａ…セキュリティ画像送信側装置
Ｂ…セキュリティ画像受信側装置
Ｃ，Ｃ´…セキュリティ画像送受信装置
Ｄ…従来の受信側装置
Ｎ…通信回線
ａ１…原稿画像読取部
ａ２…パスワード設定部
ａ３…画像歪み処理部
ａ４…画像送信部
ａ５…送信側画像出力部
ｂ１…セキュリティ画像読取部
ｂ２…パスワード入力部
ｂ３…画像逆歪み処理部
ｂ４…画像受信部
ｂ５…受信側画像出力部
ｃ１…画像読取部
ｃ２…パスワード設定／入力部
ｃ３…画像正逆歪み処理部
ｃ４…画像送受信部
ｃ５…画像出力部
ｄ１…パーソナルコンピュータ
ｄ２…プリンタ
１…セキュリティ画像
１１…画像ヘッダ
１１ａ…設定パスワードパターン部
１１ｂ…送信日時記録部
１１ｃ…セキュリティ画像明示部
１２…セキュリティ画像部
【国際調査報告】
2005002207.tif 000018
2005002207.tif 000019
2005002207.tif 000020
2005002207.tif 000021